(57)【要約】  シンク機器（１２０）は、シンク機器（１２０）において表示可能な映像データの映像フォーマットを識別する少なくとも１つの映像フォーマット識別コード（ＶＩＣ）を含む映像情報メッセージ（２００）と、（ｂ）映像データを圧縮するための圧縮用パラメータを含む圧縮映像情報メッセージ（４００）とを含むデバイス能力応答メッセージ（２）をソース機器（１１０）に無線送信する。ＶＩＣは、３８４０ピクセル又は４０９６ピクセルの有効水平画素数と２１６０ピクセルの有効垂直画素数とを有する４ｋ２ｋ映像データのＶＩＣを含む。
2010140199.tif 000002
【特許請求の範囲】
【請求項１】
ソース機器からシンク機器に映像データを無線伝送する無線通信システムのためのシンク機器において、
（ａ）上記シンク機器において表示可能な映像データの映像フォーマットを識別する少なくとも１つの映像フォーマット識別コードを含む映像情報メッセージと、（ｂ）映像データを圧縮するための圧縮用パラメータを含む圧縮映像情報メッセージとを含むデバイス能力応答メッセージを上記ソース機器に無線送信する第１の制御手段を備え、
上記少なくとも１つの映像フォーマット識別コードは、３８４０ピクセル又は４０９６ピクセルの有効水平画素数と２１６０ピクセルの有効垂直画素数とを有する４ｋ２ｋ映像データの少なくとも１つの映像フォーマット識別コードを含むことを特徴とするシンク機器。
【請求項２】
上記ソース機器は、送信する第１の映像データの映像フォーマットを識別する映像フォーマット識別コードと、上記第１の映像データが圧縮されているか否かを示すデータとを含むストリーム開始通知メッセージを上記シンク機器に無線送信した後に、上記第１の映像データを上記シンク機器に無線送信し、
上記第１の制御手段は、
上記ソース機器から上記ストリーム開始通知メッセージを無線受信し、上記無線受信されたストリーム開始通知メッセージに基づいて、上記第１の映像データの映像フォーマット識別コード及び上記第１の映像データが圧縮されているか否かを識別し、
上記第１の映像データを無線受信し、
上記第１の映像データが圧縮されているときは、上記第１の映像データを伸張して、上記伸張後の第１の映像データを上記識別された映像フォーマット識別コードに基づいてデコードする一方、上記第１の映像データが圧縮されていないときは、上記第１の映像データを上記識別された映像フォーマット識別コードに基づいてデコードすることを特徴とする請求項１記載のシンク機器。
【請求項３】
上記ソース機器は、上記第１の映像データの映像フォーマットが変更されたときに、上記変更後の映像フォーマットを識別する映像フォーマット識別コードと、上記変更後の映像フォーマットを有する第２の映像データが圧縮されているか否かを示すデータとを含む出力フォーマット通知メッセージを上記シンク機器に無線送信した後に、上記第２の映像データを上記シンク機器に無線送信し、
上記第１の制御手段は、
上記ソース機器から上記出力フォーマット通知メッセージを無線受信し、上記無線受信された出力フォーマット通知メッセージに基づいて、上記第２の映像データの映像フォーマット識別コード及び上記第２の映像データが圧縮されているか否かを識別し、
上記第２の映像データを無線受信し、
上記第２の映像データが圧縮されているときは、上記第２の映像データを伸張して、上記伸張後の第２の映像データを上記識別された映像フォーマット識別コードに基づいてデコードする一方、上記第２の映像データが圧縮されていないときは、上記第２の映像データを上記識別された映像フォーマット識別コードに基づいてデコードすることを特徴とする請求項２記載のシンク機器。
【請求項４】
ソース機器からシンク機器に映像データを無線伝送する無線通信システムのためのソース機器において、
送信する第１の映像データの映像フォーマットを識別する映像フォーマット識別コードと、上記第１の映像データが圧縮されているか否かを示すデータとを含むストリーム開始通知メッセージを、上記シンク機器に無線送信した後に、上記第１の映像データを上記シンク機器に無線送信する第２の制御手段を備え、
上記第１の映像データの映像フォーマットを識別する映像フォーマット識別コードは、３８４０ピクセル又は４０９６ピクセルの有効水平画素数と２１６０ピクセルの有効垂直画素数とを有する４ｋ２ｋ映像データの少なくとも１つの映像フォーマット識別コードの中から選択されたことを特徴とするソース機器。
【請求項５】
上記第２の制御手段は、
（ａ）上記シンク機器において表示可能な映像データの映像フォーマットを識別する少なくとも１つの映像フォーマット識別コードを含む映像情報メッセージと、（ｂ）映像データを圧縮するための圧縮用パラメータを含む圧縮映像情報メッセージとを含むデバイス能力応答メッセージを、上記シンク機器から無線受信し、
上記デバイス能力応答メッセージに含まれる映像フォーマット識別コードの中から１つの映像フォーマット識別コードを選択し、上記選択された映像フォーマット識別コードに基づいて上記第１の映像データを生成し、上記生成された第１の映像データを上記圧縮用パラメータを用いて圧縮し、上記圧縮された第１の映像データを上記シンク機器に無線送信することを特徴とする請求項４記載のシンク機器。
【請求項６】
上記第２の制御手段は、
上記第１の映像データの映像フォーマットが変更されたときに、上記変更後の映像フォーマットを識別する映像フォーマット識別コードと、上記変更後の映像フォーマットを有する第２の映像データが圧縮されているか否かを示すデータとを含む出力フォーマット通知メッセージを上記シンク機器に無線送信した後に、上記第２の映像データを上記シンク機器に無線送信することを特徴とする請求項５記載のシンク機器。
【請求項７】
ソース機器からシンク機器に映像データを無線伝送する無線通信システムにおいて、
請求項１記載のシンク機器と、
請求項４記載のソース機器とを備えたことを特徴とする無線通信システム。
【請求項８】
ソース機器からシンク機器に映像データを無線伝送する映像データの伝送方法において、
上記シンク機器により、（ａ）上記シンク機器において表示可能な映像データの映像フォーマットを識別する少なくとも１つの映像フォーマット識別コードを含む映像情報メッセージと、（ｂ）映像データを圧縮するための圧縮用パラメータを含む圧縮映像情報メッセージとを含むデバイス能力応答メッセージを上記ソース機器に無線送信するステップと、
上記ソース機器により、上記デバイス能力応答メッセージを無線受信し、上記デバイス能力応答メッセージに含まれる映像フォーマット識別コードの中から１つの映像フォーマット識別コードを選択し、上記選択された映像フォーマット識別コードに基づいて第１の映像データを生成し、上記生成された第１の映像データを上記圧縮用パラメータを用いて圧縮するステップと、
上記ソース機器により、上記選択された映像フォーマット識別コードと、上記第１の映像データが圧縮されているか否かを示すデータとを含むストリーム開始通知メッセージを、上記シンク機器に無線送信した後に、上記圧縮された第１の映像データを上記シンク機器に無線送信するステップと、
上記シンク機器により、上記ストリーム開始通知メッセージを無線受信し、上記無線受信されたストリーム開始通知メッセージに基づいて、上記第１の映像データの映像フォーマット識別コード及び上記第１の映像データが圧縮されているか否かを識別するステップと、
上記シンク機器により、上記第１の映像データを無線受信し、上記第１の映像データが圧縮されているときは、上記第１の映像データを伸張して、上記伸張後の第１の映像データを上記識別された映像フォーマット識別コードに基づいてデコードする一方、上記第１の映像データが圧縮されていないときは、上記第１の映像データを上記識別された映像フォーマット識別コードに基づいてデコードするステップとを含み、
上記少なくとも１つの映像フォーマット識別コードは、３８４０ピクセル又は４０９６ピクセルの有効水平画素数と２１６０ピクセルの有効垂直画素数とを有する４ｋ２ｋ映像データの少なくとも１つの映像フォーマット識別コードを含むことを特徴とする映像データの伝送方法。
【請求項９】
上記ソース機器により、上記第１の映像データの映像フォーマットが変更されたときに、上記変更後の映像フォーマットを識別する映像フォーマット識別コードと、上記変更後の映像フォーマットを有する第２の映像データが圧縮されているか否かを示すデータとを含む出力フォーマット通知メッセージを上記シンク機器に無線送信した後に、上記第２の映像データを上記シンク機器に無線送信するステップと、
上記シンク機器により、上記出力フォーマット通知メッセージを無線受信し、上記無線受信された出力フォーマット通知メッセージに基づいて、上記第２の映像データの映像フォーマット識別コード及び上記第２の映像データが圧縮されているか否かを識別するステップと、
上記シンク機器により、上記第２の映像データを無線受信するステップと、
上記シンク機器により、上記第２の映像データが圧縮されているときは、上記第２の映像データを伸張して、上記伸張後の第２の映像データを上記識別された映像フォーマット識別コードに基づいてデコードする一方、上記第２の映像データが圧縮されていないときは、上記第２の映像データを上記識別された映像フォーマット識別コードに基づいてデコードするステップとをさらに含むことを特徴とする請求項８記載の映像データの伝送方法。
【発明の詳細な説明】
【技術分野】
【０００１】
本発明は、映像データの伝送方法、当該映像データを送信するソース機器、当該映像データを受信するシンク機器、並びに当該ソース機器及びシンク機器を備えた無線通信システムに関し、特に、ソース機器からテレビジョン装置などのシンク機器に、ＨＤ（Ｈｉｇｈ  Ｄｅｆｉｎｉｔｉｏｎ：高精細の）解像度よりも高解像度の映像データを無線伝送するための映像データの伝送方法、当該映像データを送信するソース機器、当該映像データを受信するシンク機器、並びに当該ソース機器及びシンク機器を備えた無線通信システムに関する。
【背景技術】
【０００２】
音声及び映像機器（以下、ＡＶ（Ａｕｄｉｏ  ａｎｄ  Ｖｉｓｕａｌ）機器という。）間で非圧縮のベースバンド映像信号とデジタル音声信号をワイヤレス伝送するための標準規格であるワイヤレスＨＤ（ＷｉｒｅｌｅｓｓＨＤ）が策定されている。ワイヤレスＨＤはデジタルビデオレコーダやセットトップボックス、パーソナルコンピュータなどのソース機器に蓄えられた高精細の動画データを、ソース機器をシンク機器にケーブル接続することなくハイビジョンテレビなどのシンク機器で視聴するための技術仕様である。また、双方向のコントロール信号も含んでいるので、テレビジョン装置とデジタルビデオレコーダを連動させるように制御することや、複数のＡＶ機器を用いてホームシアターなどを構成してこれらのＡＶ機器を一元的に制御することができ、これらの制御のためのプロトコルが定義されている。加えて、ワイヤレスＨＤは高品質のコンテンツの伝送が可能であるために、提供されるコンテンツが不正に再生されたり、違法にコピーされたりしないように、コンテンツ保護方式としてＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）が定義されている。【０００３】
従来技術に係るワイヤレスＨＤの無線伝送方法については、例えば、特許文献１〜３及び非特許文献１に記載されている。また、従来技術に係るＡＶデータの無線伝送方法については、特許文献４及び５に記載されている。
【先行技術文献】
【特許文献】
【０００４】
【特許文献１】特開２００８−２５２９２９号公報。
【特許文献２】特開２００９−４８７７号公報。
【特許文献３】米国特許出願公開第２００７／０２７０１２１号明細書。
【特許文献４】米国特許出願公開第２００８／０３２０５３９号明細書。
【特許文献５】米国特許出願公開第２００９／００３１３６５号明細書。
【特許文献６】特開２００８−９９１８９号公報。
【特許文献７】特開２００５−３２８４９４号公報。
【特許文献８】米国特許出願公開第２００５／０２８１２９６号明細書。
【非特許文献】
【０００５】
【非特許文献１】ＷｉｒｅｌｅｓｓＨＤ  Ｓｐｅｃｉｆｉｃａｔｉｏｎ  Ｖｅｒｓｉ    ｏｎ  １．０  Ｏｖｅｒｖｉｅｗ、２００７年１０月９日。
【発明の概要】
【発明が解決しようとする課題】
【０００６】
近年、例えば、１９２０ピクセルの有効水平画素数と１０８０ピクセルの有効垂直画素数とを有する従来の高精細解像度の映像データよりも高い解像度を有する次世代の映像データが普及してきた。このような次世代の映像データは、３８４０ピクセル又は４０９６ピクセルの有効水平画素数と、２１６０ピクセルの有効垂直画素数とを有しており、４ｋ２ｋ映像データと呼ばれている。特許文献６〜８は、４ｋ２ｋ映像データのシリアル伝送方法を開示している。しかしながら、従来、ワイヤレスＨＤにおいて４ｋ２ｋ映像データを無線伝送する方法は策定されておらず、４ｋ２ｋ映像データを無線伝送できなかった。【０００７】
本発明の目的は以上の問題点を解決し、４ｋ２ｋ映像データを無線伝送できる映像データの伝送方法、当該４ｋ２ｋ映像データを送信するソース機器、当該４ｋ２ｋ映像データを受信するシンク機器、並びに当該ソース機器及びシンク機器を備えた無線通信システムを提供することにある。
【課題を解決するための手段】
【０００８】
第１の発明に係るシンク機器は、ソース機器からシンク機器に映像データを無線伝送する無線通信システムのためのシンク機器において、
（ａ）上記シンク機器において表示可能な映像データの映像フォーマットを識別する少なくとも１つの映像フォーマット識別コードを含む映像情報メッセージと、（ｂ）映像データを圧縮するための圧縮用パラメータを含む圧縮映像情報メッセージとを含むデバイス能力応答メッセージを上記ソース機器に無線送信する第１の制御手段を備え、
上記少なくとも１つの映像フォーマット識別コードは、３８４０ピクセル又は４０９６ピクセルの有効水平画素数と２１６０ピクセルの有効垂直画素数とを有する４ｋ２ｋ映像データの少なくとも１つの映像フォーマット識別コードを含むことを特徴とする。【０００９】
上記シンク機器において、
上記ソース機器は、送信する第１の映像データの映像フォーマットを識別する映像フォーマット識別コードと、上記第１の映像データが圧縮されているか否かを示すデータとを含むストリーム開始通知メッセージを上記シンク機器に無線送信した後に、上記第１の映像データを上記シンク機器に無線送信し、
上記第１の制御手段は、
上記ソース機器から上記ストリーム開始通知メッセージを無線受信し、上記無線受信されたストリーム開始通知メッセージに基づいて、上記第１の映像データの映像フォーマット識別コード及び上記第１の映像データが圧縮されているか否かを識別し、
上記第１の映像データを無線受信し、
上記第１の映像データが圧縮されているときは、上記第１の映像データを伸張して、上記伸張後の第１の映像データを上記識別された映像フォーマット識別コードに基づいてデコードする一方、上記第１の映像データが圧縮されていないときは、上記第１の映像データを上記識別された映像フォーマット識別コードに基づいてデコードすることを特徴とする。【００１０】
また、上記シンク機器において、
上記ソース機器は、上記第１の映像データの映像フォーマットが変更されたときに、上記変更後の映像フォーマットを識別する映像フォーマット識別コードと、上記変更後の映像フォーマットを有する第２の映像データが圧縮されているか否かを示すデータとを含む出力フォーマット通知メッセージを上記シンク機器に無線送信した後に、上記第２の映像データを上記シンク機器に無線送信し、
上記第１の制御手段は、
上記ソース機器から上記出力フォーマット通知メッセージを無線受信し、上記無線受信された出力フォーマット通知メッセージに基づいて、上記第２の映像データの映像フォーマット識別コード及び上記第２の映像データが圧縮されているか否かを識別し、
上記第２の映像データを無線受信し、
上記第２の映像データが圧縮されているときは、上記第２の映像データを伸張して、上記伸張後の第２の映像データを上記識別された映像フォーマット識別コードに基づいてデコードする一方、上記第２の映像データが圧縮されていないときは、上記第２の映像データを上記識別された映像フォーマット識別コードに基づいてデコードすることを特徴とする。【００１１】
第２の発明に係るソース機器は、ソース機器からシンク機器に映像データを無線伝送する無線通信システムのためのソース機器において、
送信する第１の映像データの映像フォーマットを識別する映像フォーマット識別コードと、上記第１の映像データが圧縮されているか否かを示すデータとを含むストリーム開始通知メッセージを、上記シンク機器に無線送信した後に、上記第１の映像データを上記シンク機器に無線送信する第２の制御手段を備え、
上記第１の映像データの映像フォーマットを識別する映像フォーマット識別コードは、３８４０ピクセル又は４０９６ピクセルの有効水平画素数と２１６０ピクセルの有効垂直画素数とを有する４ｋ２ｋ映像データの少なくとも１つの映像フォーマット識別コードの中から選択されたことを特徴とする。【００１２】
上記ソース機器において、上記第２の制御手段は、
（ａ）上記シンク機器において表示可能な映像データの映像フォーマットを識別する少なくとも１つの映像フォーマット識別コードを含む映像情報メッセージと、（ｂ）映像データを圧縮するための圧縮用パラメータを含む圧縮映像情報メッセージとを含むデバイス能力応答メッセージを、上記シンク機器から無線受信し、
上記デバイス能力応答メッセージに含まれる映像フォーマット識別コードの中から１つの映像フォーマット識別コードを選択し、上記選択された映像フォーマット識別コードに基づいて上記第１の映像データを生成し、上記生成された第１の映像データを上記圧縮用パラメータを用いて圧縮し、上記圧縮された第１の映像データを上記シンク機器に無線送信することを特徴とする。【００１３】
また、上記ソース機器において、上記第２の制御手段は、
上記第１の映像データの映像フォーマットが変更されたときに、上記変更後の映像フォーマットを識別する映像フォーマット識別コードと、上記変更後の映像フォーマットを有する第２の映像データが圧縮されているか否かを示すデータとを含む出力フォーマット通知メッセージを上記シンク機器に無線送信した後に、上記第２の映像データを上記シンク機器に無線送信することを特徴とする。【００１４】
第３の発明に係る無線通信システムは、ソース機器からシンク機器に映像データを無線伝送する無線通信システムにおいて、
上記シンク機器と、
上記ソース機器とを備えたことを特徴とする。【００１５】
第４の発明に係る映像データの伝送方法は、ソース機器からシンク機器に映像データを無線伝送する映像データの伝送方法において、
上記シンク機器により、（ａ）上記シンク機器において表示可能な映像データの映像フォーマットを識別する少なくとも１つの映像フォーマット識別コードを含む映像情報メッセージと、（ｂ）映像データを圧縮するための圧縮用パラメータを含む圧縮映像情報メッセージとを含むデバイス能力応答メッセージを上記ソース機器に無線送信するステップと、
上記ソース機器により、上記デバイス能力応答メッセージを無線受信し、上記デバイス能力応答メッセージに含まれる映像フォーマット識別コードの中から１つの映像フォーマット識別コードを選択し、上記選択された映像フォーマット識別コードに基づいて第１の映像データを生成し、上記生成された第１の映像データを上記圧縮用パラメータを用いて圧縮するステップと、
上記ソース機器により、上記選択された映像フォーマット識別コードと、上記第１の映像データが圧縮されているか否かを示すデータとを含むストリーム開始通知メッセージを、上記シンク機器に無線送信した後に、上記圧縮された第１の映像データを上記シンク機器に無線送信するステップと、
上記シンク機器により、上記ストリーム開始通知メッセージを無線受信し、上記無線受信されたストリーム開始通知メッセージに基づいて、上記第１の映像データの映像フォーマット識別コード及び上記第１の映像データが圧縮されているか否かを識別するステップと、
上記シンク機器により、上記第１の映像データを無線受信し、上記第１の映像データが圧縮されているときは、上記第１の映像データを伸張して、上記伸張後の第１の映像データを上記識別された映像フォーマット識別コードに基づいてデコードする一方、上記第１の映像データが圧縮されていないときは、上記第１の映像データを上記識別された映像フォーマット識別コードに基づいてデコードするステップとを含み、
上記少なくとも１つの映像フォーマット識別コードは、３８４０ピクセル又は４０９６ピクセルの有効水平画素数と２１６０ピクセルの有効垂直画素数とを有する４ｋ２ｋ映像データの少なくとも１つの映像フォーマット識別コードを含むことを特徴とする。【００１６】
上記映像データの伝送方法において、上記ソース機器により、上記第１の映像データの映像フォーマットが変更されたときに、上記変更後の映像フォーマットを識別する映像フォーマット識別コードと、上記変更後の映像フォーマットを有する第２の映像データが圧縮されているか否かを示すデータとを含む出力フォーマット通知メッセージを上記シンク機器に無線送信した後に、上記第２の映像データを上記シンク機器に無線送信するステップと、
上記シンク機器により、上記出力フォーマット通知メッセージを無線受信し、上記無線受信された出力フォーマット通知メッセージに基づいて、上記第２の映像データの映像フォーマット識別コード及び上記第２の映像データが圧縮されているか否かを識別するステップと、
上記シンク機器により、上記第２の映像データを無線受信するステップと、
上記シンク機器により、上記第２の映像データが圧縮されているときは、上記第２の映像データを伸張して、上記伸張後の第２の映像データを上記識別された映像フォーマット識別コードに基づいてデコードする一方、上記第２の映像データが圧縮されていないときは、上記第２の映像データを上記識別された映像フォーマット識別コードに基づいてデコードするステップとをさらに含むことを特徴とする。
【発明の効果】
【００１７】
本発明に係る映像データの伝送方法、当該映像データを送信するソース機器、当該映像データを受信するシンク機器、並びに当該ソース機器及びシンク機器を備えた無線通信システムによれば、シンク機器は、シンク機器において表示可能な映像データの映像フォーマットを識別する少なくとも１つの映像フォーマット識別コードを含む映像情報メッセージと、（ｂ）映像データを圧縮するための圧縮用パラメータを含む圧縮映像情報メッセージとを含むデバイス能力応答メッセージをソース機器に無線送信する一方、ソース機器は、送信する第１の映像データの映像フォーマットを識別する映像フォーマット識別コードと、第１の映像データが圧縮されているか否かを示すデータとを含むストリーム開始通知メッセージを、シンク機器に無線送信した後に、第１の映像データを上記シンク機器に無線送信し、第１の映像データの映像フォーマットを識別する映像フォーマット識別コードは、３８４０ピクセル又は４０９６ピクセルの有効水平画素数と２１６０ピクセルの有効垂直画素数とを有する４ｋ２ｋ映像データの少なくとも１つの映像フォーマット識別コードの中から選択されるので、４ｋ２ｋ映像データを無線伝送できる。
【図面の簡単な説明】
【００１８】
【図１】本発明の第１の実施形態に係る映像データの伝送方法を用いて映像データを伝送する無線通信システムの構成を示すブロック図である。
【図２】図１のＶＩＣ（Ｖｉｄｅｏ  ｆｏｒｍａｔ  Ｉｄｅｎｔｉｆｉｃａｔｉｏｎ  Ｃｏｄｅ）テーブル１１５ｔ及び１２７ｔの第１の部分を示す表である。
【図３】図１のＶＩＣテーブル１１５ｔ及び１２７ｔの第２の部分を示す表である。
【図４】図１のＶＩＣテーブル１１５ｔ及び１２７ｔの第３の部分を示す表である。
【図５】図１の無線通信システムの動作を示すシーケンス図である。
【図６】図５のデバイス能力要求メッセージ１のフォーマットを示す図である。
【図７】図６の要求タイプ領域１２を用いて要求されるデバイス能力のタイプを示す表である。
【図８】図５のデバイス能力応答メッセージ２のフォーマットを示す図である。
【図９】図５のデバイス能力応答メッセージ２と、デバイス情報メッセージ３と、入力フォーマット情報メッセージ５との関係を示す図である。
【図１０】図９のデバイス情報メッセージ３のフォーマットを示す図である。
【図１１】図９の入力フォーマット情報メッセージ５のフォーマットを示す図である。
【図１２】図１１のフォーマットタイプ領域５５に格納される値とフォーマットタイプとの関係を示す表である。
【図１３】図９の映像情報メッセージ２００のフォーマットを示す図である。
【図１４】図９の詳細タイミング情報メッセージ３００のフォーマットを示す図である。
【図１５】水平有効期間Ｈａｃｔｉｖｅ、水平ブランキング期間Ｈｂｌａｎｋ、水平周波数Ｈｆｒｅｑ、垂直有効期間Ｖａｃｔｉｖｅ、垂直ブランキング期間Ｖｂｌａｎｋ及び垂直周波数Ｖｆｒｅｑの各定義を示すタイミングチャートである。
【図１６】水平同期パルス前駆期間Ｈｆｒｏｎｔ、水平同期パルスＨｓｙｎｃ、水平同期パルス後駆期間Ｈｂａｃｋ、垂直同期パルス前駆期間Ｖｆｒｏｎｔ、垂直同期パルスＶｓｙｎｃ、及び垂直同期パルス後駆期間Ｖｂａｃｋの各定義を示すタイミングチャートである。
【図１７】図９の圧縮映像情報メッセージ４００のフォーマットを示す図である。
【図１８】図５のストリーム開始通知メッセージ８のフォーマットを示す図である。
【図１９】図１８のフォーマットタイプ領域９１に格納される値とフォーマットタイプとの関係を示す表である。
【図２０】図１８のストリーム開始通知メッセージ８にフォーマット領域９０として含まれる映像フォーマット領域５００のフォーマットを示す図である。
【図２１】図１８のストリーム開始通知メッセージ８にフォーマット領域９０として含まれる圧縮映像フォーマット領域６００のフォーマットを示す図である。
【図２２】図５の出力フォーマット通知メッセージ１０のフォーマットを示す図である。
【図２３】本発明の第２の実施形態に係る圧縮映像情報メッセージ４００Ａのフォーマットを示す図である。
【図２４】本発明の第３の実施形態に係る圧縮映像情報メッセージ４００Ｂのフォーマットを示す図である。
【図２５】本発明の第４の実施形態に係る圧縮映像情報メッセージ４００Ｃのフォーマットを示す図である。
【図２６】本発明の第５の実施形態に係る圧縮映像情報メッセージ４００Ｄの、Ｃ領域に１が格納されかつ圧縮フォーマット数領域４１４に０が格納されたときのフォーマットを示す図である。
【図２７】本発明の第５の実施形態に係る圧縮映像情報メッセージ４００Ｄの、Ｃ領域に１が格納され圧縮フォーマット数領域４１４にＮが格納されたときのフォーマットを示す図である。
【図２８】本発明の第６の実施形態に係る圧縮映像情報メッセージ４００Ｅの、ＣＭＭ（Ｃｏｍｐｒｅｓｓｉｏｎ  Ｍｅｔｈｏｄ  Ｍｕｌｔｉｐｌｅ）領域４１８に０ｂ０１が格納されたときのフォーマットを示す図である。
【図２９】本発明の第６の実施形態に係る圧縮映像情報メッセージ４００Ｅの、ＣＭＭ領域４１８に０ｂ１１が格納されたときのフォーマットを示す図である。
【図３０】本発明の第７の実施形態に係る圧縮映像情報メッセージ４００Ｆのフォーマットを示す図である。
【図３１】本発明の第８の実施形態に係る圧縮映像情報メッセージ４００Ｇのフォーマットを示す図である。
【図３２】本発明の第９の実施形態に係る圧縮映像情報メッセージ４００Ｈのフォーマットを示す図である。
【図３３】本発明の第１０の実施形態に係る圧縮映像情報メッセージ４００Ｉのフォーマットを示す図である。
【図３４】本発明の第１１の実施形態に係る圧縮映像情報メッセージ４００Ｊのフォーマットを示す図である。
【図３５】本発明の第１２の実施形態に係る詳細タイミング情報メッセージ３００Ａのフォーマットを示す図である。
【図３６】本発明の第１２及び第１３の実施形態において用いられる４ｋ２ｋ映像フォーマットのＶＩＣと各タイミング値との関係を示す表である
【図３７】本発明の第１３の実施形態に係る詳細タイミング情報メッセージ３００Ｂのフォーマットを示す図である。
【図３８】図３７の拡張領域ＩＤ領域３３１−１〜３３１−Ｊに格納される拡張領域ＩＤと領域名との関係を示す表である。
【図３９】本発明の第１４の実施形態において、図１１の入力フォーマット情報メッセージ５のフォーマットタイプ領域５５に格納される値とフォーマットタイプとの関係を示す表である。
【図４０】本発明の第１４の実施形態に係る拡張詳細タイミング情報メッセージ７００のフォーマットを示す図である。
【図４１】本発明の第１５の実施形態において、図１１の入力フォーマット情報メッセージ５のフォーマットタイプ領域５５に格納される値とフォーマットタイプとの関係を示す表である。
【図４２】本発明の第１５の実施形態に係る拡張解像度詳細タイミング情報メッセージ８００のフォーマットを示す図である。
【図４３】本発明の第１６の実施形態に係る圧縮映像フォーマット領域６００Ａのフォーマットを示す図である。
【図４４】図４３のＣ＿ＩＤ領域６０４に格納される値と圧縮方法との関係を示す表である。
【図４５】ソース機器１１０がシンク機器１２０に対してフォーマット情報を要求しないときの、シンク機器１２０によってイニシエートされる本発明の第１７の実施形態に係る機器接続処理を示すシーケンス図である。
【図４６】ソース機器１１０がシンク機器１２０に対してフォーマット情報を要求するときの、シンク機器１２０によってイニシエートされる本発明の第１７の実施形態に係る機器接続処理を示すシーケンス図である。
【図４７】本発明の第１８の実施形態に係るＶＩＣテーブル１１５ｔ及び１２７ｔの第１の部分を示す表である。
【図４８】本発明の第１８の実施形態に係るＶＩＣテーブル１１５ｔ及び１２７ｔの第２の部分を示す表である。
【発明を実施するための形態】
【００１９】
以下、本発明に係る実施形態について図面を参照して説明する。なお、以下の各実施形
態において、同様の構成要素については同一の符号を付している。
【００２０】
第１の実施形態．
図１は、本発明の第１の実施形態に係る映像データの伝送方法を用いて映像データを伝送する無線通信システムの構成を示すブロック図である。また、図２、図３及び図４は、図１のＶＩＣテーブル１１５ｔ及び１２７ｔを示す表である。なお、図１のソース機器１１０及びシンク機器１２０の各構成は、以下の第１〜第１７の実施形態に適用される。
【００２１】
図１において、本実施形態に係る無線通信システムは、ワイヤレスＨＤに準拠している。ＡＶコンテンツデータのソース機器として機能するソース機器１１０は、映像音声再生装置１１２と、パケット処理回路１１３と、アンテナ１１６を備えたパケット無線送受信回路１１４と、ＶＩＣテーブル１１５ｔをあらかじめ格納するメモリ１１５と、これらの装置及び回路１１２〜１１５の動作を制御するコントローラ１１１とを備えて構成される。映像音声再生装置１１２は、例えばＤＶＤプレーヤであって、外部の記憶装置又はＭＤ、ＤＶＤなどの記録媒体から映像データ及び音声データを再生してパケット処理回路１１３に出力する。ここで、映像データは従来の高精細解像度の映像データ（以下、ＨＤ映像データという。）、又は３８４０ピクセル又は４０９６ピクセルの有効水平画素数と２１６０ピクセルの有効垂直画素数とを有する４ｋ２ｋ映像データである。パケット処理回路１１３は入力される映像データ及び音声データを、ワイヤレスＨＤによって定義されたパケットの形式のデジタル信号に変換してパケット無線送受信回路１１４に出力する。このとき、パケット処理回路１１３は、入力される映像データがＨＤ映像データであるときには当該ＨＤ映像データを圧縮せずに上記デジタル信号に変換する一方、入力される映像データが４ｋ２ｋ映像データであるときには当該４ｋ２ｋ映像データを所定の第１の圧縮方法で圧縮して上記デジタル信号に変換する。パケット無線送受信回路１１４は入力されるデジタル信号に従って搬送波信号をデジタル変調し、変調後の無線信号を、アンテナ１１６を介してシンク機器１２０のパケット無線送受信回路１２２に無線送信する。一方、シンク機器１２０から無線送信される無線信号はアンテナ１１６を介してパケット無線送受信回路１１４によって受信され、パケット無線送受信回路１１４は受信された無線信号をベースバンド信号に復調した後、パケット処理回路１１３に出力する。パケット処理回路１１３は、入力されるベースバンド信号から所定のパケット分離処理により所定の制御コマンドのみを取り出した後にコントローラ１１１に出力する。
【００２２】
また、図１において、シンク機器１２０は、アンテナ１２８を備えたパケット無線送受信回路１２２と、パケット処理回路１２３と、映像音声処理回路１２４と、スピーカ１２５と、映像データを表示するディスプレイ１２６と、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）データ１２７ｄ及びＶＩＣテーブル１２７ｔをあらかじめ格納するメモリ１２７と、これらの回路等１２２〜１２４，１２７の動作を制御するコントローラ１２１と、バッファ１２９とを備えて構成される。また、コントローラ１２１は、無線ネットワークの使用帯域及び信号送出のタイミング制御を管理する帯域管理部１２１ｂを備えて構成される。パケット無線送受信回路１２２は、アンテナ１２８を介して受信された無線信号をベースバンド信号に復調した後、パケット処理回路１２３に出力する。パケット処理回路１２３は、入力されるデジタル信号から所定のパケット分離処理により映像データ、音声データ及び所定の制御コマンドのみを取り出すことにより受信されたパケットをデコードし、映像データ及び音声データを映像音声処理回路１２４に出力する一方、制御コマンドをコントローラ１２１に出力する。ここで、パケット処理回路１２３は、取り出された映像データが圧縮されている場合には、バッファ１２９を用いて当該映像データを伸張する。映像音声処理回路１２４は入力される音声データを所定の信号処理やＤ／Ａ変換処理を実行した後、スピーカ１２５に出力して音声の出力を行う一方、入力される映像データを所定の信号処理やＤ／Ａ変換処理を実行した後、ディスプレイ１２６に出力して表示する。
【００２３】
図２〜図４において、ＶＩＣテーブル１１５ｔ及び１２７ｔはそれぞれ、映像データの映像フォーマットを識別するための映像フォーマット識別子（ＶＩＣ）を含む。ここで、映像フォーマットは映像データの出力仕様のフォーマットを表し、映像データの有効垂直画素数及び有効水平画素数、走査方法（プログレッシブ（ｐ）又はインターレース（ｉ））、並びに垂直同期周波数（フィールドレートともいう。）の各情報を含む。本実施形態において、４８から５２の各ＶＩＣは、４ｋ２ｋ映像データの映像フォーマット（以下、４ｋ２ｋ映像フォーマットという。）に対して、以下のように割り当てられている。
【００２４】
（ａ）ＶＩＣの４８は、３８４０ピクセルの有効水平画素数と、２１６０ピクセルの有効垂直画素数と、プログレッシブスキャンである走査方法と、２３．９７Ｈｚ又は２４Ｈｚのフィールドレートとを有する４ｋ２ｋ映像フォーマットに割り当てられている。
（ｂ）ＶＩＣの４９は、３８４０ピクセルの有効水平画素数と、２１６０ピクセルの有効垂直画素数と、プログレッシブスキャンである走査方法と、２５Ｈｚのフィールドレートとを有する４ｋ２ｋ映像フォーマットに割り当てられている。
（ｃ）ＶＩＣの５０は、３８４０ピクセルの有効水平画素数と、２１６０ピクセルの有効垂直画素数と、プログレッシブスキャンである走査方法と、２９．９７Ｈｚ又は３０Ｈｚのフィールドレートとを有する４ｋ２ｋ映像フォーマットに割り当てられている。
（ｄ）ＶＩＣの５１は、４０９６ピクセルの有効水平画素数と、２１６０ピクセルの有効垂直画素数と、プログレッシブスキャンである走査方法と、２３．９７Ｈｚ又は２４Ｈｚのフィールドレートとを有する４ｋ２ｋ映像フォーマットに割り当てられている。
（ｅ）ＶＩＣの５２は、４０９６ピクセルの有効水平画素数と、２１６０ピクセルの有効垂直画素数と、プログレッシブスキャンである走査方法と、２５Ｈｚのフィールドレートとを有する４ｋ２ｋ映像フォーマットに割り当てられている。
【００２５】
なお、図２〜図４のＶＩＣのうち、「ａ」を付加したＶＩＣのモードは、出力インターフェースが複製された画素（ｒｅｐｌｉｃａｔｅｄ  ｐｉｘｅｌ）を必要とするときに用いられる。これらのＶＩＣを送信機（ソース機器１１０である。）で用いること及び受信機（シンク機器１２０である。）で映像画素の複製を行うことは、実装者の責任のもとで行われる。
【００２６】
図１において、ＥＤＩＤデータ１２７ｄは、ＶＩＣテーブル１２７ｔに含まれるＶＩＣのうちディスプレイ１２６を用いて表示可能な映像データの各ＶＩＣ、ディスプレイ１２６の製品情報及び製造者名、映像符号化方式（例えば、ＲＧＢ、ＹＣｂＣｒ４：４：４又はＹＣｂＣｒ４：２：２）及び音声出力サンプリング等の音声出力仕様（以下、音声フォーマットという。）等のデータを含む。
【００２７】
図５は、図１の無線通信システムの動作を示すシーケンス図である。まず始めに、ソース機器１１０とシンク機器１２０との間で、シンク機器１２０がサポートする映像フォーマットの情報及び音声フォーマットの情報をソース機器１１０が取得するためのデバイス能力取得処理（入力フォーマット取得処理）が実行される。デバイス能力取得処理において、ソース機器１１０は、シンク機器１２０のデバイス能力の情報を要求するデバイス能力要求（ＤＥＶＩＣＥ＿ＣＡＰＡＢＩＬＩＴＹ＿ＲＥＱＵＥＳＴ）メッセージ（デバイス情報要求メッセージともいう。）１をシンク機器１２０に無線送信する。これに応答して、シンク機器１２０は、シンク機器１２０のデバイス能力の情報を含むデバイス能力応答（ＤＥＶＩＣＥ＿ＣＡＰＡＢＩＬＩＴＹ＿ＲＥＳＰＯＮＳＥ）メッセージ（デバイス情報応答メッセージともいう。）２をソース機器１１０に無線送信する。
【００２８】
次に、図５において、ソース機器１１０とシンク機器１２０との間で、機器接続処理が行われる。本実施形態では、ソース機器１１０が機器接続処理、ポート予約処理及び帯域予約処理を起動（イニシエート）する。機器接続処理において、始めに、ソース機器１１０はワイヤレスＨＤに準拠した接続要求（ＣＯＮＮＥＣＴ＿ＲＥＱＵＥＳＴ）メッセージ６をシンク機器１２０に無線送信することにより、ＡＶデータをシンク機器１２０に送信するか否かを確認する。このとき、接続要求メッセージ６のＳビットは０にセットされ、ポート領域はソースポートを表すデータを格納する。シンク機器１２０は、接続要求メッセージ６を受信すると、ソース機器１１０からの接続要求に対する結果の情報を含むワイヤレスＨＤに準拠した接続応答（ＣＯＮＮＥＣＴ＿ＲＥＳＰＯＮＳＥ）メッセージ７をソース機器１１０に無線送信する。ここで、シンク機器１２０は、ソース機器１１０からの接続要求を受け入れるときは、接続応答メッセージ７の結果コード領域に「成功」を表すデータを格納し、シンクポート領域にＡＶデータ伝送のために予約されたシンクポートのデータを格納する。接続要求メッセージ６のＲＦビットに１がセットされている場合には、シンク機器１２０は、接続応答メッセージ７の所定の領域（総データ長領域、フォーマットタイプ領域、データ長領域及びフォーマットデータ領域）に、サポートされるフォーマットの情報を格納する。接続要求メッセージ６のＲＦビットに０がセットされている場合には、シンク機器１２０は、接続応答メッセージ７の総データ長領域に０を格納する。シンク機器１２０は、ソース機器１１０からの接続要求を拒否するときは、接続応答メッセージ７の結果コード領域に適切な理由を有する「失敗」を表すデータを格納する。
【００２９】
図５において、ソース機器１１０は、「成功」を示す接続応答メッセージ７を無線受信すると、ソース機器１１０からシンク機器１２０に映像データ及び音声データを含むＡＶコンテンツデータを伝送するための伝送帯域を確保するためのワイヤレスＨＤに準拠した帯域（リソース）予約処理を行う。帯域予約処理において、ソース機器１１０は、ＡＶデータを送信するための帯域を要求して予約するために帯域要求コマンドをシンク機器１２０に無線送信する。これに応答して、シンク機器１２０の帯域管理部１２１ｂは、ソース機器１１０からシンク機器１２０にＡＶコンテンツデータを送信するために必要な予約期間を割り当て、割り当てた予約期間の情報を含む期間指定コマンドをソース機器１１０に無線送信する。
【００３０】
さらに、図５において、ソース機器１１０は帯域予約処理を正常に終了すると、ストリーム開始通知メッセージ８をシンク機器１２０に無線送信する。このとき、ストリーム開始通知メッセージ８の結果コード領域８２（図１６参照。）には「成功」を表すデータが格納される。なお、ソース機器１１０は帯域予約処理に失敗すると、「失敗」を表すデータを格納した結果コード領域８２を含むストリーム開始通知メッセージ８をシンク機器１２０に無線送信する。なお、詳細後述するように、ストリーム開始通知メッセージ８は、シンク機器１２０に送信するＡＶデータの映像フォーマットの情報及び音声フォーマットの情報を含む。ＨＲＰ（Ｈｉｇｈ  Ｒａｔｅ  Ｐｈｙｓｉｃａｌ  ｌａｙｅｒ）ストリームが割り当てられると、ソース機器１１０は、シンク機器１２０から当該シンク機器１２０がデータを有するＨＲＰストリームのＨＲＰパケットを受信する準備ができたことを表すＡＣＫ（Ａｃｋｎｏｗｌｅｄｇｅｍｅｎｔ）信号を受信するまで、ＰＨＹ（Ｐｈｙｓｉｃａｌ  ｌａｙｅｒ）ヘッダ及びＭＡＣ（Ｍｅｄｉｕｍ  Ａｃｃｅｓｓ  Ｃｏｎｔｒｏｌ）ヘッダのみを含むＨＲＰパケットをシンク機器１２０に無線送信する。ソース機器１１０は、上記ＡＣＫ信号を受信すると、ＨＲＰパケットにＡＶデータを挿入してシンク機器１２０に無線送信する。
【００３１】
また、図５において、ソース機器１１０は、ＡＶデータの映像フォーマット及び音声フォーマットのうちの少なくとも一方が変更されたときに、当該変更された映像フォーマット及び音声フォーマットのＡＶデータをシンク機器１２０に無線送信する前に、変更された映像フォーマット及び音声フォーマットの情報を含む出力フォーマット通知メッセージ（ＯＵＴＰＵＴ＿ＦＯＲＭＡＴ＿ＮＯＴＩＦＹ）メッセージ１０を、シンク機器１２０に無線送信する。
【００３２】
図６は、図５のデバイス能力要求メッセージ１のフォーマットを示す図である。図６において、デバイス能力要求メッセージ１は、以下の各領域を含む。
（１）デバイス能力要求メッセージ１のタイプを表すデータを格納するオペコード領域１１。図６において、オペコード領域１１は、このデバイス能力要求メッセージ１がデバイス能力要求メッセージであることを表すデータを格納する。
（２）シンク機器１２０に対して要求するデバイス能力のタイプを表すビットマップデータを格納する要求タイプ領域１２。
（３）将来の利用のために予約されたリザーブ領域１３。
（４）デバイス能力要求メッセージ１から、オペコード領域１１と、要求タイプ領域１２と、リザーブ領域１３と、総メッセージ長領域１４とを除いた領域のデータ長を表すデータを格納する総メッセージ長領域１４。
（５）タイプ領域１６と、サブメッセージ長領域１７と、サブメッセージデータ領域１８とをそれぞれ含む少なくとも１つのサブメッセージ１５。
【００３３】
ただし、サブメッセージ１５において、タイプ領域１６はサブメッセージデータ領域１８に格納されるデータのタイプを表すデータを格納し、サブメッセージ長領域１７はサブメッセージデータ領域１８に格納されるデータのデータ長を表すデータを格納し、サブメッセージデータ領域１８は、タイプ領域１６に格納されたタイプのデータを格納する。さらに、デバイス能力要求メッセージ１には、デバイス能力要求メッセージ１の宛先機器のＩＤ及び送信元のソース機器１１０のＩＤのデータを含むヘッダ（図示せず。）が付加される。
【００３４】
図７は、図６の要求タイプ領域１２を用いて要求されるデバイス能力のタイプを示す表である。図７に示すように、要求タイプ領域１２を用いて要求されるデバイス能力のタイプは、デバイス情報と、デバイス名と、ＭＡＣアドレスと、入力フォーマット（サポートされるフォーマット（ｓｕｐｐｕｒｔｅｄ  ｆｏｒｍａｔ））情報と、ベンダー定義とを含む。例えば、ソース機器１１０は、シンク機器１２０に対して入力フォーマット情報を要求するときに、要求タイプ領域１２に格納されるビットマップデータの入力フォーマット情報に対応するビットに１をセットする。
【００３５】
図８は、図５のデバイス能力応答メッセージ２のフォーマットを示す図である。図８において、デバイス能力応答メッセージ２は以下の各領域を含む。
（１）デバイス能力応答メッセージ２のタイプを表すデータを格納するオペコード領域２１。図８において、オペコード領域２１は、このデバイス能力応答メッセージ２がデバイス能力応答メッセージであることを表すデータを格納する。
（２）デバイス能力応答メッセージ２から、オペコード領域２１と総メッセージ長領域２２とを除いた領域のデータ長を表すデータを格納する総メッセージ長領域２２。
（３）タイプ領域２４と、サブメッセージ長領域２５と、サブメッセージデータ領域２６とをそれぞれ含む少なくとも１つのサブメッセージ２３。
【００３６】
ただし、サブメッセージ２３において、タイプ領域２４はサブメッセージデータ領域２６に格納されるデータのタイプを表すデータを格納し、サブメッセージ長領域２５はサブメッセージデータ領域２６に格納されるデータのデータ長を表すデータを格納し、サブメッセージデータ領域２６は、タイプ領域２４に格納されたタイプのデータを格納する。以下、デバイス情報に対応するデータを格納するタイプ領域２４を含むサブメッセージ２３をデバイス情報メッセージ３といい、入力フォーマット情報に対応するデータを格納するタイプ領域２４を含むサブメッセージ２３を入力フォーマット情報メッセージ５という。なお、デバイス能力応答メッセージ２には、デバイス能力応答メッセージ２の宛先機器のＩＤ及び送信元のシンク機器１２０のＩＤを含むヘッダ（図示せず。）が付加される。
【００３７】
図９は、図５のデバイス能力応答メッセージ２と、デバイス情報メッセージ３と、入力フォーマット情報メッセージ５との関係を示す図である。シンク機器１２０は、受信したデバイス能力要求メッセージ１の要求タイプ領域１２に格納されたビットマップデータのデバイス情報に対応するビットが１にセットされているとき、デバイス能力応答メッセージ２の１つのサブメッセージ２３のタイプ領域２４にデバイス情報に対応するデータを格納し、当該サブメッセージ２３をデバイス情報メッセージ３としてソース機器１１０に無線送信する。また、シンク機器１２０は、受信したデバイス能力要求メッセージ１の要求タイプ領域１２に格納されたビットマップデータの入力フォーマット情報に対応するビットが１にセットされているとき、デバイス能力応答メッセージ２の１つのサブメッセージ２３のタイプ領域２４に入力フォーマット情報に対応するデータを格納し、当該サブメッセージ２３を入力フォーマット情報メッセージ５としてソース機器１１０に無線送信する。
【００３８】
図１０は、図９のデバイス情報メッセージ３のフォーマットを示す図である。図１０において、デバイス情報メッセージ３は、以下の各領域を含む。
（１）デバイス情報に対応するデータを格納するタイプ領域２４。
（２）デバイス情報メッセージ３からタイプ領域２４とサブメッセージ長領域２５とを除いた領域のデータ長を表すデータを格納するサブメッセージ長領域２５。
（３）テレビジョン放送受信機、ＤＶＤプレーヤ及びセットトップボックスなどのデバイスカテゴリを表すデータを格納するデバイスカテゴリ領域３１。
（４）規格のバージョンを表すデータを格納するバージョン領域３２。例えば、バージョン１．０又は１．０ａの場合は、バージョン領域３２は１を格納し、バージョン１．１の場合はバージョン領域３２には２を格納する。
（５）Ａ／Ｖタイプを表すビットマップデータを格納するＡ／Ｖタイプ領域３３。Ａ／Ｖタイプを表すビットマップデータのビット０（ＬＳＢ：Ｌｅａｓｔ  Ｓｉｇｎｉｆｉｃａｎｔ  Ｂｉｔ）は映像ソース機器の機能に割り当てられ、ビット１は映像シンク機器の機能に割り当てられ、ビット２は音声ソース機器の機能に割り当てられ、ビット３は音声シンク機器の機能に割り当てられている。ビットマップデータのビットの値が１にセットされているとき、機器が当該ビットに対応する機能をサポートしていることを示す一方、ビットの値が０にセットされているとき、機器が当該ビットに対応する機能をサポートしていないことを示す。
（６）高速送受信が可能な無線タイプなどの無線タイプを表すデータを格納する無線タイプ領域３４。
（７）ソース機器１１０が高速接続機能（ｆａｓｔ  ｃｏｎｎｅｃｔ  ｓｅｑｕｅｎｃｅ：ファーストコネクトシーケンス）をサポートしているか否かを表すデータを格納するＦＣ（Ｆａｓｔ  Ｃｏｎｎｅｃｔ）領域３５。ＦＣ領域３５は、ソース機器１１０が高速接続機能をサポートしているときに１を格納する一方、サポートしていないときに０を格納する。
（８）ソース機器１１０が所定の高速映像フォーマット適応機能（ｆａｓｔ  ｖｉｄｅｏ  ａｄａｐｔａｔｉｉｏｎ：ファーストビデオアダプテーション）をサポートしているか否かを表すデータを格納するＦＶ（Ｆａｓｔ  Ｖｉｄｅｏ）領域３６。ＦＶ領域３６は、ソース機器１１０が所定の高速映像フォーマット適応機能をサポートしているときに１を格納する一方、サポートしていないときに０を格納する。
（９）ソース機器１１０が所定の高速音声フォーマット適応機能（ｆａｓｔ  ａｕｄｉｏ  ａｄａｐｔａｔｉｉｏｎ：ファーストオーディオアダプテーション）をサポートしているか否かを表すデータを格納するＦＡ（Ｆａｓｔ  Ａｕｄｉｏ）領域３７。ＦＶ領域３７は、ソース機器１１０が所定の高速音声フォーマット適応機能をサポートしているときに１を格納する一方、サポートしていないときに０を格納する。
（１０）機器がＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）において規定されているパススルーモードをサポートしているか否かを表すデータを格納するＰＴ（Ｐａｓｓ  Ｔｈｒｏｕｇｈ）領域３８。ＰＴ領域３８は、機器がパススルーモードをサポートしているときに１を格納する一方、サポートしていないときに０を格納する。
（１１）機器がシンク機器でありかつ所定のコンテンツタイプ通知機能をサポートしているか否かを表すデータを格納するＣＦ（Ｃｏｎｔｅｎｔ  Ｆｌａｇ）領域３９。ＣＦ領域３９は、機器がコンテンツタイプ通知機能をサポートしているときに１を格納する一方、サポートしていないときに０を格納する。
（１２）機器がデバイス制御機能（ＤＥＶＣＴＲＬ）をサポートしているか否かを表すデータを格納するＤＣ（Ｄｅｖｉｃｅ  Ｃｏｎｔｒｏｌ）領域４０。ＤＣ領域４０は、機器がデバイス制御機能をサポートしているときに１を格納する一方、サポートしていないときに０を格納する。
（１３）機器が所定の色分割（クロマパーティショニング）をサポートしているか否かを表すデータを格納するＣＲ（Ｃｈｒｏｍａ）領域４１。ＣＲ領域４１は、機器が色分割をサポートしているときに１を格納する一方、サポートしていないときに０を格納する。
（１４）将来の利用のために予約されたリザーブ領域４３。
【００３９】
図１１は、図９の入力フォーマット情報メッセージ５のフォーマットを示す図である。図１１において、入力フォーマット情報メッセージ５は、以下の各領域を含む。
（１）入力フォーマット情報に対応するデータを格納するタイプ領域２４。
（２）入力フォーマット情報メッセージ５からタイプ領域２４とサブメッセージ長領域２５とを除いた領域のデータ長を表すデータを格納するサブメッセージ長領域２５。
（３）将来の利用のために予約されたリザーブ領域５３。
（４）フォーマットタイプ領域５５と、データ長領域５６と、フォーマットデータ領域５７とをそれぞれ含む少なくとも１つのフォーマットデータメッセージ５４。
【００４０】
ここで、各フォーマットデータメッセージ５４において、フォーマットタイプ領域５５はフォーマットデータ領域５７に格納されるデータのタイプを表すデータを格納し、データ長領域５６はフォーマットデータ領域５７に格納されるデータのデータ長を表すデータを格納し、フォーマットデータ領域５７はフォーマットタイプ領域５５に格納されたフォーマットタイプのデータを格納する。
【００４１】
図１２は、図１１のフォーマットタイプ領域５５に格納される値とフォーマットタイプとの関係を示す表である。図１２に示すように、フォーマットタイプ領域５５に格納される各値に対応するフォーマットタイプは、映像情報（ＶＩＤＥＯ＿ＩＮＦＯ）と、音声情報（ＡＵＤＩＯ＿ＩＮＦＯ）と、スピーカ配置情報（ＳＰＥＡＫＥＲ＿ＡＬＬＯＣＡＴＩＯＮ）と、詳細タイミング情報（ＤＥＴＡＩＬＥＤ＿ＴＩＭＩＮＧ＿ＩＮＦＯ）と、最大映像バッファ情報（ＭＡＸＩＭＵＭ＿ＶＩＤＥＯ＿ＢＵＦＦＥＲ）と、最大音声バッファ情報（ＭＡＸＩＭＵＭ＿ＡＵＤＩＯ＿ＢＵＦＦＥＲ）と、圧縮映像情報（ＣＯＤＥＤ＿ＶＩＤＥＯ＿ＩＮＦＯ）とを含む。以下、映像情報に対応する値（０ｘ０１）を格納するフォーマットタイプ領域５５を含むフォーマットデータメッセージ５４を映像情報メッセージ２００といい、詳細タイミング情報に対応する値（０ｘ０４）を格納するフォーマットタイプ領域５５を含むフォーマットデータメッセージ５４を詳細タイミング情報メッセージ３００といい、圧縮映像情報に対応する値（０ｘ０７）を格納するフォーマットタイプ領域５５を含むフォーマットデータメッセージ５４を圧縮映像情報メッセージ４００という（図９参照。）。なお、本明細書において、０ｘから始まる数値は１６進数を表し、０ｂから始まる数値は２進数を表す。
【００４２】
図１３は、図９の映像情報メッセージ２００のフォーマットを示す図である。図１３において、映像情報メッセージ２００は、以下の各領域を含む。
（１）映像情報に対応する値（０ｘ０１）を格納するフォーマットタイプ領域５５。
（２）映像情報メッセージ２００からフォーマットタイプ領域５５とデータ長領域５６とを除いた領域のデータ長を表すデータを格納するデータ長領域５６。
（３）サポートされる色空間を表すビットマップデータを格納する色空間領域２０１。色空間領域２０１に格納されるビットマップデータのビット０はＲＧＢに割り当てられ、ビット１はＹＣｂＣｒ４２２に割り当てられ、ビット２はＹＣｂＣｒ４４４に割り当てられ、ビット３は予備ビットである。ビットマップデータのビットの値が１にセットされているとき、当該ビットに対応する色空間がサポートされていることを示す一方、ビットの値が０にセットされているとき、当該ビットに対応する色空間がサポートされていないことを示す。
（４）機器がフルレンジ及びリミテッドレンジのＲＧＢ量子化のうちのいずれをサポートするか、及び機器がフルレンジ及びリミテッドレンジのＹＣｒＣｂ量子化のうちのいずれをサポートするかを表すビットマップデータを格納する量子化範囲（ＱＣ）領域２０２。量子化範囲の値はＩＥＣ６１９６６−２−１によって定義されている。量子化範囲領域２０２に格納されたビットマップデータのビット０が１であるときは、機器がフルレンジのＲＧＢ量子化をサポートしていることを示す一方、０であるときは、機器がリミテッドレンジのＲＧＢ量子化をサポートしていることを示す。また、量子化範囲領域２０２に格納されたビットマップデータのビット１が１であるときは、機器がフルレンジのＹＣｒＣｂ量子化をサポートしていることを示す一方、０であるときは、機器がリミテッドレンジのＹＣｒＣｂ量子化をサポートしていることを示す。量子化範囲領域２０２に格納されたビットマップデータのビット２及び３は予備ビットである。ソース機器１１０は、フルレンジのデータをサポートしていないシンク機器に対してフルレンジのデータを送信しない。アドビ（Ａｄｏｂｅ）６０１及びｓＹＣＣ６０１は、常にフルレンジである。
（５）サポートされるアスペクト比を表すビットマップデータを格納するＡＲ（Ａｓｐｅｃｔ  Ｒａｔｉｏ）領域２０３。ＡＲ領域２０３に格納されるビットマップデータのビット０は４：３のアスペクト比に割り当てられ、ビット１は１６：９のアスペクト比に割り当てられている。ビットマップデータのビットの値が１にセットされているとき、当該ビットに対応するアスペクト比がサポートされていることを示す一方、ビットの値が０にセットされているとき、当該ビットに対応するアスペクト比がサポートされていないことを示す。
（６）サポートされる色深度を表すビットマップデータを格納する色深度領域２０４。色深度領域２０４に格納されるビットマップデータのビット０は２４ビットの色深度に割り当てられ、ビット１は３０ビットの色深度に割り当てられ、ビット２は３６ビットの色深度に割り当てられ、ビット３は４８ビットの色深度に割り当てられ、ビット４及び５は予備ビットである。ビットマップデータのビットの値が１にセットされているとき、当該ビットに対応する色深度がサポートされていることを示す一方、ビットの値が０にセットされているとき、当該ビットに対応する色深度がサポートされていないことを示す。
（７）サポートされるカラリメトリ（Ｃｏｌｏｒｉｍｅｔｒｙ）を表すデータを格納するカラリメトリ領域２０５。カラリメトリ領域２０５に格納されるビットマップデータのビット０はＩＴＵ６０１／ＳＭＰＴＥ１７０Ｍに割り当てられ、ビット１はＩＴＵ７０９に割り当てられ、ビット２は標準の解像度の原色を用いるＩＥＣ６１９６６−２−４をサポートするためにｘｖＹＣＣ６０１に割り当てられ、ビット３は高精細の原色を用いるＩＥＣ６１９６６−２−４をサポートするためにｘｖＹＣＣ７０９に割り当てられ、ビット４は静止画像の原色を用いるＩＥＣ６１９６６−２−１−ａｍ１をサポートするためにｓＹＣＣ６０１に割り当てられ、ビット５は静止画像の原色を用いるＩＥＣ６１９６６−２−５（ＣＶＤ）をサポートするためにアドビＹＣＣ６０１に割り当てられ、ビット６はアドビＲＧＢに割り当てられ、ビット７は予備ビットである。ただし、シンク機器がＲＧＢ色空間をサポートしていないときは、カラリメトリ領域２０５に格納されるビットマップデータのビット６は０にセットされ、シンク機器がＹＣｂＣｒ色空間をサポートしていないときは、ビット２は０にセットされる。
（８）シンク機器１２０がサポートする映像フォーマットの総数Ｎ（Ｎは１以上の整数である。）を格納するフォーマット数領域２０６。
（９）シンク機器１２０がサポートする映像フォーマットのＶＩＣをそれぞれ格納するＮ個のＶＩＣ領域２０７−１〜２０７−Ｎ。
（１０）映像情報メッセージ２００のメッセージ長を所定のデータ長の単位（本実施形態において、３２ビットである。）の整数倍に揃えるために設けられるパディング領域２０８。
【００４３】
図１４は、図９の詳細タイミング情報メッセージ３００のフォーマットを示す図である。図１４において、詳細タイミング情報メッセージ３００は、以下の各領域を含む。
（１）詳細タイミング情報に対応する値（０ｘ０４）を格納するフォーマットタイプ領域５５。
（２）詳細タイミング情報メッセージ３００からフォーマットタイプ領域５５とデータ長領域５６とを除いた領域のデータ長を表すデータを格納するデータ長領域５６。
（３）詳細タイミング情報（Ｄｅｔａｉｌｅｄ  Ｔｉｍｉｎｇ  Ｉｎｆｏ）のＩＤ番号を格納するＩＤ領域３０２。
（４）ピクセルクロック周波数を格納するピクセルクロック領域３０４。
（５）水平有効期間Ｈａｃｔｉｖｅの有効画素数を格納する水平有効期間領域３０５。
（６）水平ブランキング期間（ブランク期間）Ｈｂｌａｎｋの画素数を格納する水平ブランキング期間領域３０７。
（７）垂直有効期間Ｖａｃｔｉｖｅの有効画素数を格納する垂直有効期間領域３０９。
（８）垂直ブランキング期間Ｖｂｌａｎｋの画素数を格納する垂直ブランキング期間領域３１１。
（９）水平同期パルスＨｓｙｎｃの水平ブランキング期間Ｈｂｌａｎｋの先頭からのオフセット期間である水平同期パルス前駆期間（水平同期オフセット期間）Ｈｆｒｏｎｔの長さを画素数で表した値を格納する水平同期オフセット領域３１３。
（１０）垂直同期パルスＶｓｙｎｃの垂直ブランキング期間Ｖｂｌａｎｋの先頭からのオフセット期間である垂直同期パルス前駆期間（垂直同期オフセット期間）Ｖｆｒｏｎｔの長さを画素数で表した値を格納する垂直同期オフセット領域３１４。
（１１）水平同期パルスＨｓｙｎｃのパルス幅を画素数で表した値を格納する水平同期パルス幅領域３１５。
（１２）垂直同期パルスＶｓｙｎｃのパルス幅を画素数で表した値を格納する垂直同期パルス幅領域３１６。
（１３）画像の水平方向のサイズをミリメートル単位で表した値を格納する水平画像サイズ領域３１７。
（１４）画像の垂直方向のサイズをミリメートル単位で表した値を格納する垂直画像サイズ領域３１９。
（１５）水平方向の境界を表すデータを格納する水平境界領域３２１。
（１６）垂直方向の境界を表すデータを格納する垂直境界領域３２２。
（１７）ステレオ映像に関わる情報を格納するフラグ領域３２３。
（１８）将来の利用のために予約されたリザーブ領域３０１，３０３，３０６，３０８，３１０，３１２，３１８，３２０及び３２４。
【００４４】
図１５は、水平有効期間Ｈａｃｔｉｖｅ、水平ブランキング期間Ｈｂｌａｎｋ、水平周波数Ｈｆｒｅｑ、垂直有効期間Ｖａｃｔｉｖｅ、垂直ブランキング期間Ｖｂｌａｎｋ及び垂直周波数Ｖｆｒｅｑの各定義を示すタイミングチャートであり、図１６は、水平同期パルス前駆期間Ｈｆｒｏｎｔ、水平同期パルスＨｓｙｎｃ、水平同期パルス後駆期間Ｈｂａｃｋ、垂直同期パルス前駆期間Ｖｆｒｏｎｔ、垂直同期パルスＶｓｙｎｃ、及び垂直同期パルス後駆期間Ｖｂａｃｋの各定義を示すタイミングチャートである。図１６において、データイネーブル信号（Ｄａｔａ  Ｅｎａｂｌｅ）は有効画素の開始及び終了タイミングを示し、水平同期信号ＨＳは水平同期パルスＨｓｙｎｃを伝送し、垂直同期信号ＶＳは垂直同期パルスＶｓｙｎｃを伝送する。また、水平同期パルス前駆期間Ｈｆｒｏｎｔは水平ブランキング期間Ｈｂｌａｎｋの中の水平同期信号ＨＳがハイレベルになる前の期間であり、水平同期パルスＨｓｙｎｃは水平同期信号ＨＳがハイレベルを有する期間であり、水平同期パルス後駆期間Ｈｂａｃｋは水平ブランキング期間Ｈｂｌａｎｋの中の水平同期パルスＨｓｙｎｃの後の水平同期信号ＨＳがローレベルを有する期間である。さらに、垂直同期パルス前駆期間Ｖｆｒｏｎｔは垂直ブランキング期間Ｖｂｌａｎｋの中で垂直同期信号ＶＳがハイレベルになる前の期間であり、水力同期パルスＶｓｙｎｃ垂直同期信号ＶＳがハイレベルを有する期間であり、垂直同期パルス後駆期間Ｖｂａｃｋは垂直ブランキング期間Ｖｂｌａｎｋの中の垂直同期パルスＶｓｙｎｃの後の垂直同期信号ＶＳがローレベルを有する期間である。
【００４５】
図１７は、図９の圧縮映像情報メッセージ４００のフォーマットを示す図である。図１７において、圧縮映像情報メッセージ４００は、以下の各領域を含む。
（１）圧縮映像情報に対応する値（０ｘ０７）を格納するフォーマットタイプ領域５５。
（２）圧縮映像情報メッセージ４００からフォーマットタイプ領域５５とデータ長領域５６とを除いた領域のデータ長を表すデータを格納するデータ長領域５６。
（３）将来の利用のために予約されたリザーブ領域４０１。
（４）シンク機器１２０において処理可能な最小のサブスライスサイズを表すデータをオクテット単位で格納する最小サブスライスサイズ（Ｍｉｎｉｍｕｍ  Ｓｕｂ−Ｓｌｉｃｅ  Ｓｉｚｅ）領域４０２。
（５）シンク機器１２０がバッファリング可能なスライス数の最大値を表すデータを格納する最大未処理スライス数（Ｍａｘｉｍｕｍ  Ｓｌｉｃｅｓ  Ｏｕｔｓｔａｎｄｉｎｇ）領域４０３。
（６）圧縮された映像データのために割り当てられたシンク機器１２０のバッファ１２９の最大サイズを表すデータをオクテット単位で格納する最大総圧縮映像バッファサイズ（Ｍａｘｉｍｕｍ  Ｔｏｔａｌ  Ｃｏｄｅｄ  Ｖｉｄｅｏ  Ｂｕｆｆｅｒ  Ｓｉｚｅ）領域４０４。
（７）シンク機器１２０が圧縮された映像データのためにバッファリング可能な最大の時間長を表すデータを格納する最大総圧縮映像バッファ時間（Ｍａｘｉｍｕｍ  Ｔｏｔａｌ  Ｃｏｄｅｄ  Ｖｉｄｅｏ  Ｂｕｆｆｅｒ  Ｔｉｍｅ）領域４０５。
【００４６】
図１７において、領域４０２〜４０５にそれぞれ格納される各パラメータは、ソース機器１１０において映像データを所定の第１の圧縮方法で圧縮するときに用いられる圧縮用パラメータである。なお、シンク機器１２０は、圧縮映像データを伸張できるときには圧縮映像情報メッセージ４００をソース機器１１０に送信する一方、圧縮映像データを伸張できないときには圧縮映像情報メッセージ４００をソース機器１１０に送信しない。
【００４７】
図１８は、図５のストリーム開始通知メッセージ８のフォーマットを示す図である。ストリーム開始通知メッセージ８は、ソース機器１１０からシンク機器１２０に対して図５の帯域予約処理の結果及びＡＶデータの出力フォーマット（すなわち、ＡＶデータに含まれる映像データの映像フォーマット及び音声データの音声フォーマットである。）を通知するために用いられる。図１８において、ストリーム開始通知メッセージ８は、以下の各領域を含む。
（１）ストリーム開始通知メッセージ８のオペレーションコードを格納するオペコード領域８１。
（２）図５の帯域予約処理が成功したか否か（ストリームの送信が正常に開始されるか否か）を表すデータを格納する結果コード領域８２。
（３）図５の帯域予約処理においてＭＡＣ層から得られた（又は、割り当てられた）ストリームインデックスを格納するストリームインデックス領域８３。
（４）ＡＶデータの伝送のために予約されたシンクポート番号を格納するシンクポート領域８４。
（５）シンクポート及びソースポートが映像データのために用いられるときには１を格納し、シンクポート及びソースポートが映像データのために用いられないときには０を格納するＶＰ領域８５。
（６）シンクポート及びソースポートが音声データのために用いられるときには１を格納し、シンクポート及びソースポートが音声データのために用いられないときには０を格納するＡＰ領域８６。
（７）ＡＶデータの伝送のために予約されたソースポート番号を格納するソースポート領域８７。
（８）将来の利用ために予約されたリザーブ領域８８。
（９）ストリーム開始通知メッセージ８からオペコード領域８１と総データ長領域８９とを除いた領域のデータ長を表すデータを格納する総データ長領域８９。
（１０）フォーマットタイプ領域９１と、バージョン領域９２と、データ長領域９３と、フォーマットデータ領域９４とをそれぞれ含む少なくとも１つのフォーマット領域９０。
【００４８】
ここで、各フォーマット領域９０において、フォーマットタイプ領域９１はフォーマットデータ領域９４に格納されるデータのタイプを表すデータを格納し、バージョン領域９２はフォーマットデータ領域９４の規格のバージョン番号を格納し、データ長領域９３はフォーマットデータ領域９４に格納されるデータのデータ長を表すデータを格納し、フォーマットデータ領域９４はフォーマットタイプ領域９１に格納されたフォーマットタイプのデータを格納する。
【００４９】
図１９は、図１８のフォーマットタイプ領域９１に格納される値とフォーマットタイプとの関係を示す表である。図１９に示すように、フォーマットタイプ領域９１に格納される各値に対応するフォーマットタイプは、映像フォーマット情報と、音声フォーマット情報と、色域メタデータ（Ｇａｍｕｔ  Ｍｅｔａｄａｔａ）情報と、ベンダー依存情報と、詳細タイミング情報と、最大映像バッファ情報と、最大音声バッファ情報と、圧縮映像情報とを含む。以下、映像フォーマット情報に対応する値（０ｘ０１）を格納するフォーマットタイプ領域９１を含むフォーマット領域９０を映像フォーマット領域５００といい、圧縮映像情報に対応する値（０ｘ０７）を格納するフォーマットタイプ領域９１を含むフォーマット領域９０を圧縮映像フォーマット領域６００という。
【００５０】
図２０は、図１８のストリーム開始通知メッセージ８にフォーマット領域９０として含まれる映像フォーマット領域５００のフォーマットを示す図である。図２０において、映像フォーマット領域５００は、以下の各領域を含む。
（１）映像フォーマット情報に対応する値（０ｘ００）を格納するフォーマットタイプ領域９１。
（２）以下の領域５０１〜５１２の規格のバージョン番号を格納するバージョン領域９２。
（３）映像フォーマット領域５００からフォーマットタイプ領域９１と、バージョン領域９２と、データ長領域９３とを除いた領域のデータ長を表すデータを格納するデータ長領域９３。
（４）送信される映像データの映像フォーマットを表すＶＩＣを格納するＶＩＣ領域５０１。
（５）送信される映像データのカラーフォーマットのタイプを表すデータを格納するＣＳ（Ｃｏｌｏｒ  Ｓｐａｃｅ：色空間）領域５０２。ＣＳ領域５０２は、カラーフォーマットのタイプがＲＧＢであるときは０を格納し、ＹＣｂＣｒ４２２であるときは１を格納し、ＹＣｂＣｒ４４４であるときは２を格納する。３から７までの間の値は、予備の値である。
（６）送信される映像データの色深度のビット数を格納するＣＤ（Ｃｏｌｏｒ  Ｄｅｐｔｈ：色深度）領域５０３。ＣＤ領域５０３は、色深度が２４ビットであるときは０を格納し、３０ビットであるときは１を格納し、３６ビットであるときは２を格納し、４８ビットであるときは３を格納する。４から７までの間の値は、予備の値である。
（７）送信される映像のアスペクト比を表すデータを格納するＰＡＲ（Ｐｉｃｔｕｒｅ  Ａｓｐｅｃｔ  Ｒａｔｉｏ：映像アスペクト比）領域５０４。ＰＡＲ領域５０４は、映像アスペクト比が４：３であるときは９を格納し、１６：９であるときは１０を格納し、１４：９であるときは１１を格納する。１から８までの間の値及び１２から１５までの間の値は、予備の値である。
【００５１】
（８）送信される映像データのカラリメトリ情報（ＩＴＵＢＴ．６０１及びＢＴ．７０９など。）を格納するＣＭ（Ｃｏｌｏｒｉｍｅｔｒｙ：カラリメトリ）領域２０５。ＣＭ領域２０５は、カラリメトリのデータがないときは０を格納し、カラリメトリがＩＴＵ６０１／ＳＭＰＴＥ１７０Ｍであるときは１を格納し、ＩＴＵ７０９であるときは２を格納し、ｘｖＹＣＣ６０１であるときは３を格納し、ｘｖＹＣＣ７０９であるときは４を格納し、ｓＹＣＣ６０１であるときは８を格納し、アドビＹＣＣ６０１であるときは９を格納し、アドビＲＧＢであるときは１０を格納する。５から７までの間の値及び１１から１５までの間の値は、予備の値である。
ソース機器１１０は、典型的には、送信される映像フォーマットに関する所定のデフォルトのカラリメトリを用いる。ＣＭ領域２０５にカラリメトリを表す値が格納されていない場合、送信される信号のカラリメトリは送信される映像フォーマットに関するデフォルトのカラリメトリと一致する。
図２〜図４のＶＩＣテーブル１１５ｔ，１２７ｔ内の、４８０ライン、５７６ライン、２４０ライン及び２８８ラインの映像フォーマットのデフォルトのカラリメトリはＳＭＰＴＥ１７０Ｍに基づく。図２〜図４のＶＩＣテーブル１１５ｔ，１２７ｔ内の７２０ライン及び１０８０ラインの高精細の映像フォーマットのデフォルトのカラリメトリはＩＴＵ７０９に基づく。その他の映像フォーマットのデフォルトのカラリメトリはｓＲＧＢに基づく。
シンク機器１２０がｘｖＹＣＣ６０１、ｘｖＹＣＣ７０９又はｓＹＣＣ６０１をサポートしていないときは、ソース機器１１０はできるだけｘｖＹＣＣで符号化された映像データ又はｓＹＣＣ６０１の映像データを送信せず、ＣＭ領域２０５にｘｖＹＣＣ６０１、ｘｖＹＣＣ７０９及びｓＹＣＣ６０１を表す値を格納しない。
ＣＳ領域５０２にＹＣｂＣｒ４４４又はＹＣｂＣｒ４２２を表すデータが格納されるときは、ソース機器１１０はＣＭ領域２０５にアドビＲＧＢを表す値を格納しない。
後述するＣＦ（Ｃｏｎｔｅｎｔ  Ｆｌａｇ）領域５０７において定義される写真モードのデフォルトのカラリメトリはｓＹＣＣ６０１に基づいており、ｓＹＣＣ６０１、アドビＹＣＣ６０１及びアドビＲＧＢのうちから選択される１つのカラリメトリである。アドビＲＧＢはＲＧＢ色空間の構成要素であるが、ＣＳ領域５０２に格納された値が０であるときは、アドビＲＧＢを表す値が選択される。
シンク機器１２０がアドビＹＣＣ６０１又はアドビＲＧＢをサポートしていないときには、ソース機器１１０はアドビのカラリメトリで符号化された写真ソースデータを送信せず、ＣＭ領域２０５にアドビＹＣＣ６０１及びアドビＲＧＢを表す値を格納しない。
【００５２】
（９）送信される映像データの有効画素のアスペクト比を表すデータを格納するＡＦＡＲ（Ａｃｔｉｖｅ  Ｆｏｒｍａｔ  Ａｓｐｅｃｔ  Ｒａｔｉｏ）領域５０６。ＡＦＡＲ領域５０６は、映像データの有効画素のアスペクト比が４：３であるときは０を格納し、１６：９であるときは１０を格納し、１４：９であるときは１１を格納する。０から８までの間の値及び１２から１５までの間の値は、予備の値である。
【００５３】
（１０）サポートされるコンテンツの分類（タイプ）を表すデータを格納するＣＦ（Ｃｏｎｔｅｎｔ  Ｆｌａｇ）領域５０７。ＣＦ領域５０７は、映像データのコンテンツがデフォルトであるときは０を格納し、テキスト（Ｔｅｘｔ）であるときは８を格納し、写真（Ｐｈｏｔｏ）であるときは９を格納し、映画（Ｃｉｎｅｍａ）であるときは１０を格納し、ゲーム（Ｇａｍｅ）であるときは１１を格納する。１から７までの間の値及び１２から１５までの間の値は予備の値である。
ＣＦ領域５０７に格納される値は、コンテンツに基づいており、機器のタイプには基づいていない。例えば、動画を再生できるディジタルスチルカメラ、録画されたテレビジョン放送の番組を再生できるＤＶＤプレーヤ及び映画を再生できるゲーム機が存在する。しかしながら、ＣＦ領域５０７に格納されるコンテンツのタイプは以下のように定義される。
テキスト：ビットマップテキストを示す。シンク機器１２０は、フィルタされていないアナログの再構築（ａｎａｌｏｇ  ｒｅｃｏｎｓｔｒｕｃｔｉｏｎ）なしの結果を表示する。
写真：静止画像を示す。ＣＦ領域５０７が写真を表す値を格納しているとき、ＣＭ領域５０５はｓＹＣＣ６０１、アドビ６０１又はアドビＲＧＢを表す値を格納し、後述するＱＲ（Ｑｕａｎｔｉｚａｔｉｏｎ  Ｒａｎｇｅ）領域５０８はフルレンジを表す値を格納する。ソース機器１１０は、シンク機器１２０によってサポートされていないカラリメトリを有するコンテンツのデータをシンク機器１２０に送信しない。シンク機器１２０は、シンク機器１２０の画像強調（ｐｉｃｔｕｒｅ  ｅｎｈａｎｃｅｍｅｎｔ）の度合いを減少させる。このとき、スケーリングはディスプレイの解像度以下である。
映画：映画ソースデータを示す。シンク機器１２０は、シンク機器１２０の画像強調の度合いを減少させる。音声はＡＶアンプ又はテレビジョン放送受信機のスピーカにリンクされる。
ゲーム：ゲームソースデータを示す。シンク機器１２０は、シンク機器１２０の画像強調の度合いを減少させる。音声のレイテンシは最小化される。
【００５４】
（１１）送信される映像データの量子化（ビット）範囲を表すデータを格納するＱＲ（Ｑｕａｎｔｉｚａｔｉｏｎ  Ｒａｎｇｅ：量子化範囲）領域５０８。ＱＲ領域５０８は、量子化範囲が映像フォーマットに応じて決められたデフォルトの量子化範囲であるときは０を格納し、リミテッドレンジであるときは１を格納し、フルレンジであるときは２を格納する。
３は予備の値である。
ソース機器１１０は、シンク機器１２０によってサポートされていない量子化範囲の映像データをシンク機器１２０に送信しない。幾つかの映像フォーマットにおいて、使用可能なＱＲ領域５０８に格納可能な量子化範囲は以下のように制限されている。
ＲＧＢ映像フォーマット：「リミテッドレンジ」又は「フルレンジ」。
ＹＣｂＣｒ映像フォーマット：「リミテッドレンジ」。
ＶＧＡ（６４０×４８０）、ｓＹＣＣ６０１及びアドビ６０１映像フォーマット：「フルレンジ」。
【００５５】
（１２）送信される映像データのタイミング情報として詳細タイミング情報（ＤＥＴＡＩＬＥＤ＿ＴＩＭＩＮＧ＿ＩＮＦＯ）が用いられるときは１を格納する一方、用いられないときは０を格納するＤ（Ｄｅｔａｉｌｅｄ  Ｔｉｍｉｎｇ  Ｉｎｆｏｒｍａｔｉｏｎ）領域５０９。
（１３）Ｄ領域５０９に１が格納されているときには詳細タイミング情報のＩＤを格納する一方、０が格納されているときには０を格納するＩＤ（ＩＤ  ｏｆ  Ｄｅｔａｉｌｅｄ  Ｔｉｍｉｎｇ  Ｉｎｆｏｒｍａｔｉｏｎ領域５１０。
（１４）映像フォーマットのパーティションモードを表すデータを格納するＰＭ（Ｐａｒｔｉｔｉｏｎ  Ｍｏｄｅ）領域５１１。ＰＭ領域５１１は、パーティションモードが２ｘ２であるときは０ｂ０００を格納し、１ｘ１であるときは０ｂ００１を格納し１ｘ２であるときは０ｂ０１０を格納し、２ｘ１であるときは０ｂ０１１を格納し、２ｘ４であるときは０ｂ１００を格納し、４ｘ２であるときは０ｂ１０１を格納し、４ｘ４であるときは０ｂ１１０を格納し、２ｘ２クロマであるときは０ｂ１１１を格納する。
（１５）将来の利用ために予約されたリザーブ領域５１２。
【００５６】
図２１は、図１８のストリーム開始通知メッセージ８にフォーマット領域９０として含まれる圧縮映像フォーマット領域６００のフォーマットを示す図である。図２１において、圧縮映像フォーマット領域６００は、以下の各領域を含む。
（１）圧縮映像フォーマット情報に対応する値（０ｘ０７）を格納するフォーマットタイプ領域９１。
（２）バージョン番号０ｘ０１を格納するバージョン領域９２。
（３）以下の領域６０１〜６０３の総データ長を表すデータを格納するデータ長領域９３。
（４）送信される映像データが圧縮されているときに１を格納する一方、送信される映像データが圧縮されていないときに０を格納するＡ（Ａｃｔｉｖｅ）領域６０１。
（５）パーティショニングモードが用いられるときに１を格納し、用いられない時に０を格納するＰ（Ｐａｒｔｉｔｉｏｎ  Ｍｏｄｅ）領域６０２。
（６）将来の利用ために予約されたリザーブ領域６０３。
【００５７】
図２２は、図５の出力フォーマット通知メッセージ１０のフォーマットを示す図である。ソース機器１１０は、ＡＶデータをシンク機器１２０に送信する前に、及び、ＡＶデータの映像フォーマット及び音声フォーマットのうちの少なくとも一方が変化されたときに、送信するＡＶデータの映像フォーマット及び音声フォーマットを含む出力フォーマット通知メッセージ１０を、シンク機器１２０に送信する。図２２において、出力フォーマット通知メッセージ１０は、以下の各領域を含む。
（１）出力フォーマット通知メッセージ１０のオペレーションコードを格納するオペコード領域１０１。
（２）ＡＶデータの伝送のために予約されたシンクポート番号を格納するシンクポート領域１０２。
（３）シンクポート及びソースポートが映像データのために用いられるときには１を格納し、シンクポート及びソースポートが映像データのために用いられないときには０を格納するＶＰ領域１０３。
（４）シンクポート及びソースポートが音声データのために用いられるときには１を格納し、シンクポート及びソースポートが音声データのために用いられないときには０を格納するＡＰ領域１０４。
（５）ＡＶデータの伝送のために予約されたソースポート番号を格納するソースポート領域１０５。
（６）出力フォーマット通知メッセージ１０からオペコード領域１０１と総データ長領域１０７を除いた領域のデータ長を表すデータを格納する総データ長領域１０７。
（７）将来の利用ために予約されたリザーブ領域１０６及び１０８。
（８）フォーマットタイプ領域９１と、バージョン領域９２と、データ長領域９３と、フォーマットデータ領域９４とをそれぞれ含む少なくとも１つのフォーマット領域９０。なお、図２２において、フォーマット領域９０は、図８のストリーム開始通知メッセージ８のフォーマット領域９０と同様に構成される。
【００５８】
次に、図５を参照して、ソース機器１１０がシンク機器１２０に圧縮映像データを含むＡＶデータを送信するときの図１の無線通信システムの動作を説明する。まず、ソース機器１１０は、デバイス能力要求メッセージ１の１つのサブメッセージ１５のタイプ領域１６に「入力フォーマット情報」を表すデータを格納して（図６及び図７参照。）シンク機器１２０に送信することにより、シンク機器１２０に対してシンク機器１２０がサポートする入力フォーマットの情報を要求する。これに応答して、シンク機器１２０は、映像情報メッセージ２００と圧縮映像情報メッセージ４００とを含む入力フォーマット情報メッセージ５を含むデバイス能力応答メッセージ２（図９参照。）をソース機器１１０に送信する。ここで、映像情報メッセージ２００は、ＥＤＩＤデータ１２７ｄに含まれるシンク機器１２０がサポートする映像フォーマットのＶＩＣを含む。また、圧縮映像情報メッセージ４００は、ソース機器１１０において映像データを所定の第１の圧縮方法で圧縮するときに用いられる圧縮用パラメータを含む。ここで、圧縮用パラメータは、シンク機器１２０において処理可能な最小のサブスライスサイズと、シンク機器１２０がバッファリング可能なスライス数の最大値と、圧縮された映像データのために割り当てられたシンク機器１２０のバッファ１２９の最大サイズを表すデータと、シンク機器１２０が圧縮された映像データのためにバッファリング可能な最大の時間長とを含む。
【００５９】
さらに、図５において、ソース機器１１０はデバイス能力応答メッセージ２を受信すると、受信されたデバイス能力応答メッセージ２の映像情報メッセージ２００に含まれるＶＩＣの中から１つのＶＩＣを選択し、ＶＩＣテーブル１１５ｔを参照して、選択されたＶＩＣの映像フォーマットを識別する。また、ソース機器１１０は、デバイス能力応答メッセージ２が圧縮映像情報メッセージ４００を含むか否かに基づいて、シンク機器１２０において圧縮映像データを伸張できるか否かを判断する。そして、パケット処理回路１１３は、映像音声再生装置１１２からの映像データに基づいて、識別された映像フォーマットの映像データを生成する。さらに、パケット処理回路１１３は、生成された映像データを、受信された圧縮映像情報メッセージ４００に含まれる圧縮用パラメータを用いて所定の第１の圧縮方法で圧縮して圧縮映像データを生成する。そして、パケット処理回路１１３は、圧縮映像データ及び入力される音声データを、ワイヤレスＨＤによって定義されたパケットの形式のデジタル信号に変換してパケット無線送受信回路１１４に出力する。
【００６０】
さらに、図５において、帯域予約処理の後に、ソース機器１１０は、（ａ）送信する圧縮映像データの映像フォーマットを識別するＶＩＣを格納したＶＩＣ領域５０１を含む映像フォーマット領域５００（図２０参照。）と、（ｂ）送信する映像データが圧縮されていることを表す値（１である。）を格納するＡ領域６０１を含む圧縮映像フォーマット領域６００（図２１参照。）とを含むストリーム開始通知メッセージ８（図１８参照。）を、シンク機器１２０に送信する。そして、ソース機器１１０は、パケット無線送受信回路１１４に対して、パケット処理回路１１３からのデジタル信号を、ＡＶデータＤ１としてシンク機器１２０に向けて無線送信するように制御する。
【００６１】
一方、シンク機器１２０は、受信したストリーム開始通知メッセージ８内の映像フォーマット領域５００に基づいて、受信される映像データのＶＩＣを識別し、識別されたＶＩＣに基づいてＶＩＣテーブル１２７ｔを参照して、受信される映像データの映像フォーマットを識別する。さらに、シンク機器１２０は、ストリーム開始通知メッセージ８内の圧縮映像フォーマット領域６００に基づいて、受信される映像データが所定の第１の圧縮方法で圧縮されていることを識別する。そして、シンク機器１２０において、パケット処理回路１２３は、ソース機器１１０から受信されたデジタル信号から所定のパケット分離処理により圧縮映像データ及び音声データを取り出し、圧縮映像データをソース機器１１０において用いられた所定の第１の圧縮方法に対応する所定の伸長方法で伸張する。さらに、パケット処理回路１２３は、伸張された映像データを識別された映像フォーマットに従ってデコードしてディスプレイ１２５に出力する。
【００６２】
また、ソース機器１１０は、ＡＶデータＤ１の映像フォーマット及び音声フォーマットのうちの少なくとも一方が変更されときに、当該変更後映像フォーマット及び音声フォーマットを有するＡＶデータＤ２をシンク機器１２０に送信する前に、（ａ）送信する圧縮映像データの映像フォーマットを識別するＶＩＣを格納したＶＩＣ領域５０１を含む映像フォーマット領域５００（図２０参照。）と、（ｂ）映像データが圧縮されていることを示す値（１である。）を格納するＡ領域６０１を含む圧縮映像フォーマット領域６００（図２１参照。）とを含む出力フォーマット通知メッセージ１０を、シンク機器１２０に無線送信する。これに応答して、シンク機器１２０は、出力フォーマット通知メッセージ１０に基づいて、受信される映像データのＶＩＣを識別し、受信される映像データが所定の第１の圧縮方法で圧縮されていることを識別する。そして、シンク機器１２０において、パケット処理回路１２３は、ソース機器１１０から受信されたデジタル信号から所定のパケット分離処理により圧縮映像データ及び音声データを取り出し、圧縮映像データをソース機器１１０において用いられた所定の第１の圧縮方法に対応する所定の伸長方法で伸張する。さらに、パケット処理回路１２３は、伸張された映像データを識別されたＶＩＣの映像フォーマットに従ってデコードしてディスプレイ１２５に出力する。
【００６３】
従来技術に係るワイヤレスＨＤでは、ＶＩＣは４ｋ２ｋ映像データに割り当てられていなかったので、シンク機器１２０はデバイス能力応答メッセージ２に含まれる映像情報メッセージ２００を用いて、４ｋ２ｋ映像データを表示可能であることをソース機器１１０に通知できなかった。また、ソース機器１１０は、ストリーム開始通知メッセージ８又は出力フォーマット通知メッセージ１０を用いて、送信する映像データの映像フォーマットは４ｋ２ｋ映像フォーマットであるということをシンク機器１２０に通知できなかった。従って、ソース機器１１０からシンク機器１２０に４ｋ２ｋ映像データを無線送信できなかった。
【００６４】
しかしながら、本実施形態によれば、ＶＩＣの４８から５２を４ｋ２ｋ映像フォーマットに割り当てたので、シンク機器１２０はデバイス能力応答メッセージ２に含まれる映像情報メッセージ２００を用いて、４ｋ２ｋ映像データを表示可能であることをソース機器１１０に通知できる。さらに、ソース機器１１０は、ストリーム開始通知メッセージ８又は出力フォーマット通知メッセージ１０を用いて、送信する映像データの映像フォーマットは４ｋ２ｋ映像フォーマットであるということをシンク機器１２０に通知できる。このため、ソース機器１１０からシンク機器１２０に４ｋ２ｋ映像データを無線送信できる。
【００６５】
また、従来技術に係るワイヤレスＨＤは非圧縮の映像データを伝送するために策定された。しかしながら、無線通信の帯域幅などの制約により、４ｋ２ｋ映像データをワイヤレスＨＤに従ってそのまま圧縮せずに送信することは困難であり、映像データを圧縮する必要がある。本実施形態によれば、従来技術に比較して、入力フォーマット情報メッセージのフォーマットタイプ領域５５に格納される値に圧縮映像情報を表す値（０ｘ０７）を追加した（図１２参照。）ので、シンク機器１２０は、ソース機器１１０において映像データを所定の第１の圧縮方法で圧縮する時に用いられる圧縮用パラメータを含む圧縮映像情報メッセージ４００を含むデバイス能力応答メッセージ２を、シンク機器１２０に対して送信できる。これにより、ソース機器１１０は受信された圧縮用パラメータを用いて映像データを圧縮できる。さらに、従来技術に比較して、ストリーム開始通知メッセージ８及び出力フォーマット通知メッセージ１０のフォーマットタイプ領域９１に格納される値に圧縮映像情報を表す値（０ｘ０７）を追加した（図１９参照。）ので、ソース機器１１０は、圧縮映像フォーマット領域６００を含むストリーム開始通知メッセージ８又は出力フォーマット通知メッセージ１０を用いて、映像データが圧縮されていることをシンク機器１２０に通知できる。これに応答して、シンク機器１２０は受信された圧縮映像データを伸張できる。従って、ソース機器１１０からシンク機器１２０に圧縮された４ｋ２ｋ映像データを無線送信できる。
【００６６】
第２の実施形態．
図２３は、本発明の第２の実施形態に係る圧縮映像情報メッセージ４００Ａのフォーマットを示す図である。図２３において、圧縮映像情報メッセージ４００Ａは、以下の各領域を含む。
（１）圧縮映像情報に対応する値（０ｘ０７）を格納するフォーマットタイプ領域５５。
（２）圧縮映像情報メッセージ４００からフォーマットタイプ領域５５とデータ長領域５６とを除いた領域のデータ長を表すデータを格納するデータ長領域５６。
（３）ＶＩＣテーブル１２７ｔに含まれるＶＩＣのうちの少なくとも１つの所定の必須の（マンダトリ）ＶＩＣの映像データが第１、第２又は第３の圧縮方法で圧縮されているときに、シンク機器１２０が当該圧縮された映像データを伸張できるか否かを表すフラグデータを格納するＣ領域４０６。なお、本実施形態及び以下の各実施形態において、必須のＶＩＣは４ｋ２ｋ映像フォーマットのＶＩＣ（４８，４９，５０，５１及び５２）である。
（４）将来の利用のために予約されたリザーブ領域４０７。
（５）シンク機器１２０がサポートする圧縮方法（コーデック）を表す８ビットのビットマップデータを格納する圧縮方法ビットマップ領域４０８。圧縮方法を表すビットマップデータのビット０は第１の圧縮方法に割り当てられ、ビット１は第２の圧縮方法に割り当てられ、ビット２は第３の圧縮方法に割り当てられている。ビット３からビット８は予備ビットである。圧縮方法を表すビットマップデータのビットの値が１にセットされているとき、当該ビットに対応する圧縮方法で圧縮された圧縮映像データをシンク機器１２０が伸張できることを示す一方、ビットの値が０にセットされているとき、当該ビットに対応する圧縮方法で圧縮された圧縮映像データをシンク機器１２０が伸張できないことを示す。
【００６７】
シンク機器１２０は、第１の実施形態係る圧縮映像情報メッセージ４００を用いて、伸張できる圧縮映像データのＶＩＣ及び圧縮方法をソース機器１１０に通知できない。しかしながら、本実施形態によれば、圧縮映像情報メッセージ４００はＣ領域４０６と圧縮方法ビットマップ領域４０８とを含むので、シンク機器１２０は、Ｃ領域４０６に格納されるフラグデータの値を１にセットすることにより、上述した必須のＶＩＣの映像データを第１〜第３の圧縮方法で圧縮した各圧縮映像データをそれぞれ伸張できるか否かを、ソース機器１１０に通知できる。
【００６８】
第３の実施形態．
図２４は、本発明の第３の実施形態に係る圧縮映像情報メッセージ４００Ｂのフォーマットを示す図である。本実施形態に係る圧縮映像情報メッセージＢは、第２の実施形態に係る圧縮映像情報メッセージ４００Ａに比較して、圧縮方法ビットマップ４０８に格納されたビットマップデータによって示されたシンク機器１２０がサポートする圧縮方法で圧縮された圧縮映像データのうち、シンク機器１２０が伸張可能な圧縮映像データのＶＩＣをそれぞれ格納するＶＩＣ領域４０９−１，４０９−２，…，４０９−Ｎ（Ｎは１以上の整数である。）をさらに含むことを特徴としている。なお、図２４において、Ｃ領域４０６は、ＶＩＣテーブル１２７ｔに含まれるＶＩＣのうちの少なくとも１つのＶＩＣの第１、第２又は第３の圧縮方法で圧縮された圧縮映像データをシンク機器１２０が伸張できるときにフラグデータ（１）を格納し、ＶＩＣテーブル１２７ｔに含まれる全てのＶＩＣの第１、第２又は第３の圧縮方法で圧縮された圧縮映像データをシンク機器１２０が伸張できないときにフラグデータ（０）を格納する。
【００６９】
第２の実施形態では、シンク機器１２０は、圧縮映像情報メッセージ４００Ａを用いて、シンク機器１２０において伸張可能な必須のＶＩＣの圧縮映像データの圧縮方法のみをソース機器１１０に通知できたが、本実施形態によれば、シンク機器１２０は、圧縮映像情報メッセージ４００Ｂを用いて、シンク機器１２０において伸張可能なＶＩＣテーブル１２７ｔに含まれる任意のＶＩＣの圧縮映像データの圧縮方法をソース機器１１０に通知することができる。
【００７０】
第４の実施形態．
図２５は、本発明の第４の実施形態に係る圧縮映像情報メッセージ４００Ｃのフォーマットを示す図である。本実施形態に係る圧縮映像情報メッセージ４００Ｃは、第３の実施形態に係る圧縮映像情報メッセージ４００Ｂに比較して、以下の点が異なる。
（１）リザーブ領域４０７及び圧縮方法ビットマップ領域４０８に代えて、将来の利用のために予約されたリザーブ領域４１０を含む。
（２）ＶＩＣ領域４０９−１〜４０９−Ｎに代えて、Ｎ個のＶＩＣ領域４１１−ｎ（ｎ＝１，２，…，Ｎ）と、各ＶＩＣ領域４１１−ｎに対応して設けられた圧縮方法ビットマップ領域４１２−ｎ（ｎ＝１，２，…，Ｎ）とを含む。
【００７１】
なお、図２５において、Ｃ領域４０６は、シンク機器１２０が圧縮映像データを伸張できるときにフラグデータ（１）を格納し、伸張できないときにフラグデータ（０）を格納する。また、各圧縮方法ビットマップ領域４１２−ｎは、対応するＶＩＣ領域４１１−ｎに格納されたＶＩＣの圧縮映像データのシンク機器１２０がサポートする圧縮方法を表すビットマップデータを格納する。ここで、ＶＩＣ領域４１１−ｎに格納されるビットマップデータは、図２１及び図２２の圧縮方法ビットマップ領域４０８に格納されるビットマップデータと同様に構成される。
【００７２】
本実施形態に係る圧縮映像情報メッセージ４００Ｃは、第３の実施形態に比較して、Ｎ組のＶＩＣ領域４１１−ｎ及び圧縮方法ビットマップ領域４１２−ｎをさらに含むので、シンク機器１２０がＶＩＣ毎に異なる圧縮方法をサポートしている場合でも、シンク機器１２０がサポートする全ての圧縮映像データのＶＩＣ及び圧縮方法の組み合わせをソース機器１１０に通知できる。
【００７３】
第５の実施形態．
図２６は、本発明の第５の実施形態に係る圧縮映像情報メッセージ４００Ｄの、Ｃ領域に１が格納されかつ圧縮フォーマット数領域４１４に０が格納されたときのフォーマットを示す図である。また、図２７は、本発明の第５の実施形態に係る圧縮映像情報メッセージ４００Ｄの、Ｃ領域に１が格納され圧縮フォーマット数領域４１４にＮが格納されたときのフォーマットを示す図である。図２６及び図２７において、圧縮映像情報メッセージ４００Ｄは、図２５の圧縮映像情報メッセージ４００Ｃのフォーマットタイプ領域５５と、データ長領域５６と、Ｃ領域４０６とに加えて、以下の各領域を含む。
【００７４】
（１）将来の利用のために予約されたリザーブ領域４１３。
（２）シンク機器１２０において伸張可能な圧縮映像データのＶＩＣと圧縮方法の組み合わせの総数Ｎを格納する圧縮フォーマット数領域４１４。
（３）Ｎ組のＶＩＣ領域４１５−ｎ（ｎ＝１，２，…，Ｎ）と、各ＶＩＣ領域４１５−ｎに対応して設けられた圧縮方法識別子領域４１６−ｎ及びリザーブ領域４１７−ｎ。ここで、ＶＩＣ領域４１５−ｎは、シンク機器１２０において伸張可能な圧縮映像データのＶＩＣを格納する。また、圧縮方法識別子領域４１６−ｎは、ＶＩＣ領域４１５−ｎに格納されたＶＩＣの圧縮映像データの圧縮方法のうちシンク機器１２０がサポートする圧縮方法を識別する圧縮方法識別子を格納する。
【００７５】
ここで、圧縮方法識別子は以下のように定義される。
圧縮せず：圧縮方法識別子＝０ｂ００００；
第１の圧縮方法：圧縮方法識別子＝０ｂ０００１；
第２の圧縮方法：圧縮方法識別子＝０ｂ００１０；
第３の圧縮方法：圧縮方法識別子＝０ｂ００１１；
圧縮方法識別子０ｂ０１００〜０ｂ１１１１は将来のための予備の圧縮方法識別子である。
【００７６】
シンク機器１２０が圧縮映像データを伸張できない場合には、Ｃ領域４０６には０がセットされる。また、シンク機器１２０が所定の必須の圧縮方法で圧縮された上述した必須のＶＩＣの圧縮映像データのみを伸張できる場合には、図２６に示すように、Ｃ領域４０６に１がセットされ、かつ圧縮フォーマット数領域４１４に０がセットされる。ここで、本実施形態及び以下の各実施形態において、必須の圧縮方法は第１の圧縮方法である。
【００７７】
さらに、シンク機器１２０が必須の圧縮方法で圧縮された圧縮映像データ及びその他のオプションとして規定された第２又は第３の圧縮方法で圧縮された圧縮映像データを伸張できる場合には、図２７に示すように、圧縮フォーマット数領域４１４は、１以上の整数Ｎを格納する。
【００７８】
以上説明したように、本実施形態によれば、シンク機器１２０は、圧縮映像情報メッセージ４００Ｄを用いて、圧縮映像データを伸張できること、及び、伸張可能な全ての圧縮映像データのＶＩＣ及び圧縮方法識別子の組み合わせを、ソース機器１１０に対して通知することができる。
【００７９】
第６の実施形態．
図２８は、本発明の第６の実施形態に係る圧縮映像情報メッセージ４００Ｅの、ＣＭＭ（Ｃｏｍｐｒｅｓｓｉｏｎ  Ｍｅｔｈｏｄ  Ｍｕｌｔｉｐｌｅ）領域４１８に０ｂ０１が格納されたときのフォーマットを示す図である。また、図２９は、本発明の第６の実施形態に係る圧縮映像情報メッセージ４００Ｅの、ＣＭＭ領域４１８に０ｂ１１が格納されたときのフォーマットを示す図である。
【００８０】
本実施形態に係る圧縮映像情報メッセージ４００Ｅは、第５の実施形態に係る圧縮映像情報メッセージ４００Ｄに比較して、以下の点が異なる。
（１）リザーブ領域４１３に代えて、圧縮映像情報メッセージ４００Ｅが以下のＶＩＣビットマップ領域４２６を含むか否かを表すデータを格納するＣＭＭ領域４１８と、リザーブ領域４１９とを含む。
（２）ＣＭＭ領域４１８に０ｂ０１が格納されているときに圧縮方法識別子ビットマップ領域４２４及びリザーブ領域４２５をさらに含み、ＣＭＭ領域４１８に０ｂ１１が格納されているときに圧縮方法識別子ビットマップ領域４２４、リザーブ領域４２５及びＶＩＣビットマップ領域４２６をさらに含むこと。
【００８１】
図２８に示すようにＣＭＭ領域１１０１に０ｂ０１が格納された場合は、圧縮方法識別子ビットマップ領域４２４は、全てのＶＩＣ領域４１５−１〜４１５−Ｎに格納されるＶＩＣの圧縮映像データについて、共通にサポートされる圧縮方法を表すビットマップデータを格納する。ここで、圧縮方法識別子ビットマップ領域４２４に格納されるビットマップデータの各ビットには、上述した各圧縮方法識別子が割り当てられる。また、ビットマップデータのビットの値が１にセットされているとき、当該ビットに対応する圧縮方法がサポートされていることを示す一方、ビットの値が０にセットされているとき、当該ビットに対応する圧縮方法がサポートされていないことを示す。
【００８２】
また、図２９に示すように、ＣＭＭ領域１１０１に０ｂ１１が格納された場合は、圧縮映像情報メッセージ４００ＥはＶＩＣビットマップ領域４２６をさらに含む。ここで、ＶＩＣビットマップ領域４２６は、圧縮方法ビットマップ領域４２４に格納されたビットマップデータの１にセットされた各ビットに対応する各圧縮方法で圧縮された圧縮映像データについて、共通にサポートされるＶＩＣを表すビットマップデータを格納する。ここで、ＶＩＣビットマップ領域４２６に格納されるビットマップデータの各ビットには、ＶＩＣテーブル１２７ｔに含まれるＶＩＣの値（図２、図３及び図４参照）が降順に割り当てられる。このとき、シンク機器１２０は、図２９の圧縮映像情報メッセージ４００Ｅを用いて、ＶＩＣビットマップ領域４２６内で１にセットされた各ビットに対応するＶＩＣの映像データに対して、圧縮方法ビットマップ領域４２４で１にセットされた各圧縮方法がサポートされることを、ソース機器１１０に通知する。
【００８３】
以上説明したように、本実施形態によれば、シンク機器１２０は、圧縮映像情報メッセージ４００Ｅを用いて、シンク機器１２０がソース機器１１０に対して、圧縮映像データを伸張できること、及び、伸張可能な全ての圧縮映像データのＶＩＣ及び圧縮方法識別子の組み合わせを通知することができる。
【００８４】
第７の実施形態．
図３０は、本発明の第７の実施形態に係る圧縮映像情報メッセージ４００Ｆのフォーマットを示す図である。本実施形態に係る圧縮映像情報メッセージ４００Ｆは、第５の実施形態に係る圧縮映像情報メッセージ４００Ｄ（図２７参照。）に比較して、以下の点が異なる。
（１）圧縮フォーマット数領域４１４に代えて、シンク機器１２０において伸張可能な圧縮映像データのＶＩＣの総数Ｎを格納するＶＩＣ数領域４２７を含む。
（２）Ｎ組のＶＩＣ領域４１５−ｎ、圧縮方法識別子領域４１６−ｎ及びリザーブ領域４１７−ｎに代えて、シンク機器１２０において伸張可能な圧縮映像データのＮ個のＶＩＣをそれぞれ格納するＶＩＣ領域４２８−１，…，４２８−Ｎと、ＶＩＣ領域４２８−１，…，４２８−Ｎに対応して設けられた圧縮方法識別子数領域４２９−１，…，４２９−Ｎと、各圧縮方法識別子数領域４２９−１，…，４２９−Ｎの後に設けられかつ各圧縮方法識別子数領域４２９−１，…，４２９−Ｎに格納された数Ｍ１，…，ＭＮと同数の圧縮方法識別子領域４３０−１−１，…，４３０−１−Ｍ１，…，４３０−Ｎ−１，…，４３０−Ｎ−ＭＮとを含む。
【００８５】
図３０において、ＶＩＣ数領域４２７は、シンク機器１２０において伸張可能な圧縮映像データのＶＩＣの総数Ｎを格納する。また、ＶＩＣ領域４２８−１，…，４２８−Ｎはそれぞれ、シンク機器１２０において伸張可能な圧縮映像データのＶＩＣを格納する。各圧縮方法識別子数領域４２９−ｎ（ｎ＝１，２，…，Ｎ）は、後に続く圧縮方法識別子の数を示す値Ｍｎを格納する。各圧縮方法識別子領域４３０−ｎ−ｍｎ（ｍ＝１，２，…，Ｍ）は、ＶＩＣ領域４２８−ｎに格納されたＶＩＣの圧縮映像データのうちシンク機器１２０がサポートする圧縮方法の圧縮方法識別子をそれぞれ格納する。なお、本実施形態において圧縮方法識別子は第５の実施形態と同様に定義される。
【００８６】
以上説明したように、本実施形態によれば、シンク機器１２０は、圧縮映像情報メッセージ４００Ｆを用いて、シンク機器１２０がソース機器１１０に対して、圧縮映像データを伸張できること、及び、伸張可能な全ての圧縮映像データのＶＩＣ及び圧縮方法識別子の組み合わせを通知することができる。
【００８７】
第８の実施形態．
図３１は、本発明の第８の実施形態に係る圧縮映像情報メッセージ４００Ｇのフォーマットを示す図である。本実施形態に係る圧縮映像情報メッセージ４００Ｇは、第７の実施形態に係る圧縮映像情報メッセージ４００Ｆに比較して、圧縮方法識別子数領域４２９−ｎ（ｎ＝１，２，…，Ｎ）及び圧縮方法識別子領域４３０−ｎ−ｍｎ（ｍ＝１，２，…，Ｍ）に代えて、ＶＩＣ領域４２８−１，…，４２８−Ｎに対応して設けられた圧縮方法ビットマップ領域４３１−１，…，４３１−Ｎ及びリザーブ領域４３２−１，…，４３２−Ｎを含む点が異なる。
【００８８】
図３１において、各圧縮方法ビットマップ領域４３１−ｎ（ｎ＝１，２，…，Ｎ）は、ＶＩＣ領域４２８−ｎに格納されたＶＩＣの圧縮映像データの圧縮方法のうちシンク機器１２０がサポートする圧縮方法を表すビットマップデータを格納する。圧縮方法ビットマップ領域４３１−ｎに格納されるビットマップデータは、図２５の圧縮方法ビットマップ領域４１２−ｎと同様に構成される。
【００８９】
以上説明したように、本実施形態によれば、シンク機器１２０は、圧縮映像情報メッセージ４００Ｇを用いて、シンク機器１２０がソース機器１１０に対して、圧縮映像データを伸張できること、及び、伸張可能な全ての圧縮映像データのＶＩＣ及び圧縮方法識別子の組み合わせを通知することができる。
【００９０】
第９の実施形態．
図３２は、本発明の第９の実施形態に係る圧縮映像情報メッセージ４００Ｈのフォーマットを示す図である。本実施形態は第５の実施形態に係る圧縮映像情報メッセージ４００Ｄに比較して、以下の点が異なる。
（１）圧縮フォーマット数領域４１４に代えて、シンク機器１２０において伸張可能な圧縮映像データの圧縮方法の総数Ｍを格納する圧縮方法数領域４３３を含む。
（２）Ｎ組のＶＩＣ領域４１５−ｎ、圧縮方法識別子領域４１６−ｎ及びリザーブ領域４１７−ｎに代えて、シンク機器１２０において伸張可能な圧縮映像データの圧縮方法の圧縮方法識別子をそれぞれ格納する圧縮方法識別子領域４３４−１，…，４３４−Ｍと、圧縮方法識別子領域４３４−１，…，４３４−Ｍに対応して設けられたリザーブ領域４３５−１，…，４３５−Ｍと、圧縮方法識別子領域４３４−１，…，４３４−Ｍに対応して設けられたＶＩＣ数領域４３６−１，…，４３６−Ｍと、各ＶＩＣ数領域４３６−１，…，４３６−Ｍの後に設けられかつ各ＶＩＣ数領域４３６−１，…，４３６−Ｍに格納された数Ｍ１，…，ＭＮと同数のＶＩＣ領域４３７−１−１，…，４３７−１−Ｍ１，…，４３７−Ｎ−１，…，４３７−Ｎ−ＭＮとを含む。
【００９１】
図３２において、圧縮方法数領域４３３は、シンク機器１２０において伸張可能な圧縮映像データの圧縮方法の総数Ｍを格納する。また、各圧縮方法識別子領域４３４−ｍは、シンク機器１２０において伸張可能な圧縮映像データの圧縮方法の第５の実施形態と同様に定義された圧縮方法識別子を格納する。各ＶＩＣ数領域４３６−ｍは、対応する圧縮方法識別子領域４３４−ｍに格納された値に対応する圧縮方法によって圧縮された圧縮映像データのうちシンク機器１２０がサポートするＶＩＣの総数Ｍｎを格納する。さらに、各ＶＩＣ領域４３７−ｍ−ｍｎは、圧縮方法識別子領域４３４−ｍに格納された値に対応する圧縮方法によって圧縮された圧縮映像データのうちシンク機器１２０がサポートするＶＩＣ。
【００９２】
以上説明したように、本実施形態によれば、シンク機器１２０は、圧縮映像情報メッセージ４００Ｈを用いて、シンク機器１２０がソース機器１１０に対して、圧縮映像データを伸張できること、及び、伸張可能な全ての圧縮映像データのＶＩＣ及び圧縮方法識別子の組み合わせを通知することができる。
【００９３】
第１０の実施形態．
図３３は、本発明の第１０の実施形態に係る圧縮映像情報メッセージ４００Ｉのフォーマットを示す図である。本実施形態は第９の実施形態に係る圧縮映像情報メッセージ４００Ｈに比較して、圧縮方法識別子領域４３４−ｍ（ｍ＝１，２，…，Ｍ）に対応して設けられたリザーブ領域４３９−ｍ及びＶＩＣビットマップ領域４３８−ｍを含む点が異なる。
【００９４】
図３３において、各ＶＩＣビットマップ領域４３８−ｍは、対応する圧縮方法識別子領域４３４−ｍに格納された値に対応する圧縮方法によって圧縮された圧縮映像データのうちシンク機器１２０がサポートするＶＩＣを表すビットマップデータを格納する。ここで、ＶＩＣビットマップ領域４３８−ｍに格納されるビットマップデータは、第６の実施形態のＶＩＣビットマップ領域４２６（図２９参照。）に格納されるビットマップデータと同様に構成さる。
【００９５】
以上説明したように、本実施形態によれば、シンク機器１２０は、圧縮映像情報メッセージ４００Ｉを用いて、シンク機器１２０がソース機器１１０に対して、圧縮映像データを伸張できること、及び、伸張可能な全ての圧縮映像データのＶＩＣ及び圧縮方法識別子の組み合わせを通知することができる。
【００９６】
第１１の実施形態．
図３４は、本発明の第１１の実施形態に係る圧縮映像情報メッセージ４００Ｊのフォーマットを示す図である。本実施形態は第５の実施形態に係る圧縮映像情報メッセージ４００Ｄに比較して、以下の点が異なる。
（１）圧縮フォーマット数領域４１４に代えて、シンク機器１２０において伸張可能な圧縮映像データの圧縮方法とＶＩＣとの組み合わせの総数Ｌを格納する圧縮映像フォーマット識別子数領域４３９を含む。
（２）Ｎ組のＶＩＣ領域４１５−ｎ、圧縮方法識別子領域４１６−ｎ及びリザーブ領域４１７−ｎに代えて、圧縮方法とＶＩＣとの組み合わせを識別する圧縮映像フォーマット識別子（以下、圧縮ＶＩＣという。）をそれぞれ格納する圧縮映像フォーマット識別子数領域４４０−１，…，４４０−Ｌを含むこと。
【００９７】
本実施形態において、圧縮方法とＶＩＣとの組み合わせ毎に１つの圧縮ＶＩＣを割り当てる。本実施形態において、圧縮ＶＩＣは以下のように定義される。
圧縮ＶＩＣ＝「１」：圧縮方法は第１の圧縮方法でありＶＩＣは４８（３８４０ｘ２１６０ｐ、２３．９７／２４Ｈｚ）である。
圧縮ＶＩＣ＝「２」：圧縮方法は第１の圧縮方法でありＶＩＣは４９（３８４０ｘ２１６０ｐ、２５Ｈｚ）である。
圧縮ＶＩＣ＝「３」：圧縮方法は第１の圧縮方法でありＶＩＣは５０（３８４０ｘ２１６０ｐ、２９．９７／３０Ｈｚ）である。
圧縮ＶＩＣ＝「４」：圧縮方法は第１の圧縮方法でありＶＩＣは５１（４０９６ｘ２１６０ｐ、２３．９７／２４Ｈｚ）である。
圧縮ＶＩＣ＝「５」：圧縮方法は第１の圧縮方法でありＶＩＣは５２（４０９６ｘ２１６０ｐ、２５Ｈｚ）である。
【００９８】
シンク機器１２０は、上記圧縮ＶＩＣのうち、サポートするＬ個の圧縮ＶＩＣの値を圧縮ＶＩＣ領域４４０−１，…，４４０−Ｌにそれぞれ格納する。
【００９９】
また、圧縮ＶＩＣを図２、図３及び図４のＶＩＣとして定義しなおしてもよい。例えば、ＶＩＣの４８から５２を、第１の圧縮方法で圧縮された映像データのＶＩＣにそれぞれ割り当ててもよい。例えば、圧縮映像データのＶＩＣとしては以下のように割り当ててもよい。
【０１００】
ＶＩＣ＝「４８」：３８４０ｘ２１６０ｐ、２３．９７／２４Ｈｚ、第１の圧縮方法；
ＶＩＣ＝「４９」：３８４０ｘ２１６０ｐ、２５Ｈｚ、第１の圧縮方法；
ＶＩＣ＝「５０」：３８４０ｘ２１６０ｐ、２９．９７／３０Ｈｚ、第１の圧縮方法；
ＶＩＣ＝「５１」：４０９６ｘ２１６０ｐ、２３．９７／２４Ｈｚ、第１の圧縮方法；
ＶＩＣ＝「５２」：４０９６ｘ２１６０ｐ、２５Ｈｚ、第１の圧縮方法。
【０１０１】
この場合、シンク機器１２０は第１の圧縮方法をサポートしている場合、デバイス能力応答メッセージ２内の映像情報メッセージ２００に含まれるＶＩＣ領域２０７−１，２０７−２，…，２０８−Ｎ（図１３参照。）に４８から５２までの値をそれぞれ格納し、ソース機器１１０に送信する。ソース機器１１０は、デバイス能力応答メッセージ２内の映像情報メッセージ２００のＶＩＣ領域２０７−１，２０７−２，…，２０８−Ｎに４８から５２が格納されていることを検出し、ソース機器１１０からシンク機器１２０に第１の圧縮方法で圧縮されたコンテンツデータの圧縮映像データを送信する。
【０１０２】
以上説明したように、本実施形態によれば、シンク機器１２０は、圧縮映像情報メッセージ４００Ｊを用いて、シンク機器１２０がソース機器１１０に対して、圧縮映像データを伸張できること、及び、伸張可能な全ての圧縮映像データのＶＩＣ及び圧縮方法識別子の組み合わせを通知することができる。
【０１０３】
第１２の実施形態．
図３５は、本発明の第１２の実施形態に係る詳細タイミング情報メッセージ３００Ａのフォーマットを示す図である。また、図３６は、本発明の第１２及び第１３の実施形態において用いられる４ｋ２ｋ映像フォーマットのＶＩＣと各タイミング値との関係を示す表である。なお、図３６の４つのＶＩＣは、図２〜図４のＶＩＣテーブル１１５ｔ及び１２７ｔの予備のＶＩＣに割り当てられている。また、図３６の各タイミング値は、ソース機器１１０とシンク機器１２０との間又はシンク機器１２０内の各ＩＣ（Ｉｎｔｅｇｒａｔｅｄ  Ｃｉｒｃｕｉｔ）間で４ｋ２ｋ映像データを伝送するときに用いられる。本実施形態に係る詳細タイミング情報メッセージ３００Ａは、第１の実施形態に係る詳細タイミング情報メッセージ３００（図１４参照。）に比較して、リザーブ領域３０１に代えて拡張領域３２５とリザーブ領域３２６とを含み、リザーブ領域３０６に代えて水平有効期間上位ビット領域３２７を含む点が異なる。
【０１０４】
図３５において、拡張領域３２５は、水平有効期間Ｈａｃｔｉｖｅの有効画素数を格納する水平有効期間領域３０５を水平有効期間上位ビット領域３２７まで拡張するか否か（水平有効期間上位ビット領域３２７に格納されたデータが有効か否か）を表すデータを格納する。拡張領域３２５に０が格納されたときは、水平有効期間領域３０５は水平有効期間上位ビット領域３２７まで拡張されず、水平有効期間領域３０５は水平有効期間Ｈａｃｔｉｖｅの有効画素数を１２ビットのデータとして格納し、水平有効期間上位ビット領域３２７に格納されるデータは無視される。一方、拡張領域３２５に１が格納されたときは、水平有効期間領域３０５は水平有効期間上位ビット領域３２７まで拡張され、水平有効期間領域３０５は水平有効期間Ｈａｃｔｉｖｅの有効画素数の下位１２ビットのデータを格納し、水平有効期間上位ビット領域３２７は水平有効期間Ｈａｃｔｉｖｅの有効画素数の上位４ビットのデータを格納する。
【０１０５】
第１の実施形態に係る詳細タイミング情報メッセージ３００によれば、水平有効期間領域３０１のサイズは１２ビットであるので、シンク機器１２０はソース機器１１０に対して、０ピクセルから４０９５ピクセルまでの値を有する水平有効期間Ｈａｃｔｉｖｅの有効画素数しか通知できなかった。このため、図３６のＶＩＣ（Ｄ）の４ｋ２ｋ映像フォーマットのように水平有効期間の有効画素数が４０９６であるときには、当該有効画素数を、詳細タイミング情報メッセージ３００を用いてシンク機器１２０からソース機器１１０に通知できなかった。しかしながら、本実施形態によれば、４０９６を２進数で表現した１３ビットの数値「１００００００００００００（下位１２ビットが０である。）」の下位１２ビットの数値「００００００００００００（１２個の０である。）」は水平有効期間領域３０５に格納され、上位ビットの数値「０００１（上位３ビットが０で、最下位ビットが１）」は水平有効期間上位ビット領域３２７に格納される。このため、本実施形態によれば、水平有効期間Ｈａｃｔｉｖｅの有効画素数のビット数が１３ビット以上であっても、シンク機器１２０はソース機器１１０に当該有効画素数を通知できる。
【０１０６】
第１３の実施形態．
図３７は、本発明の第１３の実施形態に係る詳細タイミング情報メッセージ３００Ｂのフォーマットを示す図である。また、図３８は、図３７の拡張領域ＩＤ領域３３１−１〜３３１−Ｊに格納される拡張領域ＩＤと領域名との関係を示す表である。本実施形態に係る詳細タイミング情報メッセージ３００Ｂは、第１の実施形態に係る詳細タイミング情報メッセージ３００（図１４参照。）に比較して、以下の点が異なる。
（１）リザーブ領域３０１に代えて、詳細タイミング情報メッセージ３００Ｂの領域３０４，３０５，３０７，３０９，３１１，３１３，３１４，３１５，３１６，３１７，３１９，３２１，３２２，３２３のうちの少なくとも１つの領域が拡張されるときに１を格納する一方、全ての領域３０４，３０５，３０７，３０９，３１１，３１３，３１４，３１５，３１６，３１７，３１９，３２１，３２２，３２３が拡張されないときに０を格納する拡張領域３２８と、リザーブ領域３２６とを含む。
（２）リザーブ領域３０３に代えて、詳細タイミング情報を格納する領域３０４，３０５，３０７，３０９，３１１，３１３，３１４，３１５，３１６，３１７，３１９，３２１，３２２，３２３のうち拡張される領域の数Ｊ（Ｊは１以上の整数である。）を格納する拡張領域数領域３２９とリザーブ領域３３０とを含む。
（３）拡張される領域のＩＤを格納する拡張領域ＩＤ領域３３１−ｊ（ｊ＝１，２，…，Ｊ）と、拡張領域ＩＤ領域３３１−ｊに対応して設けられ、かつ拡張される領域に格納されるデータの上位ビットのデータを格納する拡張領域上位ビット領域３３２−ｊとをさらに含む。
（４）詳細タイミング情報メッセージ３００Ｂのメッセージ長を３２ビットの整数倍に揃えるためのパディングビット領域３３３をさらに含む。
【０１０７】
図３８に示すように、領域３０４，３０５，３０７，３０９，３１１，３１３，３１４，３１５，３１６，３１７，３１９，３２１，３２２，３２３には、固有の拡張領域ＩＤ１〜１４がそれぞれ割り当てられている。
【０１０８】
シンク機器１２０が図３６のＶＩＣ（Ｄ）の詳細タイミング情報を、詳細タイミング情報メッセージ３００Ｂを用いてソース機器１１０に送信するときの、図１の無線通信システムの動作を説明する。この場合、拡張されるべき領域は、水平有効期間Ｈａｃｔｉｖｅの有効画素数（４０９６である。）を格納する水平有効期間領域３０５のみである。このとき、拡張領域３２８は１を格納し、拡張領域数領域３２９は１を格納し、拡張領域ＩＤ領域３３１−１は拡張領域ＩＤ２（図３８参照。）を格納する。さらに、水平有効期間領域３０５は、４０９６を２進数で表現した１３ビットの数値「１００００００００００００（下位１２ビットが０である。）」の下位１２ビットの数値「００００００００００００（１２個の０である。）」を格納し、拡張領域上位ビット領域３３２−１は、４０９６を２進数で表現した１３ビットの数値の上位ビットの数値「０００００００００００１（上位１１ビットが０であり、最下位ビットが１である。）」を格納する。従って、シンク機器１２０は、詳細タイミング情報メッセージ３００Ｂを用いて、水平有効期間Ｈａｃｔｉｖｅの有効画素数を、２４ビットのデータ「０００００００００００１００００００００００００（上位１１ビットが０であり、１２ビット目が１であり、下位１２ビットが０である。）」としてソース機器１１０に送信できる。
【０１０９】
第１２の実施形態に係る詳細タイミング情報メッセージ３００Ａでは、水平有効期間領域３０５のみが拡張された。しかしながら、水平同期オフセット領域３１３のサイズは１０ビットであるので、シンク機器１２０はソース機器１１０に対して、０ピクセルから１０２３ピクセルまでの値を有する水平同期パルス前駆期間（水平同期オフセット期間）Ｈｆｒｏｎｔの画素数しか通知できなかった。本実施形態は、第１２の実施形態に比較して、詳細タイミング情報を格納する全ての領域３０４，３０５，３０７，３０９，３１１，３１３，３１４，３１５，３１６，３１７，３１９，３２１，３２２，３２３を拡張できるという特有の作用効果を有する。
【０１１０】
第１４の実施形態．
図３９は、本発明の第１４の実施形態において、図１１の入力フォーマット情報メッセージ５のフォーマットタイプ領域５５に格納される値とフォーマットタイプとの関係を示す表である。また、図４０は、本発明の第１４の実施形態に係る拡張詳細タイミング情報メッセージ７００のフォーマットを示す図である。図３９に示すように、本実施形態は、第１の実施形態（図１２参照。）に比較して、入力フォーマット情報メッセージ５のフォーマットタイプ領域５５に格納されるフォーマットタイプのデータに、拡張詳細タイミング情報（ＥＸＴＥＮＤＥＤ＿ＤＥＴＡＩＬＥＤ＿ＴＩＭＩＮＧ＿ＩＮＦＯ）を表す値（０ｘ０８）を追加したことを特徴としている。ここで、本実施形態において、拡張詳細タイミング情報に対応する値（０ｘ０８）を格納するフォーマットタイプ領域５５を含むフォーマットデータメッセージ５４を、拡張詳細タイミング情報メッセージ７０００という。
【０１１１】
図４０において、拡張詳細タイミング情報メッセージ７００は、以下の各領域を含む。
（１）拡張詳細タイミング情報に対応する値（０ｘ０８）を格納するフォーマットタイプ領域５５。
（２）拡張詳細タイミング情報メッセージ７００からフォーマットタイプ領域５５とデータ長領域５６とを除いた領域のデータ長を表すデータを格納するデータ長領域５６。
（３）将来のために予約されたリザーブ領域７０１。
（４）拡張詳細タイミング情報のＩＤ番号を格納するＩＤ領域７０２。
（５）映像データのスキャン方法がインタレーススキャン及びプログレッシブスキャンのうちのいずれであるかを示すビットデータを格納するＩＰ領域７０３。
（６）将来のために予約されたリザーブ領域７０４。
（７）映像データのリフレッシュレート（フィールドレート）を０．０１Ｈｚの単位で表した値を格納するリフレッシュレート領域７０５。
（８）水平有効期間Ｈａｃｔｉｖｅの有効画素数を格納する水平有効期間領域７０６。
（９）垂直有効期間Ｖａｃｔｉｖｅの有効画素数を格納する垂直有効期間領域７０７。
なお、領域７０５〜７０７はそれぞれ、１６ビットのサイズを有する。
【０１１２】
第１２の実施形態では、第１の実施形態に係る詳細タイミング情報メッセージ３００の水平有効期間領域３０５を拡張することにより、４ｋ２ｋ映像フォーマットの詳細タイミング情報を送信した。また、第１３の実施形態では、第１の実施形態に係る詳細タイミング情報メッセージ３００の領域３０４，３０５，３０７，３０９，３１１，３１３，３１４，３１５，３１６，３１７，３１９，３２１，３２２，３２３のうちの任意の領域を拡張することにより、４ｋ２ｋ映像フォーマットの詳細タイミング情報を送信した。本実施形態は、第１２及び第１３の実施形態に比較して、リフレッシュレートと、水平有効期間Ｈａｃｔｉｖｅの有効画素数と、垂直有効期間Ｖａｃｔｉｖｅの有効画素数とをそれぞれ１６ビットのデータとしてシンク機器１２０からソース機器１１０に通知するための拡張詳細タイミング情報フォーマット７００を新たに定義した点が異なる。図３６に示すように、４ｋ２ｋ映像データのリフレッシュレートと、水平有効期間Ｈａｃｔｉｖｅの有効画素数と、垂直有効期間Ｖａｃｔｉｖｅの有効画素数とを１６ビットの数値でそれぞれ表現できるので、本実施形態によれば、４ｋ２ｋ映像データのリフレッシュレートと、水平有効期間Ｈａｃｔｉｖｅの有効画素数と、垂直有効期間Ｖａｃｔｉｖｅの有効画素数とをシンク機器１２０からソース機器１１０に送信できる。
【０１１３】
第１５の実施形態．
図４１は、本発明の第１５の実施形態において、図１１の入力フォーマット情報メッセージ５のフォーマットタイプ領域５５に格納される値とフォーマットタイプとの関係を示す表である。また、図４２は、本発明の第１５の実施形態に係る拡張解像度詳細タイミング情報メッセージ８００のフォーマットを示す図である。図４１に示すように、本実施形態は、第１の実施形態（図１２参照。）に比較して、入力フォーマット情報メッセージ５のフォーマットタイプ領域５５に格納されるフォーマットタイプのデータから圧縮映像情報の値を削除し、拡張解像度詳細タイミング情報（ＥＸＴＥＮＤＥＤ＿ＲＥＳＯＬＵＴＩＯＮ＿ＤＥＴＡＩＬＥＤ＿ＴＩＭＩＮＧ＿ＩＮＦＯ）を表す値（０ｘ０７）を追加したことを特徴としている。ここで、本実施形態において、拡張解像度詳細タイミング情報に対応する値（０ｘ０７）を格納するフォーマットタイプ領域５５を含むフォーマットデータメッセージ５４を、拡張解像度詳細タイミング情報メッセージ８００という。
【０１１４】
図４２において、拡張解像度詳細タイミング情報メッセージ８００は、以下の各領域を含む。
（１）拡張解像度詳細タイミング情報に対応する値（０ｘ０７）を格納するフォーマットタイプ領域５５。
（２）拡張解像度詳細タイミング情報メッセージ８００からフォーマットタイプ領域５５とデータ長領域５６とを除いた領域のデータ長を表すデータを格納するデータ長領域５６。
（３）将来のために予約されたリザーブ領域８０１。
（４）拡張解像度詳細タイミング情報のＩＤ番号を格納するＩＤ領域８０２。
（５）将来のために予約されたリザーブ領域８０３。
（６）ピクセルクロック周波数を格納するピクセルクロック領域８０４。
（７）水平有効期間Ｈａｃｔｉｖｅの有効画素数を格納する水平有効期間領域８０５。
（８）水平ブランキング期間（ブランク期間）Ｈｂｌａｎｋの画素数を格納する水平ブランキング期間領域８０６。
（９）水平同期パルス前駆期間Ｈｆｒｏｎｔの長さを画素数で表した値を格納する水平同期ブランキングフロント領域８０７。
（１０）水平同期パルスＨｓｙｎｃのパルス幅を画素数で表した値を格納する水平同期パルス幅領域８０８。
（１１）水平同期パルス後駆期間Ｈｂａｃｋの長さを画素数で表した値を格納する水平同期ブランキングバック領域８０９。
（１２）将来のために予約されたリザーブ領域８１０。
（１３）垂直有効期間Ｖａｃｔｉｖｅの有効画素数を格納する垂直有効期間領域８１１。
（１４）垂直ブランキング期間Ｖｂｌａｎｋの画素数を格納する垂直ブランキング期間領域８１２。
（１５）垂直同期パルス前駆期間Ｖｆｒｏｎｔの長さを画素数で表した値を格納する垂直同期ブランキングフロント領域８１３。
（１６）垂直同期パルスＶｓｙｎｃのパルス幅を画素数で表した値を格納する垂直同期パルス幅領域８１４。
（１７）垂直同期パルス後駆期間Ｖｂａｃｋの長さを画素数で表した値を格納する垂直同期ブランキングバック領域８１５。
（１８）将来のために予約されたリザーブ領域８１６。
（１９）画像の水平方向のサイズをミリメートル単位で表した値を格納する水平画像サイズ領域８１７。
（２０）画像の垂直方向のサイズをミリメートル単位で表した値を格納する垂直画像サイズ領域８１８。
（２１）水平方向の境界を表すデータを格納する水平境界領域８１９。
（２２）垂直方向の境界を表すデータを格納する垂直境界領域８２０。
（２３）ステレオ映像に関わる情報を格納するフラグ領域８２１。
（２４）将来の利用のために予約されたリザーブ領域８２２。
なお、領域８０４〜８２２はそれぞれ、１６ビットのサイズを有する。
【０１１５】
第１２の実施形態では、第１の実施形態に係る詳細タイミング情報メッセージ３００の水平有効期間領域３０５を拡張することにより、４ｋ２ｋ映像フォーマットの詳細タイミング情報を送信した。また、第１３の実施形態では、第１の実施形態に係る詳細タイミング情報メッセージ３００の領域３０４，３０５，３０７，３０９，３１１，３１３，３１４，３１５，３１６，３１７，３１９，３２１，３２２，３２３のうちの任意の領域を拡張することにより、４ｋ２ｋ映像フォーマットの詳細タイミング情報を送信した。本実施形態は、第１２及び第１３の実施形態に比較して、映像データのすべてのタイミング情報を、１６ビットのデータとしてシンク機器１２０からソース機器１１０に通知するための拡張解像度詳細タイミング情報フォーマット７００を新たに定義した点が異なる。
【０１１６】
従って、本実施形態によれば、映像データのタイミング情報をそれぞれ格納する各領域８０４〜８２１のサイズを１６ビットに設定したので、各領域８０４〜８２１は、０から６５５３５までの間の値を格納できる。このため、図３６に示すように、４ｋ２ｋ映像データの全ての詳細タイミング情報をシンク機器１２０からソース機器１１０に送信できる。
【０１１７】
なお、本実施形態において、第１の実施形態（図１２参照。）に比較して、入力フォーマット情報メッセージ５のフォーマットタイプ領域５５に格納されるフォーマットタイプのデータから圧縮映像情報の値を削除し、拡張解像度詳細タイミング情報を表す値（０ｘ０７）を追加した。しかしながら、本発明はこれに限らず、第１の実施形態（図１２参照。）に比較して、入力フォーマット情報メッセージ５のフォーマットタイプ領域５５に格納されるフォーマットタイプのデータから圧縮映像情報の値を削除せずに、拡張解像度詳細タイミング情報を表す値（例えば、０ｘ０８である。）を追加してもよい。
【０１１８】
第１６の実施形態．
図４３は、本発明の第１６の実施形態に係る圧縮映像フォーマット領域６００Ａのフォーマットを示す図である。また、図４４は、図４３のＣ＿ＩＤ領域６０４に格納される値と圧縮方法との関係を示す表である。図４３において、圧縮映像フォーマット領域６００Ａは以下の各領域を含む。
（１）圧縮映像フォーマット情報に対応する値（０ｘ０７）を格納するフォーマットタイプ領域９１。
（２）バージョン番号０ｘ０１を格納するバージョン領域９２。
（３）以下の領域６０４〜６０５の総データ長を表すデータを格納するデータ長領域９３。
（４）送信する映像データの圧縮方法を示す図４４において定義された値を格納するＣ＿ＩＤ領域６０４。
（５）将来のために予約されたリザーブ領域６０５。
【０１１９】
第１の実施形態に比較して、本実施形態にかかるソース機器１１０は、圧縮映像フォーマット領域６００に代えて圧縮映像フォーマット領域６００Ａを含むストリーム開始通知メッセージ８を、シンク機器１２０に送信する。このとき、ソース機器１１０は、創始する映像データの圧縮方法を示す値をＣ＿ＩＤ領域６０４に格納する。シンク機器１２０は、ストリーム開始通知メッセージ８を受信し、受信されたストリーム開始通知メッセージ８のＣ＿ＩＤ領域６０４に基づいて、ソース機器１１０から圧縮されていない映像データと、第１の圧縮方法で圧縮された圧縮映像データと、第２の圧縮方法で圧縮された圧縮映像データと、第３の圧縮方法で圧縮された圧縮映像データとのうちのずれが送信されるのかをあらかじめ識別する。
【０１２０】
従って、本実施形態によれば、ソース機器１１０は、シンク機器１２０に対して圧縮映像フォーマット領域６００Ａを含むストリーム開始通知メッセージ８を送ることにより、シンク機器１２０に対して送信する映像データの圧縮方法を通知できる。
【０１２１】
第１７の実施形態．
図４５は、ソース機器１１０がシンク機器１２０に対してフォーマット情報を要求しないときの、シンク機器１２０によってイニシエートされる本発明の第１７の実施形態に係る機器接続処理を示すシーケンス図である。また、図４６は、ソース機器１１０がシンク機器１２０に対してフォーマット情報を要求するときの、シンク機器１２０によってイニシエートされる本発明の第１７の実施形態に係る機器接続処理を示すシーケンス図である。本実施形態は、第１の実施形態に比較して、シンク機器１２０が機器接続処理をイニシエートしたことを特徴としている。
【０１２２】
シンク機器１２０が機器接続処理をイニシエートするときは、シンク機器１２０は、シンクポート番号を含む接続要求メッセージ６Ａをソース機器１１０に送信して、ソース機器１１０に対してシンクポート番号を通知しかつソースポート及びＡＶデータ伝送のための帯域の予約を要求する。ここで、接続要求メッセージ６Ａに含まれるＳビットは１に設定され、接続要求メッセージ６Ａに含まれるポート領域はシンクポート番号を格納する。
【０１２３】
図４５に示すように、機器接続処理の前にシンク機器１２０がソース機器１１０からデバイス能力要求メッセージ１を受信し、当該デバイス能力要求メッセージ１内のＦＣビットに１がセットされているときは、シンク機器１２０は、ソース機器１１０が高速接続機能をサポートしていることを、機器接続処理の前に予め識別している。この場合、シンク機器１２０は、シンク機器１２０がサポートするフォーマットを接続要求メッセージ６Ａに追加する。すなわち、接続要求メッセージ６Ａは、図９のデバイス能力応答メッセージ２と同様に、映像情報メッセージ２００と、詳細タイミング情報メッセージ３００と、圧縮映像情報メッセージ４００を含む入力フォーマット情報メッセージ５と、デバイス情報メッセージ３とを含む。一方、図４５において、機器接続処理の前にシンク機器１２０がソース機器１１０からデバイス能力要求メッセージ１を受信し、当該デバイス能力要求メッセージ１内のＦＣビットに０がセットされているときは、シンク機器１２０は、ソース機器１１０が高速接続機能をサポートしていないことを、機器接続処理の前に予め識別している。この場合、シンク機器１２０は、接続要求メッセージ６Ａの総データ長領域にゼロを格納する。
【０１２４】
接続要求メッセージ６Ａを受信した後に、ソース機器１１０は、シンク機器１２０からの接続要求を受け入れるときには、シンクポートを用いるＡＶデータ伝送のためのソースポートを予約する。ソース機器１１０は、ソースポートの予約処理を正常に終了すると、「成功」を表すデータを格納した結果コード領域を含む接続応答メッセージ７Ａをシンク機器１２０に送信し、帯域予約処理を行う。また、ソース機器１１０は、シンク機器１２０に対してサポートするフォーマットの情報を要求するときには、図４６に示すように、接続応答メッセージ７ＡのＲＦビットに１をセットする。シンク機器１２０は、接続応答メッセージ７ＡのＲＦビットに１がセットされているときには、シンク機器１２０がサポートするフォーマットの情報を含むデバイス能力応答メッセージ２を、ソース機器１１０に送信する。
【０１２５】
なお、ソース機器１１０は、シンク機器１２０からの接続要求を拒否するときは、接続応答メッセージ７Ａの結果コード領域に適切な理由を有する「失敗」を表すデータを格納する。
【０１２６】
さらに、ソース機器１１０は、帯域予約処理を正常に終了すると、「成功」を表すデータを格納した結果コード領域８２を含むストリーム開始通知メッセージ８をシンク機器１２０に送信する一方、帯域予約処理に失敗すると、「失敗」を表すデータを格納した結果コード領域８２を含むストリーム開始通知メッセージ８をシンク機器１２０に送信する。ＨＲＰストリームが割り当てられると、ソース機器１１０は、シンク機器１２０から当該シンク機器１２０がデータを有するＨＲＰストリームのＨＲＰパケットを受信する準備ができたことを表すＡＣＫ信号を受信するまで、ＰＨＹヘッダ及びＭＡＣヘッダのみを含むＨＲＰパケットをシンク機器１２０に無線送信する。ソース機器１１０は、上記ＡＣＫ信号を受信すると、ＨＲＰパケットにＡＶデータを挿入してシンク機器１２０に無線送信する。
【０１２７】
本実施形態は、第１の実施形態と同様の特有の作用効果を奏する。
【０１２８】
第１８の実施形態．
図４７及び図４８は、本発明の第１８の実施形態に係るＶＩＣテーブル１１５ｔ及び１２７ｔを示す表である。本実施形態は、第１の実施形態に比較して、ＶＩＣの割り当て方のみが異なる。本実施形態において、４８から５２の各ＶＩＣは、４ｋ２ｋ映像フォーマットに対して、以下のように割り当てられている。
【０１２９】
（ａ）ＶＩＣの４４は、３８４０ピクセルの有効水平画素数と、２１６０ピクセルの有効垂直画素数と、プログレッシブスキャンである走査方法と、２３．９７Ｈｚ又は２４Ｈｚのフィールドレートとを有する４ｋ２ｋ映像フォーマットに割り当てられている。
（ｂ）ＶＩＣの４５は、３８４０ピクセルの有効水平画素数と、２１６０ピクセルの有効垂直画素数と、プログレッシブスキャンである走査方法と、２５Ｈｚのフィールドレートとを有する４ｋ２ｋ映像フォーマットに割り当てられている。
（ｃ）ＶＩＣの４６は、３８４０ピクセルの有効水平画素数と、２１６０ピクセルの有効垂直画素数と、プログレッシブスキャンである走査方法と、２９．９７Ｈｚ又は３０Ｈｚのフィールドレートとを有する４ｋ２ｋ映像フォーマットに割り当てられている。
（ｄ）ＶＩＣの４７は、４０９６ピクセルの有効水平画素数と、２１６０ピクセルの有効垂直画素数と、プログレッシブスキャンである走査方法と、２３．９７Ｈｚ又は２４Ｈｚのフィールドレートとを有する４ｋ２ｋ映像フォーマットに割り当てられている。
（ｅ）ＶＩＣの４８は、４０９６ピクセルの有効水平画素数と、２１６０ピクセルの有効垂直画素数と、プログレッシブスキャンである走査方法と、２５Ｈｚのフィールドレートとを有する４ｋ２ｋ映像フォーマットに割り当てられている。
【０１３０】
本実施形態は、第１の実施形態と同様の特有の作用効果を奏する。
【０１３１】
なお、上記各実施形態において示したメッセージの各フォーマットは一例にすぎず、メッセージ内に同様の領域が含まれていれば各領域の配置順序及びサイズなどを変更してもよい。
【０１３２】
また、上記各実施形態において、帯域管理部１２１ｂはシンク機器１２０に設けられたが、本発明はこれに限らず、ソース機器１１０又は他の機器に設けられてもよい。
【０１３３】
また、上記各実施形態において、図２〜図４のＶＩＣテーブル又は図４７〜図４８のＶＩＣテーブルを用いたが、本発明はこれに限らず、４ｋ２ｋ映像フォーマットを識別するＶＩＣを含むＶＩＣテーブルであればよい。
【産業上の利用可能性】
【０１３４】
以上詳述したように、本発明に係る映像データの伝送方法、当該映像データを送信するソース機器、当該映像データを受信するシンク機器、並びに当該ソース機器及びシンク機器を備えた無線通信システムによれば、シンク機器は、シンク機器において表示可能な映像データの映像フォーマットを識別する少なくとも１つの映像フォーマット識別コードを含む映像情報メッセージと、（ｂ）映像データを圧縮するための圧縮用パラメータを含む圧縮映像情報メッセージとを含むデバイス能力応答メッセージをソース機器に無線送信する一方、ソース機器は、送信する第１の映像データの映像フォーマットを識別する映像フォーマット識別コードと、第１の映像データが圧縮されているか否かを示すデータとを含むストリーム開始通知メッセージを、シンク機器に無線送信した後に、第１の映像データを上記シンク機器に無線送信し、第１の映像データの映像フォーマットを識別する映像フォーマット識別コードは、３８４０ピクセル又は４０９６ピクセルの有効水平画素数と２１６０ピクセルの有効垂直画素数とを有する４ｋ２ｋ映像データの少なくとも１つの映像フォーマット識別コードの中から選択されるので、４ｋ２ｋ映像データを無線伝送できる。
【符号の説明】
【０１３５】
１…デバイス能力要求メッセージ、
２…デバイス能力応答メッセージ、
３…デバイス情報メッセージ、
５…入力フォーマット情報メッセージ、
６，６Ａ…接続要求メッセージ、
７，７Ａ…接続応答メッセージ、
８…ストリーム開始通知メッセージ、
１０…出力フォーマット通知メッセージ、
１１０…ソース機器、
１１１…コントローラ、
１１２…映像音声再生装置、
１１３…パケット処理回路、
１１４…パケット無線送受信回路、
１１５…メモリ、
１１５ｔ…ＶＩＣテーブル、
１１６…アンテナ、
１２０…シンク機器、
１２１…コントローラ、
１２１ｂ…帯域管理部、
１２２…パケット無線送受信回路、
１２３…パケット処理回路、
１２４…映像音声処理回路、
１２５…スピーカ、
１２６…ディスプレイ、
１２７…メモリ、
１２７ｄ…ＥＤＩＤデータ、
１２７ｔ…ＶＩＣテーブル、
１２９…バッファ、
２００…映像情報メッセージ、
３００，３００Ａ，３００Ｂ…詳細タイミング情報メッセージ、
４００，４００Ａ〜４００Ｊ…圧縮映像情報メッセージ、
５００…映像フォーマット領域、
６００，６００Ａ…圧縮映像フォーマット領域、
７００…拡張詳細タイミング情報メッセージ、
８００…拡張解像度詳細タイミング情報メッセージ。
【図１】
2010140199.tif 000003
【図２】
2010140199.tif 000004
【図３】
2010140199.tif 000005
【図４】
2010140199.tif 000006
【図５】
2010140199.tif 000007
【図６】
2010140199.tif 000008
【図７】
2010140199.tif 000009
【図８】
2010140199.tif 000010
【図９】
2010140199.tif 000011
【図１０】
2010140199.tif 000012
【図１１】
2010140199.tif 000013
【図１２】
2010140199.tif 000014
【図１３】
2010140199.tif 000015
【図１４】
2010140199.tif 000016
【図１５】
2010140199.tif 000017
【図１６】
2010140199.tif 000018
【図１７】
2010140199.tif 000019
【図１８】
2010140199.tif 000020
【図１９】
2010140199.tif 000021
【図２０】
2010140199.tif 000022
【図２１】
2010140199.tif 000023
【図２２】
2010140199.tif 000024
【図２３】
2010140199.tif 000025
【図２４】
2010140199.tif 000026
【図２５】
2010140199.tif 000027
【図２６】
2010140199.tif 000028
【図２７】
2010140199.tif 000029
【図２８】
2010140199.tif 000030
【図２９】
2010140199.tif 000031
【図３０】
2010140199.tif 000032
【図３１】
2010140199.tif 000033
【図３２】
2010140199.tif 000034
【図３３】
2010140199.tif 000035
【図３４】
2010140199.tif 000036
【図３５】
2010140199.tif 000037
【図３６】
2010140199.tif 000038
【図３７】
2010140199.tif 000039
【図３８】
2010140199.tif 000040
【図３９】
2010140199.tif 000041
【図４０】
2010140199.tif 000042
【図４１】
2010140199.tif 000043
【図４２】
2010140199.tif 000044
【図４３】
2010140199.tif 000045
【図４４】
2010140199.tif 000046
【図４５】
2010140199.tif 000047
【図４６】
2010140199.tif 000048
【図４７】
2010140199.tif 000049
【図４８】
2010140199.tif 000050
【手続補正書】
【提出日】平成23年12月5日(2011.12.5)
【手続補正１】
【補正対象書類名】明細書
【補正対象項目名】全文
【補正方法】変更
【補正の内容】
【発明の詳細な説明】
【技術分野】
【０００１】
本発明は、映像データの伝送方法、当該映像データを送信するソース機器、当該映像データを受信するシンク機器、並びに当該ソース機器及びシンク機器を備えた無線通信システムに関し、特に、ソース機器からテレビジョン装置などのシンク機器に、ＨＤ（Ｈｉｇｈ  Ｄｅｆｉｎｉｔｉｏｎ：高精細の）解像度よりも高解像度の映像データを無線伝送するための映像データの伝送方法、当該映像データを送信するソース機器、当該映像データを受信するシンク機器、並びに当該ソース機器及びシンク機器を備えた無線通信システムに関する。
【背景技術】
【０００２】
音声及び映像機器（以下、ＡＶ（Ａｕｄｉｏ  ａｎｄ  Ｖｉｓｕａｌ）機器という。）間で非圧縮のベースバンド映像信号とデジタル音声信号をワイヤレス伝送するための標準規格であるワイヤレスＨＤ（ＷｉｒｅｌｅｓｓＨＤ）が策定されている。ワイヤレスＨＤはデジタルビデオレコーダやセットトップボックス、パーソナルコンピュータなどのソース機器に蓄えられた高精細の動画データを、ソース機器をシンク機器にケーブル接続することなくハイビジョンテレビなどのシンク機器で視聴するための技術仕様である。また、双方向のコントロール信号も含んでいるので、テレビジョン装置とデジタルビデオレコーダを連動させるように制御することや、複数のＡＶ機器を用いてホームシアターなどを構成してこれらのＡＶ機器を一元的に制御することができ、これらの制御のためのプロトコルが定義されている。加えて、ワイヤレスＨＤは高品質のコンテンツの伝送が可能であるために、提供されるコンテンツが不正に再生されたり、違法にコピーされたりしないように、コンテンツ保護方式としてＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）が定義されている。
【０００３】
従来技術に係るワイヤレスＨＤの無線伝送方法については、例えば、特許文献１〜３及び非特許文献１に記載されている。また、従来技術に係るＡＶデータの無線伝送方法については、特許文献４及び５に記載されている。
【先行技術文献】
【特許文献】
【０００４】
【特許文献１】特開２００８−２５２９２９号公報。
【特許文献２】特開２００９−４８７７号公報。
【特許文献３】米国特許出願公開第２００７／０２７０１２１号明細書。
【特許文献４】米国特許出願公開第２００８／０３２０５３９号明細書。
【特許文献５】米国特許出願公開第２００９／００３１３６５号明細書。
【特許文献６】特開２００８−９９１８９号公報。
【特許文献７】特開２００５−３２８４９４号公報。
【特許文献８】米国特許出願公開第２００５／０２８１２９６号明細書。
【非特許文献】
【０００５】
【非特許文献１】ＷｉｒｅｌｅｓｓＨＤ  Ｓｐｅｃｉｆｉｃａｔｉｏｎ  Ｖｅｒｓｉ    ｏｎ  １．０  Ｏｖｅｒｖｉｅｗ、２００７年１０月９日。
【発明の概要】
【発明が解決しようとする課題】
【０００６】
近年、例えば、１９２０ピクセルの有効水平画素数と１０８０ピクセルの有効垂直画素数とを有する従来の高精細解像度の映像データよりも高い解像度を有する次世代の映像データが普及してきた。このような次世代の映像データは、３８４０ピクセル又は４０９６ピクセルの有効水平画素数と、２１６０ピクセルの有効垂直画素数とを有しており、４ｋ２ｋ映像データと呼ばれている。特許文献６〜８は、４ｋ２ｋ映像データのシリアル伝送方法を開示している。しかしながら、従来、ワイヤレスＨＤにおいて４ｋ２ｋ映像データを無線伝送する方法は策定されておらず、４ｋ２ｋ映像データを無線伝送できなかった。
【０００７】
本発明の目的は以上の問題点を解決し、４ｋ２ｋ映像データを無線伝送できる映像データの伝送方法、当該４ｋ２ｋ映像データを送信するソース機器、当該４ｋ２ｋ映像データを受信するシンク機器、並びに当該ソース機器及びシンク機器を備えた無線通信システムを提供することにある。
【課題を解決するための手段】
【０００８】
第１の発明に係るシンク機器は、ソース機器からシンク機器に映像データを無線伝送する無線通信システムのためのシンク機器において、
（ａ）上記シンク機器において表示可能な映像データの映像フォーマットを識別する少なくとも１つの映像フォーマット識別コードを含む映像情報メッセージと、（ｂ）映像データを圧縮するための圧縮用パラメータを含む圧縮映像情報メッセージとを含むデバイス能力応答メッセージを上記ソース機器に無線送信する第１の制御手段を備え、
上記少なくとも１つの映像フォーマット識別コードは、３８４０ピクセル又は４０９６ピクセルの有効水平画素数と２１６０ピクセルの有効垂直画素数とを有する４ｋ２ｋ映像データの少なくとも１つの映像フォーマット識別コードを含むことを特徴とする。
【０００９】
上記シンク機器において、
上記ソース機器は、送信する第１の映像データの映像フォーマットを識別する映像フォーマット識別コードと、上記第１の映像データが圧縮されているか否かを示すデータとを含むストリーム開始通知メッセージを上記シンク機器に無線送信した後に、上記第１の映像データを上記シンク機器に無線送信し、
上記第１の制御手段は、
上記ソース機器から上記ストリーム開始通知メッセージを無線受信し、上記無線受信されたストリーム開始通知メッセージに基づいて、上記第１の映像データの映像フォーマット識別コード及び上記第１の映像データが圧縮されているか否かを識別し、
上記第１の映像データを無線受信し、
上記第１の映像データが圧縮されているときは、上記第１の映像データを伸張して、上記伸張後の第１の映像データを上記識別された映像フォーマット識別コードに基づいてデコードする一方、上記第１の映像データが圧縮されていないときは、上記第１の映像データを上記識別された映像フォーマット識別コードに基づいてデコードすることを特徴とする。
【００１０】
また、上記シンク機器において、
上記ソース機器は、上記第１の映像データの映像フォーマットが変更されたときに、上記変更後の映像フォーマットを識別する映像フォーマット識別コードと、上記変更後の映像フォーマットを有する第２の映像データが圧縮されているか否かを示すデータとを含む出力フォーマット通知メッセージを上記シンク機器に無線送信した後に、上記第２の映像データを上記シンク機器に無線送信し、
上記第１の制御手段は、
上記ソース機器から上記出力フォーマット通知メッセージを無線受信し、上記無線受信された出力フォーマット通知メッセージに基づいて、上記第２の映像データの映像フォーマット識別コード及び上記第２の映像データが圧縮されているか否かを識別し、
上記第２の映像データを無線受信し、
上記第２の映像データが圧縮されているときは、上記第２の映像データを伸張して、上記伸張後の第２の映像データを上記識別された映像フォーマット識別コードに基づいてデコードする一方、上記第２の映像データが圧縮されていないときは、上記第２の映像データを上記識別された映像フォーマット識別コードに基づいてデコードすることを特徴とする。
【００１１】
第２の発明に係るソース機器は、ソース機器からシンク機器に映像データを無線伝送する無線通信システムのためのソース機器において、
送信する第１の映像データの映像フォーマットを識別する映像フォーマット識別コードと、上記第１の映像データが圧縮されているか否かを示すデータとを含むストリーム開始通知メッセージを、上記シンク機器に無線送信した後に、上記第１の映像データを上記シンク機器に無線送信する第２の制御手段を備え、
上記第１の映像データの映像フォーマットを識別する映像フォーマット識別コードは、３８４０ピクセル又は４０９６ピクセルの有効水平画素数と２１６０ピクセルの有効垂直画素数とを有する４ｋ２ｋ映像データの少なくとも１つの映像フォーマット識別コードの中から選択されたことを特徴とする。
【００１２】
上記ソース機器において、上記第２の制御手段は、
（ａ）上記シンク機器において表示可能な映像データの映像フォーマットを識別する少なくとも１つの映像フォーマット識別コードを含む映像情報メッセージと、（ｂ）映像データを圧縮するための圧縮用パラメータを含む圧縮映像情報メッセージとを含むデバイス能力応答メッセージを、上記シンク機器から無線受信し、
上記デバイス能力応答メッセージに含まれる映像フォーマット識別コードの中から１つの映像フォーマット識別コードを選択し、上記選択された映像フォーマット識別コードに基づいて上記第１の映像データを生成し、上記生成された第１の映像データを上記圧縮用パラメータを用いて圧縮し、上記圧縮された第１の映像データを上記シンク機器に無線送信することを特徴とする。
【００１３】
また、上記ソース機器において、上記第２の制御手段は、
上記第１の映像データの映像フォーマットが変更されたときに、上記変更後の映像フォーマットを識別する映像フォーマット識別コードと、上記変更後の映像フォーマットを有する第２の映像データが圧縮されているか否かを示すデータとを含む出力フォーマット通知メッセージを上記シンク機器に無線送信した後に、上記第２の映像データを上記シンク機器に無線送信することを特徴とする。
【００１４】
第３の発明に係る無線通信システムは、ソース機器からシンク機器に映像データを無線伝送する無線通信システムにおいて、
上記シンク機器と、
上記ソース機器とを備えたことを特徴とする。
【００１５】
第４の発明に係る映像データの伝送方法は、ソース機器からシンク機器に映像データを無線伝送する映像データの伝送方法において、
上記シンク機器により、（ａ）上記シンク機器において表示可能な映像データの映像フォーマットを識別する少なくとも１つの映像フォーマット識別コードを含む映像情報メッセージと、（ｂ）映像データを圧縮するための圧縮用パラメータを含む圧縮映像情報メッセージとを含むデバイス能力応答メッセージを上記ソース機器に無線送信するステップと、
上記ソース機器により、上記デバイス能力応答メッセージを無線受信し、上記デバイス能力応答メッセージに含まれる映像フォーマット識別コードの中から１つの映像フォーマット識別コードを選択し、上記選択された映像フォーマット識別コードに基づいて第１の映像データを生成し、上記生成された第１の映像データを上記圧縮用パラメータを用いて圧縮するステップと、
上記ソース機器により、上記選択された映像フォーマット識別コードと、上記第１の映像データが圧縮されているか否かを示すデータとを含むストリーム開始通知メッセージを、上記シンク機器に無線送信した後に、上記圧縮された第１の映像データを上記シンク機器に無線送信するステップと、
上記シンク機器により、上記ストリーム開始通知メッセージを無線受信し、上記無線受信されたストリーム開始通知メッセージに基づいて、上記第１の映像データの映像フォーマット識別コード及び上記第１の映像データが圧縮されているか否かを識別するステップと、
上記シンク機器により、上記第１の映像データを無線受信し、上記第１の映像データが圧縮されているときは、上記第１の映像データを伸張して、上記伸張後の第１の映像データを上記識別された映像フォーマット識別コードに基づいてデコードする一方、上記第１の映像データが圧縮されていないときは、上記第１の映像データを上記識別された映像フォーマット識別コードに基づいてデコードするステップとを含み、
上記少なくとも１つの映像フォーマット識別コードは、３８４０ピクセル又は４０９６ピクセルの有効水平画素数と２１６０ピクセルの有効垂直画素数とを有する４ｋ２ｋ映像データの少なくとも１つの映像フォーマット識別コードを含むことを特徴とする。
【００１６】
上記映像データの伝送方法において、上記ソース機器により、上記第１の映像データの映像フォーマットが変更されたときに、上記変更後の映像フォーマットを識別する映像フォーマット識別コードと、上記変更後の映像フォーマットを有する第２の映像データが圧縮されているか否かを示すデータとを含む出力フォーマット通知メッセージを上記シンク機器に無線送信した後に、上記第２の映像データを上記シンク機器に無線送信するステップと、
上記シンク機器により、上記出力フォーマット通知メッセージを無線受信し、上記無線受信された出力フォーマット通知メッセージに基づいて、上記第２の映像データの映像フォーマット識別コード及び上記第２の映像データが圧縮されているか否かを識別するステップと、
上記シンク機器により、上記第２の映像データを無線受信するステップと、
上記シンク機器により、上記第２の映像データが圧縮されているときは、上記第２の映像データを伸張して、上記伸張後の第２の映像データを上記識別された映像フォーマット識別コードに基づいてデコードする一方、上記第２の映像データが圧縮されていないときは、上記第２の映像データを上記識別された映像フォーマット識別コードに基づいてデコードするステップとをさらに含むことを特徴とする。
【発明の効果】
【００１７】
本発明に係る映像データの伝送方法、当該映像データを送信するソース機器、当該映像データを受信するシンク機器、並びに当該ソース機器及びシンク機器を備えた無線通信システムによれば、シンク機器は、シンク機器において表示可能な映像データの映像フォーマットを識別する少なくとも１つの映像フォーマット識別コードを含む映像情報メッセージと、映像データを圧縮するための圧縮用パラメータを含む圧縮映像情報メッセージとを含むデバイス能力応答メッセージをソース機器に無線送信する一方、ソース機器は、送信する第１の映像データの映像フォーマットを識別する映像フォーマット識別コードと、第１の映像データが圧縮されているか否かを示すデータとを含むストリーム開始通知メッセージを、シンク機器に無線送信した後に、第１の映像データを上記シンク機器に無線送信し、第１の映像データの映像フォーマットを識別する映像フォーマット識別コードは、３８４０ピクセル又は４０９６ピクセルの有効水平画素数と２１６０ピクセルの有効垂直画素数とを有する４ｋ２ｋ映像データの少なくとも１つの映像フォーマット識別コードの中から選択されるので、４ｋ２ｋ映像データを無線伝送できる。
【図面の簡単な説明】
【００１８】
【図１】本発明の第１の実施形態に係る映像データの伝送方法を用いて映像データを伝送する無線通信システムの構成を示すブロック図である。
【図２】図１のＶＩＣ（Ｖｉｄｅｏ  ｆｏｒｍａｔ  Ｉｄｅｎｔｉｆｉｃａｔｉｏｎ  Ｃｏｄｅ）テーブル１１５ｔ及び１２７ｔの第１の部分を示す表である。
【図３】図１のＶＩＣテーブル１１５ｔ及び１２７ｔの第２の部分を示す表である。
【図４】図１のＶＩＣテーブル１１５ｔ及び１２７ｔの第３の部分を示す表である。
【図５】図１の無線通信システムの動作を示すシーケンス図である。
【図６】図５のデバイス能力要求メッセージ１のフォーマットを示す図である。
【図７】図６の要求タイプ領域１２を用いて要求されるデバイス能力のタイプを示す表である。
【図８】図５のデバイス能力応答メッセージ２のフォーマットを示す図である。
【図９】図５のデバイス能力応答メッセージ２と、デバイス情報メッセージ３と、入力フォーマット情報メッセージ５との関係を示す図である。
【図１０】図９のデバイス情報メッセージ３のフォーマットを示す図である。
【図１１】図９の入力フォーマット情報メッセージ５のフォーマットを示す図である。
【図１２】図１１のフォーマットタイプ領域５５に格納される値とフォーマットタイプとの関係を示す表である。
【図１３】図９の映像情報メッセージ２００のフォーマットを示す図である。
【図１４】図９の詳細タイミング情報メッセージ３００のフォーマットを示す図である。
【図１５】水平有効期間Ｈａｃｔｉｖｅ、水平ブランキング期間Ｈｂｌａｎｋ、水平周波数Ｈｆｒｅｑ、垂直有効期間Ｖａｃｔｉｖｅ、垂直ブランキング期間Ｖｂｌａｎｋ及び垂直周波数Ｖｆｒｅｑの各定義を示すタイミングチャートである。
【図１６】水平同期パルス前駆期間Ｈｆｒｏｎｔ、水平同期パルスＨｓｙｎｃ、水平同期パルス後駆期間Ｈｂａｃｋ、垂直同期パルス前駆期間Ｖｆｒｏｎｔ、垂直同期パルスＶｓｙｎｃ、及び垂直同期パルス後駆期間Ｖｂａｃｋの各定義を示すタイミングチャートである。
【図１７】図９の圧縮映像情報メッセージ４００のフォーマットを示す図である。
【図１８】図５のストリーム開始通知メッセージ８のフォーマットを示す図である。
【図１９】図１８のフォーマットタイプ領域９１に格納される値とフォーマットタイプとの関係を示す表である。
【図２０】図１８のストリーム開始通知メッセージ８にフォーマット領域９０として含まれる映像フォーマット領域５００のフォーマットを示す図である。
【図２１】図１８のストリーム開始通知メッセージ８にフォーマット領域９０として含まれる圧縮映像フォーマット領域６００のフォーマットを示す図である。
【図２２】図５の出力フォーマット通知メッセージ１０のフォーマットを示す図である。
【図２３】本発明の第２の実施形態に係る圧縮映像情報メッセージ４００Ａのフォーマットを示す図である。
【図２４】本発明の第３の実施形態に係る圧縮映像情報メッセージ４００Ｂのフォーマットを示す図である。
【図２５】本発明の第４の実施形態に係る圧縮映像情報メッセージ４００Ｃのフォーマットを示す図である。
【図２６】本発明の第５の実施形態に係る圧縮映像情報メッセージ４００Ｄの、Ｃ領域に１が格納されかつ圧縮フォーマット数領域４１４に０が格納されたときのフォーマットを示す図である。
【図２７】本発明の第５の実施形態に係る圧縮映像情報メッセージ４００Ｄの、Ｃ領域に１が格納され圧縮フォーマット数領域４１４にＮが格納されたときのフォーマットを示す図である。
【図２８】本発明の第６の実施形態に係る圧縮映像情報メッセージ４００Ｅの、ＣＭＭ（Ｃｏｍｐｒｅｓｓｉｏｎ  Ｍｅｔｈｏｄ  Ｍｕｌｔｉｐｌｅ）領域４１８に０ｂ０１が格納されたときのフォーマットを示す図である。
【図２９】本発明の第６の実施形態に係る圧縮映像情報メッセージ４００Ｅの、ＣＭＭ領域４１８に０ｂ１１が格納されたときのフォーマットを示す図である。
【図３０】本発明の第７の実施形態に係る圧縮映像情報メッセージ４００Ｆのフォーマットを示す図である。
【図３１】本発明の第８の実施形態に係る圧縮映像情報メッセージ４００Ｇのフォーマットを示す図である。
【図３２】本発明の第９の実施形態に係る圧縮映像情報メッセージ４００Ｈのフォーマットを示す図である。
【図３３】本発明の第１０の実施形態に係る圧縮映像情報メッセージ４００Ｉのフォーマットを示す図である。
【図３４】本発明の第１１の実施形態に係る圧縮映像情報メッセージ４００Ｊのフォーマットを示す図である。
【図３５】本発明の第１２の実施形態に係る詳細タイミング情報メッセージ３００Ａのフォーマットを示す図である。
【図３６】本発明の第１２及び第１３の実施形態において用いられる４ｋ２ｋ映像フォーマットのＶＩＣと各タイミング値との関係を示す表である
【図３７】本発明の第１３の実施形態に係る詳細タイミング情報メッセージ３００Ｂのフォーマットを示す図である。
【図３８】図３７の拡張領域ＩＤ領域３３１−１〜３３１−Ｊに格納される拡張領域ＩＤと領域名との関係を示す表である。
【図３９】本発明の第１４の実施形態において、図１１の入力フォーマット情報メッセージ５のフォーマットタイプ領域５５に格納される値とフォーマットタイプとの関係を示す表である。
【図４０】本発明の第１４の実施形態に係る拡張詳細タイミング情報メッセージ７００のフォーマットを示す図である。
【図４１】本発明の第１５の実施形態において、図１１の入力フォーマット情報メッセージ５のフォーマットタイプ領域５５に格納される値とフォーマットタイプとの関係を示す表である。
【図４２】本発明の第１５の実施形態に係る拡張解像度詳細タイミング情報メッセージ８００のフォーマットを示す図である。
【図４３】本発明の第１６の実施形態に係る圧縮映像フォーマット領域６００Ａのフォーマットを示す図である。
【図４４】図４３のＣ＿ＩＤ領域６０４に格納される値と圧縮方法との関係を示す表である。
【図４５】ソース機器１１０がシンク機器１２０に対してフォーマット情報を要求しないときの、シンク機器１２０によってイニシエートされる本発明の第１７の実施形態に係る機器接続処理を示すシーケンス図である。
【図４６】ソース機器１１０がシンク機器１２０に対してフォーマット情報を要求するときの、シンク機器１２０によってイニシエートされる本発明の第１７の実施形態に係る機器接続処理を示すシーケンス図である。
【図４７】本発明の第１８の実施形態に係るＶＩＣテーブル１１５ｔ及び１２７ｔの第１の部分を示す表である。
【図４８】本発明の第１８の実施形態に係るＶＩＣテーブル１１５ｔ及び１２７ｔの第２の部分を示す表である。
【発明を実施するための形態】
【００１９】
以下、本発明に係る実施形態について図面を参照して説明する。なお、以下の各実施形
態において、同様の構成要素については同一の符号を付している。
【００２０】
第１の実施形態．
図１は、本発明の第１の実施形態に係る映像データの伝送方法を用いて映像データを伝送する無線通信システムの構成を示すブロック図である。また、図２、図３及び図４は、図１のＶＩＣテーブル１１５ｔ及び１２７ｔを示す表である。なお、図１のソース機器１１０及びシンク機器１２０の各構成は、以下の第１〜第１７の実施形態に適用される。
【００２１】
図１において、本実施形態に係る無線通信システムは、ワイヤレスＨＤに準拠している。ＡＶコンテンツデータのソース機器として機能するソース機器１１０は、映像音声再生装置１１２と、パケット処理回路１１３と、アンテナ１１６を備えたパケット無線送受信回路１１４と、ＶＩＣテーブル１１５ｔをあらかじめ格納するメモリ１１５と、これらの装置及び回路１１２〜１１５の動作を制御するコントローラ１１１とを備えて構成される。映像音声再生装置１１２は、例えばＤＶＤプレーヤであって、外部の記憶装置又はＭＤ、ＤＶＤなどの記録媒体から映像データ及び音声データを再生してパケット処理回路１１３に出力する。ここで、映像データは従来の高精細解像度の映像データ（以下、ＨＤ映像データという。）、又は３８４０ピクセル又は４０９６ピクセルの有効水平画素数と２１６０ピクセルの有効垂直画素数とを有する４ｋ２ｋ映像データである。パケット処理回路１１３は入力される映像データ及び音声データを、ワイヤレスＨＤによって定義されたパケットの形式のデジタル信号に変換してパケット無線送受信回路１１４に出力する。このとき、パケット処理回路１１３は、入力される映像データがＨＤ映像データであるときには当該ＨＤ映像データを圧縮せずに上記デジタル信号に変換する一方、入力される映像データが４ｋ２ｋ映像データであるときには当該４ｋ２ｋ映像データを所定の第１の圧縮方法で圧縮して上記デジタル信号に変換する。パケット無線送受信回路１１４は入力されるデジタル信号に従って搬送波信号をデジタル変調し、変調後の無線信号を、アンテナ１１６を介してシンク機器１２０のパケット無線送受信回路１２２に無線送信する。一方、シンク機器１２０から無線送信される無線信号はアンテナ１１６を介してパケット無線送受信回路１１４によって受信され、パケット無線送受信回路１１４は受信された無線信号をベースバンド信号に復調した後、パケット処理回路１１３に出力する。パケット処理回路１１３は、入力されるベースバンド信号から所定のパケット分離処理により所定の制御コマンドのみを取り出した後にコントローラ１１１に出力する。
【００２２】
また、図１において、シンク機器１２０は、アンテナ１２８を備えたパケット無線送受信回路１２２と、パケット処理回路１２３と、映像音声処理回路１２４と、スピーカ１２５と、映像データを表示するディスプレイ１２６と、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）データ１２７ｄ及びＶＩＣテーブル１２７ｔをあらかじめ格納するメモリ１２７と、これらの回路等１２２〜１２４，１２７の動作を制御するコントローラ１２１と、バッファ１２９とを備えて構成される。また、コントローラ１２１は、無線ネットワークの使用帯域及び信号送出のタイミング制御を管理する帯域管理部１２１ｂを備えて構成される。パケット無線送受信回路１２２は、アンテナ１２８を介して受信された無線信号をベースバンド信号に復調した後、パケット処理回路１２３に出力する。パケット処理回路１２３は、入力されるデジタル信号から所定のパケット分離処理により映像データ、音声データ及び所定の制御コマンドのみを取り出すことにより受信されたパケットをデコードし、映像データ及び音声データを映像音声処理回路１２４に出力する一方、制御コマンドをコントローラ１２１に出力する。ここで、パケット処理回路１２３は、取り出された映像データが圧縮されている場合には、バッファ１２９を用いて当該映像データを伸張する。映像音声処理回路１２４は入力される音声データを所定の信号処理やＤ／Ａ変換処理を実行した後、スピーカ１２５に出力して音声の出力を行う一方、入力される映像データを所定の信号処理やＤ／Ａ変換処理を実行した後、ディスプレイ１２６に出力して表示する。
【００２３】
図２〜図４において、ＶＩＣテーブル１１５ｔ及び１２７ｔはそれぞれ、映像データの映像フォーマットを識別するための映像フォーマット識別子（ＶＩＣ）を含む。ここで、映像フォーマットは映像データの出力仕様のフォーマットを表し、映像データの有効垂直画素数及び有効水平画素数、走査方法（プログレッシブ（ｐ）又はインターレース（ｉ））、並びに垂直同期周波数（フィールドレートともいう。）の各情報を含む。本実施形態において、４８から５２の各ＶＩＣは、４ｋ２ｋ映像データの映像フォーマット（以下、４ｋ２ｋ映像フォーマットという。）に対して、以下のように割り当てられている。
【００２４】
（ａ）ＶＩＣの４８は、３８４０ピクセルの有効水平画素数と、２１６０ピクセルの有効垂直画素数と、プログレッシブスキャンである走査方法と、２３．９７Ｈｚ又は２４Ｈｚのフィールドレートとを有する４ｋ２ｋ映像フォーマットに割り当てられている。
（ｂ）ＶＩＣの４９は、３８４０ピクセルの有効水平画素数と、２１６０ピクセルの有効垂直画素数と、プログレッシブスキャンである走査方法と、２５Ｈｚのフィールドレートとを有する４ｋ２ｋ映像フォーマットに割り当てられている。
（ｃ）ＶＩＣの５０は、３８４０ピクセルの有効水平画素数と、２１６０ピクセルの有効垂直画素数と、プログレッシブスキャンである走査方法と、２９．９７Ｈｚ又は３０Ｈｚのフィールドレートとを有する４ｋ２ｋ映像フォーマットに割り当てられている。
（ｄ）ＶＩＣの５１は、４０９６ピクセルの有効水平画素数と、２１６０ピクセルの有効垂直画素数と、プログレッシブスキャンである走査方法と、２３．９７Ｈｚ又は２４Ｈｚのフィールドレートとを有する４ｋ２ｋ映像フォーマットに割り当てられている。
（ｅ）ＶＩＣの５２は、４０９６ピクセルの有効水平画素数と、２１６０ピクセルの有効垂直画素数と、プログレッシブスキャンである走査方法と、２５Ｈｚのフィールドレートとを有する４ｋ２ｋ映像フォーマットに割り当てられている。
【００２５】
なお、図２〜図４のＶＩＣのうち、「ａ」を付加したＶＩＣのモードは、出力インターフェースが複製された画素（ｒｅｐｌｉｃａｔｅｄ  ｐｉｘｅｌ）を必要とするときに用いられる。これらのＶＩＣを送信機（ソース機器１１０である。）で用いること及び受信機（シンク機器１２０である。）で映像画素の複製を行うことは、実装者の責任のもとで行われる。
【００２６】
図１において、ＥＤＩＤデータ１２７ｄは、ＶＩＣテーブル１２７ｔに含まれるＶＩＣのうちディスプレイ１２６を用いて表示可能な映像データの各ＶＩＣ、ディスプレイ１２６の製品情報及び製造者名、映像符号化方式（例えば、ＲＧＢ、ＹＣｂＣｒ４：４：４又はＹＣｂＣｒ４：２：２）及び音声出力サンプリング等の音声出力仕様（以下、音声フォーマットという。）等のデータを含む。
【００２７】
図５は、図１の無線通信システムの動作を示すシーケンス図である。まず始めに、ソース機器１１０とシンク機器１２０との間で、シンク機器１２０がサポートする映像フォーマットの情報及び音声フォーマットの情報をソース機器１１０が取得するためのデバイス能力取得処理（入力フォーマット取得処理）が実行される。デバイス能力取得処理において、ソース機器１１０は、シンク機器１２０のデバイス能力の情報を要求するデバイス能力要求（ＤＥＶＩＣＥ＿ＣＡＰＡＢＩＬＩＴＹ＿ＲＥＱＵＥＳＴ）メッセージ（デバイス情報要求メッセージともいう。）１をシンク機器１２０に無線送信する。これに応答して、シンク機器１２０は、シンク機器１２０のデバイス能力の情報を含むデバイス能力応答（ＤＥＶＩＣＥ＿ＣＡＰＡＢＩＬＩＴＹ＿ＲＥＳＰＯＮＳＥ）メッセージ（デバイス情報応答メッセージともいう。）２をソース機器１１０に無線送信する。
【００２８】
次に、図５において、ソース機器１１０とシンク機器１２０との間で、機器接続処理が行われる。本実施形態では、ソース機器１１０が機器接続処理、ポート予約処理及び帯域予約処理を起動（イニシエート）する。機器接続処理において、始めに、ソース機器１１０はワイヤレスＨＤに準拠した接続要求（ＣＯＮＮＥＣＴ＿ＲＥＱＵＥＳＴ）メッセージ６をシンク機器１２０に無線送信することにより、ＡＶデータをシンク機器１２０に送信するか否かを確認する。このとき、接続要求メッセージ６のＳビットは０にセットされ、ポート領域はソースポートを表すデータを格納する。シンク機器１２０は、接続要求メッセージ６を受信すると、ソース機器１１０からの接続要求に対する結果の情報を含むワイヤレスＨＤに準拠した接続応答（ＣＯＮＮＥＣＴ＿ＲＥＳＰＯＮＳＥ）メッセージ７をソース機器１１０に無線送信する。ここで、シンク機器１２０は、ソース機器１１０からの接続要求を受け入れるときは、接続応答メッセージ７の結果コード領域に「成功」を表すデータを格納し、シンクポート領域にＡＶデータ伝送のために予約されたシンクポートのデータを格納する。接続要求メッセージ６のＲＦビットに１がセットされている場合には、シンク機器１２０は、接続応答メッセージ７の所定の領域（総データ長領域、フォーマットタイプ領域、データ長領域及びフォーマットデータ領域）に、サポートされるフォーマットの情報を格納する。接続要求メッセージ６のＲＦビットに０がセットされている場合には、シンク機器１２０は、接続応答メッセージ７の総データ長領域に０を格納する。シンク機器１２０は、ソース機器１１０からの接続要求を拒否するときは、接続応答メッセージ７の結果コード領域に適切な理由を有する「失敗」を表すデータを格納する。
【００２９】
図５において、ソース機器１１０は、「成功」を示す接続応答メッセージ７を無線受信すると、ソース機器１１０からシンク機器１２０に映像データ及び音声データを含むＡＶコンテンツデータを伝送するための伝送帯域を確保するためのワイヤレスＨＤに準拠した帯域（リソース）予約処理を行う。帯域予約処理において、ソース機器１１０は、ＡＶデータを送信するための帯域を要求して予約するために帯域要求コマンドをシンク機器１２０に無線送信する。これに応答して、シンク機器１２０の帯域管理部１２１ｂは、ソース機器１１０からシンク機器１２０にＡＶコンテンツデータを送信するために必要な予約期間を割り当て、割り当てた予約期間の情報を含む期間指定コマンドをソース機器１１０に無線送信する。
【００３０】
さらに、図５において、ソース機器１１０は帯域予約処理を正常に終了すると、ストリーム開始通知メッセージ８をシンク機器１２０に無線送信する。このとき、ストリーム開始通知メッセージ８の結果コード領域８２（図１８参照。）には「成功」を表すデータが格納される。なお、ソース機器１１０は帯域予約処理に失敗すると、「失敗」を表すデータを格納した結果コード領域８２を含むストリーム開始通知メッセージ８をシンク機器１２０に無線送信する。なお、詳細後述するように、ストリーム開始通知メッセージ８は、シンク機器１２０に送信するＡＶデータの映像フォーマットの情報及び音声フォーマットの情報を含む。ＨＲＰ（Ｈｉｇｈ  Ｒａｔｅ  Ｐｈｙｓｉｃａｌ  ｌａｙｅｒ）ストリームが割り当てられると、ソース機器１１０は、シンク機器１２０から当該シンク機器１２０がデータを有するＨＲＰストリームのＨＲＰパケットを受信する準備ができたことを表すＡＣＫ（Ａｃｋｎｏｗｌｅｄｇｅｍｅｎｔ）信号を受信するまで、ＰＨＹ（Ｐｈｙｓｉｃａｌ  ｌａｙｅｒ）ヘッダ及びＭＡＣ（Ｍｅｄｉｕｍ  Ａｃｃｅｓｓ  Ｃｏｎｔｒｏｌ）ヘッダのみを含むＨＲＰパケットをシンク機器１２０に無線送信する。ソース機器１１０は、上記ＡＣＫ信号を受信すると、ＨＲＰパケットにＡＶデータを挿入してシンク機器１２０に無線送信する。
【００３１】
また、図５において、ソース機器１１０は、ＡＶデータの映像フォーマット及び音声フォーマットのうちの少なくとも一方が変更されたときに、当該変更された映像フォーマット及び音声フォーマットのＡＶデータをシンク機器１２０に無線送信する前に、変更された映像フォーマット及び音声フォーマットの情報を含む出力フォーマット通知メッセージ（ＯＵＴＰＵＴ＿ＦＯＲＭＡＴ＿ＮＯＴＩＦＹ）メッセージ１０を、シンク機器１２０に無線送信する。
【００３２】
図６は、図５のデバイス能力要求メッセージ１のフォーマットを示す図である。図６において、デバイス能力要求メッセージ１は、以下の各領域を含む。
（１）デバイス能力要求メッセージ１のタイプを表すデータを格納するオペコード領域１１。図６において、オペコード領域１１は、このデバイス能力要求メッセージ１がデバイス能力要求メッセージであることを表すデータを格納する。
（２）シンク機器１２０に対して要求するデバイス能力のタイプを表すビットマップデータを格納する要求タイプ領域１２。
（３）将来の利用のために予約されたリザーブ領域１３。
（４）デバイス能力要求メッセージ１から、オペコード領域１１と、要求タイプ領域１２と、リザーブ領域１３と、総メッセージ長領域１４とを除いた領域のデータ長を表すデータを格納する総メッセージ長領域１４。
（５）タイプ領域１６と、サブメッセージ長領域１７と、サブメッセージデータ領域１８とをそれぞれ含む少なくとも１つのサブメッセージ１５。
【００３３】
ただし、サブメッセージ１５において、タイプ領域１６はサブメッセージデータ領域１８に格納されるデータのタイプを表すデータを格納し、サブメッセージ長領域１７はサブメッセージデータ領域１８に格納されるデータのデータ長を表すデータを格納し、サブメッセージデータ領域１８は、タイプ領域１６に格納されたタイプのデータを格納する。さらに、デバイス能力要求メッセージ１には、デバイス能力要求メッセージ１の宛先機器のＩＤ及び送信元のソース機器１１０のＩＤのデータを含むヘッダ（図示せず。）が付加される。
【００３４】
図７は、図６の要求タイプ領域１２を用いて要求されるデバイス能力のタイプを示す表である。図７に示すように、要求タイプ領域１２を用いて要求されるデバイス能力のタイプは、デバイス情報と、デバイス名と、ＭＡＣアドレスと、入力フォーマット（サポートされるフォーマット（ｓｕｐｐｕｒｔｅｄ  ｆｏｒｍａｔ））情報と、ベンダー定義とを含む。例えば、ソース機器１１０は、シンク機器１２０に対して入力フォーマット情報を要求するときに、要求タイプ領域１２に格納されるビットマップデータの入力フォーマット情報に対応するビットに１をセットする。
【００３５】
図８は、図５のデバイス能力応答メッセージ２のフォーマットを示す図である。図８において、デバイス能力応答メッセージ２は以下の各領域を含む。
（１）デバイス能力応答メッセージ２のタイプを表すデータを格納するオペコード領域２１。図８において、オペコード領域２１は、このデバイス能力応答メッセージ２がデバイス能力応答メッセージであることを表すデータを格納する。
（２）デバイス能力応答メッセージ２から、オペコード領域２１と総メッセージ長領域２２とを除いた領域のデータ長を表すデータを格納する総メッセージ長領域２２。
（３）タイプ領域２４と、サブメッセージ長領域２５と、サブメッセージデータ領域２６とをそれぞれ含む少なくとも１つのサブメッセージ２３。
【００３６】
ただし、サブメッセージ２３において、タイプ領域２４はサブメッセージデータ領域２６に格納されるデータのタイプを表すデータを格納し、サブメッセージ長領域２５はサブメッセージデータ領域２６に格納されるデータのデータ長を表すデータを格納し、サブメッセージデータ領域２６は、タイプ領域２４に格納されたタイプのデータを格納する。以下、デバイス情報に対応するデータを格納するタイプ領域２４を含むサブメッセージ２３をデバイス情報メッセージ３といい、入力フォーマット情報に対応するデータを格納するタイプ領域２４を含むサブメッセージ２３を入力フォーマット情報メッセージ５という。なお、デバイス能力応答メッセージ２には、デバイス能力応答メッセージ２の宛先機器のＩＤ及び送信元のシンク機器１２０のＩＤを含むヘッダ（図示せず。）が付加される。
【００３７】
図９は、図５のデバイス能力応答メッセージ２と、デバイス情報メッセージ３と、入力フォーマット情報メッセージ５との関係を示す図である。シンク機器１２０は、受信したデバイス能力要求メッセージ１の要求タイプ領域１２に格納されたビットマップデータのデバイス情報に対応するビットが１にセットされているとき、デバイス能力応答メッセージ２の１つのサブメッセージ２３のタイプ領域２４にデバイス情報に対応するデータを格納し、当該サブメッセージ２３をデバイス情報メッセージ３としてソース機器１１０に無線送信する。また、シンク機器１２０は、受信したデバイス能力要求メッセージ１の要求タイプ領域１２に格納されたビットマップデータの入力フォーマット情報に対応するビットが１にセットされているとき、デバイス能力応答メッセージ２の１つのサブメッセージ２３のタイプ領域２４に入力フォーマット情報に対応するデータを格納し、当該サブメッセージ２３を入力フォーマット情報メッセージ５としてソース機器１１０に無線送信する。
【００３８】
図１０は、図９のデバイス情報メッセージ３のフォーマットを示す図である。図１０において、デバイス情報メッセージ３は、以下の各領域を含む。
（１）デバイス情報に対応するデータを格納するタイプ領域２４。
（２）デバイス情報メッセージ３からタイプ領域２４とサブメッセージ長領域２５とを除いた領域のデータ長を表すデータを格納するサブメッセージ長領域２５。
（３）テレビジョン放送受信機、ＤＶＤプレーヤ及びセットトップボックスなどのデバイスカテゴリを表すデータを格納するデバイスカテゴリ領域３１。
（４）規格のバージョンを表すデータを格納するバージョン領域３２。例えば、バージョン１．０又は１．０ａの場合は、バージョン領域３２は１を格納し、バージョン１．１の場合はバージョン領域３２には２を格納する。
（５）Ａ／Ｖタイプを表すビットマップデータを格納するＡ／Ｖタイプ領域３３。Ａ／Ｖタイプを表すビットマップデータのビット０（ＬＳＢ：Ｌｅａｓｔ  Ｓｉｇｎｉｆｉｃａｎｔ  Ｂｉｔ）は映像ソース機器の機能に割り当てられ、ビット１は映像シンク機器の機能に割り当てられ、ビット２は音声ソース機器の機能に割り当てられ、ビット３は音声シンク機器の機能に割り当てられている。ビットマップデータのビットの値が１にセットされているとき、機器が当該ビットに対応する機能をサポートしていることを示す一方、ビットの値が０にセットされているとき、機器が当該ビットに対応する機能をサポートしていないことを示す。
（６）高速送受信が可能な無線タイプなどの無線タイプを表すデータを格納する無線タイプ領域３４。
（７）ソース機器１１０が高速接続機能（ｆａｓｔ  ｃｏｎｎｅｃｔ  ｓｅｑｕｅｎｃｅ：ファーストコネクトシーケンス）をサポートしているか否かを表すデータを格納するＦＣ（Ｆａｓｔ  Ｃｏｎｎｅｃｔ）領域３５。ＦＣ領域３５は、ソース機器１１０が高速接続機能をサポートしているときに１を格納する一方、サポートしていないときに０を格納する。
（８）ソース機器１１０が所定の高速映像フォーマット適応機能（ｆａｓｔ  ｖｉｄｅｏ  ａｄａｐｔａｔｉｏｎ：ファーストビデオアダプテーション）をサポートしているか否かを表すデータを格納するＦＶ（Ｆａｓｔ  Ｖｉｄｅｏ）領域３６。ＦＶ領域３６は、ソース機器１１０が所定の高速映像フォーマット適応機能をサポートしているときに１を格納する一方、サポートしていないときに０を格納する。
（９）ソース機器１１０が所定の高速音声フォーマット適応機能（ｆａｓｔ  ａｕｄｉｏ  ａｄａｐｔａｔｉｏｎ：ファーストオーディオアダプテーション）をサポートしているか否かを表すデータを格納するＦＡ（Ｆａｓｔ  Ａｕｄｉｏ）領域３７。ＦＶ領域３７は、ソース機器１１０が所定の高速音声フォーマット適応機能をサポートしているときに１を格納する一方、サポートしていないときに０を格納する。
（１０）機器がＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）において規定されているパススルーモードをサポートしているか否かを表すデータを格納するＰＴ（Ｐａｓｓ  Ｔｈｒｏｕｇｈ）領域３８。ＰＴ領域３８は、機器がパススルーモードをサポートしているときに１を格納する一方、サポートしていないときに０を格納する。
（１１）機器がシンク機器でありかつ所定のコンテンツタイプ通知機能をサポートしているか否かを表すデータを格納するＣＦ（Ｃｏｎｔｅｎｔ  Ｆｌａｇ）領域３９。ＣＦ領域３９は、機器がコンテンツタイプ通知機能をサポートしているときに１を格納する一方、サポートしていないときに０を格納する。
（１２）機器がデバイス制御機能（ＤＥＶＣＴＲＬ）をサポートしているか否かを表すデータを格納するＤＣ（Ｄｅｖｉｃｅ  Ｃｏｎｔｒｏｌ）領域４０。ＤＣ領域４０は、機器がデバイス制御機能をサポートしているときに１を格納する一方、サポートしていないときに０を格納する。
（１３）機器が所定の色分割（クロマパーティショニング）をサポートしているか否かを表すデータを格納するＣＲ（Ｃｈｒｏｍａ）領域４１。ＣＲ領域４１は、機器が色分割をサポートしているときに１を格納する一方、サポートしていないときに０を格納する。
（１４）将来の利用のために予約されたリザーブ領域４３。
【００３９】
図１１は、図９の入力フォーマット情報メッセージ５のフォーマットを示す図である。図１１において、入力フォーマット情報メッセージ５は、以下の各領域を含む。
（１）入力フォーマット情報に対応するデータを格納するタイプ領域２４。
（２）入力フォーマット情報メッセージ５からタイプ領域２４とサブメッセージ長領域２５とを除いた領域のデータ長を表すデータを格納するサブメッセージ長領域２５。
（３）将来の利用のために予約されたリザーブ領域５３。
（４）フォーマットタイプ領域５５と、データ長領域５６と、フォーマットデータ領域５７とをそれぞれ含む少なくとも１つのフォーマットデータメッセージ５４。
【００４０】
ここで、各フォーマットデータメッセージ５４において、フォーマットタイプ領域５５はフォーマットデータ領域５７に格納されるデータのタイプを表すデータを格納し、データ長領域５６はフォーマットデータ領域５７に格納されるデータのデータ長を表すデータを格納し、フォーマットデータ領域５７はフォーマットタイプ領域５５に格納されたフォーマットタイプのデータを格納する。
【００４１】
図１２は、図１１のフォーマットタイプ領域５５に格納される値とフォーマットタイプとの関係を示す表である。図１２に示すように、フォーマットタイプ領域５５に格納される各値に対応するフォーマットタイプは、映像情報（ＶＩＤＥＯ＿ＩＮＦＯ）と、音声情報（ＡＵＤＩＯ＿ＩＮＦＯ）と、スピーカ配置情報（ＳＰＥＡＫＥＲ＿ＡＬＬＯＣＡＴＩＯＮ）と、詳細タイミング情報（ＤＥＴＡＩＬＥＤ＿ＴＩＭＩＮＧ＿ＩＮＦＯ）と、最大映像バッファ情報（ＭＡＸＩＭＵＭ＿ＶＩＤＥＯ＿ＢＵＦＦＥＲ）と、最大音声バッファ情報（ＭＡＸＩＭＵＭ＿ＡＵＤＩＯ＿ＢＵＦＦＥＲ）と、圧縮映像情報（ＣＯＤＥＤ＿ＶＩＤＥＯ＿ＩＮＦＯ）とを含む。以下、映像情報に対応する値（０ｘ０１）を格納するフォーマットタイプ領域５５を含むフォーマットデータメッセージ５４を映像情報メッセージ２００といい、詳細タイミング情報に対応する値（０ｘ０４）を格納するフォーマットタイプ領域５５を含むフォーマットデータメッセージ５４を詳細タイミング情報メッセージ３００といい、圧縮映像情報に対応する値（０ｘ０７）を格納するフォーマットタイプ領域５５を含むフォーマットデータメッセージ５４を圧縮映像情報メッセージ４００という（図９参照。）。なお、本明細書において、０ｘから始まる数値は１６進数を表し、０ｂから始まる数値は２進数を表す。
【００４２】
図１３は、図９の映像情報メッセージ２００のフォーマットを示す図である。図１３において、映像情報メッセージ２００は、以下の各領域を含む。
（１）映像情報に対応する値（０ｘ０１）を格納するフォーマットタイプ領域５５。
（２）映像情報メッセージ２００からフォーマットタイプ領域５５とデータ長領域５６とを除いた領域のデータ長を表すデータを格納するデータ長領域５６。
（３）サポートされる色空間を表すビットマップデータを格納する色空間領域２０１。色空間領域２０１に格納されるビットマップデータのビット０はＲＧＢに割り当てられ、ビット１はＹＣｂＣｒ４２２に割り当てられ、ビット２はＹＣｂＣｒ４４４に割り当てられ、ビット３は予備ビットである。ビットマップデータのビットの値が１にセットされているとき、当該ビットに対応する色空間がサポートされていることを示す一方、ビットの値が０にセットされているとき、当該ビットに対応する色空間がサポートされていないことを示す。
（４）機器がフルレンジ及びリミテッドレンジのＲＧＢ量子化のうちのいずれをサポートするか、及び機器がフルレンジ及びリミテッドレンジのＹＣｒＣｂ量子化のうちのいずれをサポートするかを表すビットマップデータを格納する量子化範囲（ＱＣ）領域２０２。量子化範囲の値はＩＥＣ６１９６６−２−１によって定義されている。量子化範囲領域２０２に格納されたビットマップデータのビット０が１であるときは、機器がフルレンジのＲＧＢ量子化をサポートしていることを示す一方、０であるときは、機器がリミテッドレンジのＲＧＢ量子化をサポートしていることを示す。また、量子化範囲領域２０２に格納されたビットマップデータのビット１が１であるときは、機器がフルレンジのＹＣｒＣｂ量子化をサポートしていることを示す一方、０であるときは、機器がリミテッドレンジのＹＣｒＣｂ量子化をサポートしていることを示す。量子化範囲領域２０２に格納されたビットマップデータのビット２及び３は予備ビットである。ソース機器１１０は、フルレンジのデータをサポートしていないシンク機器に対してフルレンジのデータを送信しない。アドビ（Ａｄｏｂｅ）６０１及びｓＹＣＣ６０１は、常にフルレンジである。
（５）サポートされるアスペクト比を表すビットマップデータを格納するＡＲ（Ａｓｐｅｃｔ  Ｒａｔｉｏ）領域２０３。ＡＲ領域２０３に格納されるビットマップデータのビット０は４：３のアスペクト比に割り当てられ、ビット１は１６：９のアスペクト比に割り当てられている。ビットマップデータのビットの値が１にセットされているとき、当該ビットに対応するアスペクト比がサポートされていることを示す一方、ビットの値が０にセットされているとき、当該ビットに対応するアスペクト比がサポートされていないことを示す。
（６）サポートされる色深度を表すビットマップデータを格納する色深度領域２０４。色深度領域２０４に格納されるビットマップデータのビット０は２４ビットの色深度に割り当てられ、ビット１は３０ビットの色深度に割り当てられ、ビット２は３６ビットの色深度に割り当てられ、ビット３は４８ビットの色深度に割り当てられ、ビット４及び５は予備ビットである。ビットマップデータのビットの値が１にセットされているとき、当該ビットに対応する色深度がサポートされていることを示す一方、ビットの値が０にセットされているとき、当該ビットに対応する色深度がサポートされていないことを示す。
（７）サポートされるカラリメトリ（Ｃｏｌｏｒｉｍｅｔｒｙ）を表すデータを格納するカラリメトリ領域２０５。カラリメトリ領域２０５に格納されるビットマップデータのビット０はＩＴＵ６０１／ＳＭＰＴＥ１７０Ｍに割り当てられ、ビット１はＩＴＵ７０９に割り当てられ、ビット２は標準の解像度の原色を用いるＩＥＣ６１９６６−２−４をサポートするためにｘｖＹＣＣ６０１に割り当てられ、ビット３は高精細の原色を用いるＩＥＣ６１９６６−２−４をサポートするためにｘｖＹＣＣ７０９に割り当てられ、ビット４は静止画像の原色を用いるＩＥＣ６１９６６−２−１−ａｍ１をサポートするためにｓＹＣＣ６０１に割り当てられ、ビット５は静止画像の原色を用いるＩＥＣ６１９６６−２−５（ＣＶＤ）をサポートするためにアドビＹＣＣ６０１に割り当てられ、ビット６はアドビＲＧＢに割り当てられ、ビット７は予備ビットである。ただし、シンク機器がＲＧＢ色空間をサポートしていないときは、カラリメトリ領域２０５に格納されるビットマップデータのビット６は０にセットされ、シンク機器がＹＣｂＣｒ色空間をサポートしていないときは、ビット２は０にセットされる。
（８）シンク機器１２０がサポートする映像フォーマットの総数Ｎ（Ｎは１以上の整数である。）を格納するフォーマット数領域２０６。
（９）シンク機器１２０がサポートする映像フォーマットのＶＩＣをそれぞれ格納するＮ個のＶＩＣ領域２０７−１〜２０７−Ｎ。
（１０）映像情報メッセージ２００のメッセージ長を所定のデータ長の単位（本実施形態において、３２ビットである。）の整数倍に揃えるために設けられるパディング領域２０８。
【００４３】
図１４は、図９の詳細タイミング情報メッセージ３００のフォーマットを示す図である。図１４において、詳細タイミング情報メッセージ３００は、以下の各領域を含む。
（１）詳細タイミング情報に対応する値（０ｘ０４）を格納するフォーマットタイプ領域５５。
（２）詳細タイミング情報メッセージ３００からフォーマットタイプ領域５５とデータ長領域５６とを除いた領域のデータ長を表すデータを格納するデータ長領域５６。
（３）詳細タイミング情報（Ｄｅｔａｉｌｅｄ  Ｔｉｍｉｎｇ  Ｉｎｆｏ）のＩＤ番号を格納するＩＤ領域３０２。
（４）ピクセルクロック周波数を格納するピクセルクロック領域３０４。
（５）水平有効期間Ｈａｃｔｉｖｅの有効画素数を格納する水平有効期間領域３０５。
（６）水平ブランキング期間（ブランク期間）Ｈｂｌａｎｋの画素数を格納する水平ブランキング期間領域３０７。
（７）垂直有効期間Ｖａｃｔｉｖｅの有効画素数を格納する垂直有効期間領域３０９。
（８）垂直ブランキング期間Ｖｂｌａｎｋの画素数を格納する垂直ブランキング期間領域３１１。
（９）水平同期パルスＨｓｙｎｃの水平ブランキング期間Ｈｂｌａｎｋの先頭からのオフセット期間である水平同期パルス前駆期間（水平同期オフセット期間）Ｈｆｒｏｎｔの長さを画素数で表した値を格納する水平同期オフセット領域３１３。
（１０）垂直同期パルスＶｓｙｎｃの垂直ブランキング期間Ｖｂｌａｎｋの先頭からのオフセット期間である垂直同期パルス前駆期間（垂直同期オフセット期間）Ｖｆｒｏｎｔの長さを画素数で表した値を格納する垂直同期オフセット領域３１４。
（１１）水平同期パルスＨｓｙｎｃのパルス幅を画素数で表した値を格納する水平同期パルス幅領域３１５。
（１２）垂直同期パルスＶｓｙｎｃのパルス幅を画素数で表した値を格納する垂直同期パルス幅領域３１６。
（１３）画像の水平方向のサイズをミリメートル単位で表した値を格納する水平画像サイズ領域３１７。
（１４）画像の垂直方向のサイズをミリメートル単位で表した値を格納する垂直画像サイズ領域３１９。
（１５）水平方向の境界を表すデータを格納する水平境界領域３２１。
（１６）垂直方向の境界を表すデータを格納する垂直境界領域３２２。
（１７）ステレオ映像に関わる情報を格納するフラグ領域３２３。
（１８）将来の利用のために予約されたリザーブ領域３０１，３０３，３０６，３０８，３１０，３１２，３１８，３２０及び３２４。
【００４４】
図１５は、水平有効期間Ｈａｃｔｉｖｅ、水平ブランキング期間Ｈｂｌａｎｋ、水平周波数Ｈｆｒｅｑ、垂直有効期間Ｖａｃｔｉｖｅ、垂直ブランキング期間Ｖｂｌａｎｋ及び垂直周波数Ｖｆｒｅｑの各定義を示すタイミングチャートであり、図１６は、水平同期パルス前駆期間Ｈｆｒｏｎｔ、水平同期パルスＨｓｙｎｃ、水平同期パルス後駆期間Ｈｂａｃｋ、垂直同期パルス前駆期間Ｖｆｒｏｎｔ、垂直同期パルスＶｓｙｎｃ、及び垂直同期パルス後駆期間Ｖｂａｃｋの各定義を示すタイミングチャートである。図１６において、データイネーブル信号（Ｄａｔａ  Ｅｎａｂｌｅ）は有効画素の開始及び終了タイミングを示し、水平同期信号ＨＳは水平同期パルスＨｓｙｎｃを伝送し、垂直同期信号ＶＳは垂直同期パルスＶｓｙｎｃを伝送する。また、水平同期パルス前駆期間Ｈｆｒｏｎｔは水平ブランキング期間Ｈｂｌａｎｋの中の水平同期信号ＨＳがハイレベルになる前の期間であり、水平同期パルスＨｓｙｎｃは水平同期信号ＨＳがハイレベルを有する期間であり、水平同期パルス後駆期間Ｈｂａｃｋは水平ブランキング期間Ｈｂｌａｎｋの中の水平同期パルスＨｓｙｎｃの後の水平同期信号ＨＳがローレベルを有する期間である。さらに、垂直同期パルス前駆期間Ｖｆｒｏｎｔは垂直ブランキング期間Ｖｂｌａｎｋの中で垂直同期信号ＶＳがハイレベルになる前の期間であり、垂直同期パルスＶｓｙｎｃ垂直同期信号ＶＳがハイレベルを有する期間であり、垂直同期パルス後駆期間Ｖｂａｃｋは垂直ブランキング期間Ｖｂｌａｎｋの中の垂直同期パルスＶｓｙｎｃの後の垂直同期信号ＶＳがローレベルを有する期間である。
【００４５】
図１７は、図９の圧縮映像情報メッセージ４００のフォーマットを示す図である。図１７において、圧縮映像情報メッセージ４００は、以下の各領域を含む。
（１）圧縮映像情報に対応する値（０ｘ０７）を格納するフォーマットタイプ領域５５。
（２）圧縮映像情報メッセージ４００からフォーマットタイプ領域５５とデータ長領域５６とを除いた領域のデータ長を表すデータを格納するデータ長領域５６。
（３）将来の利用のために予約されたリザーブ領域４０１。
（４）シンク機器１２０において処理可能な最小のサブスライスサイズを表すデータをオクテット単位で格納する最小サブスライスサイズ（Ｍｉｎｉｍｕｍ  Ｓｕｂ−Ｓｌｉｃｅ  Ｓｉｚｅ）領域４０２。
（５）シンク機器１２０がバッファリング可能なスライス数の最大値を表すデータを格納する最大未処理スライス数（Ｍａｘｉｍｕｍ  Ｓｌｉｃｅｓ  Ｏｕｔｓｔａｎｄｉｎｇ）領域４０３。
（６）圧縮された映像データのために割り当てられたシンク機器１２０のバッファ１２９の最大サイズを表すデータをオクテット単位で格納する最大総圧縮映像バッファサイズ（Ｍａｘｉｍｕｍ  Ｔｏｔａｌ  Ｃｏｄｅｄ  Ｖｉｄｅｏ  Ｂｕｆｆｅｒ  Ｓｉｚｅ）領域４０４。
（７）シンク機器１２０が圧縮された映像データのためにバッファリング可能な最大の時間長を表すデータを格納する最大総圧縮映像バッファ時間（Ｍａｘｉｍｕｍ  Ｔｏｔａｌ  Ｃｏｄｅｄ  Ｖｉｄｅｏ  Ｂｕｆｆｅｒ  Ｔｉｍｅ）領域４０５。
【００４６】
図１７において、領域４０２〜４０５にそれぞれ格納される各パラメータは、ソース機器１１０において映像データを所定の第１の圧縮方法で圧縮するときに用いられる圧縮用パラメータである。なお、シンク機器１２０は、圧縮映像データを伸張できるときには圧縮映像情報メッセージ４００をソース機器１１０に送信する一方、圧縮映像データを伸張できないときには圧縮映像情報メッセージ４００をソース機器１１０に送信しない。
【００４７】
図１８は、図５のストリーム開始通知メッセージ８のフォーマットを示す図である。ストリーム開始通知メッセージ８は、ソース機器１１０からシンク機器１２０に対して図５の帯域予約処理の結果及びＡＶデータの出力フォーマット（すなわち、ＡＶデータに含まれる映像データの映像フォーマット及び音声データの音声フォーマットである。）を通知するために用いられる。図１８において、ストリーム開始通知メッセージ８は、以下の各領域を含む。
（１）ストリーム開始通知メッセージ８のオペレーションコードを格納するオペコード領域８１。
（２）図５の帯域予約処理が成功したか否か（ストリームの送信が正常に開始されるか否か）を表すデータを格納する結果コード領域８２。
（３）図５の帯域予約処理においてＭＡＣ層から得られた（又は、割り当てられた）ストリームインデックスを格納するストリームインデックス領域８３。
（４）ＡＶデータの伝送のために予約されたシンクポート番号を格納するシンクポート領域８４。
（５）シンクポート及びソースポートが映像データのために用いられるときには１を格納し、シンクポート及びソースポートが映像データのために用いられないときには０を格納するＶＰ領域８５。
（６）シンクポート及びソースポートが音声データのために用いられるときには１を格納し、シンクポート及びソースポートが音声データのために用いられないときには０を格納するＡＰ領域８６。
（７）ＡＶデータの伝送のために予約されたソースポート番号を格納するソースポート領域８７。
（８）将来の利用ために予約されたリザーブ領域８８。
（９）ストリーム開始通知メッセージ８からオペコード領域８１と総データ長領域８９とを除いた領域のデータ長を表すデータを格納する総データ長領域８９。
（１０）フォーマットタイプ領域９１と、バージョン領域９２と、データ長領域９３と、フォーマットデータ領域９４とをそれぞれ含む少なくとも１つのフォーマット領域９０。
【００４８】
ここで、各フォーマット領域９０において、フォーマットタイプ領域９１はフォーマットデータ領域９４に格納されるデータのタイプを表すデータを格納し、バージョン領域９２はフォーマットデータ領域９４の規格のバージョン番号を格納し、データ長領域９３はフォーマットデータ領域９４に格納されるデータのデータ長を表すデータを格納し、フォーマットデータ領域９４はフォーマットタイプ領域９１に格納されたフォーマットタイプのデータを格納する。
【００４９】
図１９は、図１８のフォーマットタイプ領域９１に格納される値とフォーマットタイプとの関係を示す表である。図１９に示すように、フォーマットタイプ領域９１に格納される各値に対応するフォーマットタイプは、映像フォーマット情報と、音声フォーマット情報と、色域メタデータ（Ｇａｍｕｔ  Ｍｅｔａｄａｔａ）情報と、ベンダー依存情報と、詳細タイミング情報と、最大映像バッファ情報と、最大音声バッファ情報と、圧縮映像情報とを含む。以下、映像フォーマット情報に対応する値（０ｘ００）を格納するフォーマットタイプ領域９１を含むフォーマット領域９０を映像フォーマット領域５００といい、圧縮映像情報に対応する値（０ｘ０７）を格納するフォーマットタイプ領域９１を含むフォーマット領域９０を圧縮映像フォーマット領域６００という。
【００５０】
図２０は、図１８のストリーム開始通知メッセージ８にフォーマット領域９０として含まれる映像フォーマット領域５００のフォーマットを示す図である。図２０において、映像フォーマット領域５００は、以下の各領域を含む。
（１）映像フォーマット情報に対応する値（０ｘ００）を格納するフォーマットタイプ領域９１。
（２）以下の領域５０１〜５１２の規格のバージョン番号を格納するバージョン領域９２。
（３）映像フォーマット領域５００からフォーマットタイプ領域９１と、バージョン領域９２と、データ長領域９３とを除いた領域のデータ長を表すデータを格納するデータ長領域９３。
（４）送信される映像データの映像フォーマットを表すＶＩＣを格納するＶＩＣ領域５０１。
（５）送信される映像データのカラーフォーマットのタイプを表すデータを格納するＣＳ（Ｃｏｌｏｒ  Ｓｐａｃｅ：色空間）領域５０２。ＣＳ領域５０２は、カラーフォーマットのタイプがＲＧＢであるときは０を格納し、ＹＣｂＣｒ４２２であるときは１を格納し、ＹＣｂＣｒ４４４であるときは２を格納する。３から７までの間の値は、予備の値である。
（６）送信される映像データの色深度のビット数を格納するＣＤ（Ｃｏｌｏｒ  Ｄｅｐｔｈ：色深度）領域５０３。ＣＤ領域５０３は、色深度が２４ビットであるときは０を格納し、３０ビットであるときは１を格納し、３６ビットであるときは２を格納し、４８ビットであるときは３を格納する。４から７までの間の値は、予備の値である。
（７）送信される映像のアスペクト比を表すデータを格納するＰＡＲ（Ｐｉｃｔｕｒｅ  Ａｓｐｅｃｔ  Ｒａｔｉｏ：映像アスペクト比）領域５０４。ＰＡＲ領域５０４は、映像アスペクト比が４：３であるときは９を格納し、１６：９であるときは１０を格納し、１４：９であるときは１１を格納する。１から８までの間の値及び１２から１５までの間の値は、予備の値である。
【００５１】
（８）送信される映像データのカラリメトリ情報（ＩＴＵＢＴ．６０１及びＢＴ．７０９など。）を格納するＣＭ（Ｃｏｌｏｒｉｍｅｔｒｙ：カラリメトリ）領域５０５。ＣＭ領域５０５は、カラリメトリのデータがないときは０を格納し、カラリメトリがＩＴＵ６０１／ＳＭＰＴＥ１７０Ｍであるときは１を格納し、ＩＴＵ７０９であるときは２を格納し、ｘｖＹＣＣ６０１であるときは３を格納し、ｘｖＹＣＣ７０９であるときは４を格納し、ｓＹＣＣ６０１であるときは８を格納し、アドビＹＣＣ６０１であるときは９を格納し、アドビＲＧＢであるときは１０を格納する。５から７までの間の値及び１１から１５までの間の値は、予備の値である。
ソース機器１１０は、典型的には、送信される映像フォーマットに関する所定のデフォルトのカラリメトリを用いる。ＣＭ領域５０５にカラリメトリを表す値が格納されていない場合、送信される信号のカラリメトリは送信される映像フォーマットに関するデフォルトのカラリメトリと一致する。
図２〜図４のＶＩＣテーブル１１５ｔ，１２７ｔ内の、４８０ライン、５７６ライン、２４０ライン及び２８８ラインの映像フォーマットのデフォルトのカラリメトリはＳＭＰＴＥ１７０Ｍに基づく。図２〜図４のＶＩＣテーブル１１５ｔ，１２７ｔ内の７２０ライン及び１０８０ラインの高精細の映像フォーマットのデフォルトのカラリメトリはＩＴＵ７０９に基づく。その他の映像フォーマットのデフォルトのカラリメトリはｓＲＧＢに基づく。
シンク機器１２０がｘｖＹＣＣ６０１、ｘｖＹＣＣ７０９又はｓＹＣＣ６０１をサポートしていないときは、ソース機器１１０はできるだけｘｖＹＣＣで符号化された映像データ又はｓＹＣＣ６０１の映像データを送信せず、ＣＭ領域５０５にｘｖＹＣＣ６０１、ｘｖＹＣＣ７０９及びｓＹＣＣ６０１を表す値を格納しない。
ＣＳ領域５０２にＹＣｂＣｒ４４４又はＹＣｂＣｒ４２２を表すデータが格納されるときは、シンク機器１２０はＣＭ領域５０５にアドビＲＧＢを表す値を格納しない。
後述するＣＦ（Ｃｏｎｔｅｎｔ  Ｆｌａｇ）領域５０７において定義される写真モードのデフォルトのカラリメトリはｓＹＣＣ６０１に基づいており、ｓＹＣＣ６０１、アドビＹＣＣ６０１及びアドビＲＧＢのうちから選択される１つのカラリメトリである。アドビＲＧＢはＲＧＢ色空間の構成要素であるが、ＣＳ領域５０２に格納された値が０であるときは、アドビＲＧＢを表す値が選択される。
シンク機器１２０がアドビＹＣＣ６０１又はアドビＲＧＢをサポートしていないときには、ソース機器１１０はアドビのカラリメトリで符号化された写真ソースデータを送信せず、ＣＭ領域５０５にアドビＹＣＣ６０１及びアドビＲＧＢを表す値を格納しない。
【００５２】
（９）送信される映像データの有効画素のアスペクト比を表すデータを格納するＡＦＡＲ（Ａｃｔｉｖｅ  Ｆｏｒｍａｔ  Ａｓｐｅｃｔ  Ｒａｔｉｏ）領域５０６。ＡＦＡＲ領域５０６は、映像データの有効画素のアスペクト比が４：３であるときは０を格納し、１６：９であるときは１０を格納し、１４：９であるときは１１を格納する。０から８までの間の値及び１２から１５までの間の値は、予備の値である。
【００５３】
（１０）サポートされるコンテンツの分類（タイプ）を表すデータを格納するＣＦ（Ｃｏｎｔｅｎｔ  Ｆｌａｇ）領域５０７。ＣＦ領域５０７は、映像データのコンテンツがデフォルトであるときは０を格納し、テキスト（Ｔｅｘｔ）であるときは８を格納し、写真（Ｐｈｏｔｏ）であるときは９を格納し、映画（Ｃｉｎｅｍａ）であるときは１０を格納し、ゲーム（Ｇａｍｅ）であるときは１１を格納する。１から７までの間の値及び１２から１５までの間の値は予備の値である。
ＣＦ領域５０７に格納される値は、コンテンツに基づいており、機器のタイプには基づいていない。例えば、動画を再生できるディジタルスチルカメラ、録画されたテレビジョン放送の番組を再生できるＤＶＤプレーヤ及び映画を再生できるゲーム機が存在する。しかしながら、ＣＦ領域５０７に格納されるコンテンツのタイプは以下のように定義される。
テキスト：ビットマップテキストを示す。シンク機器１２０は、フィルタされていないアナログの再構築（ａｎａｌｏｇ  ｒｅｃｏｎｓｔｒｕｃｔｉｏｎ）なしの結果を表示する。
写真：静止画像を示す。ＣＦ領域５０７が写真を表す値を格納しているとき、ＣＭ領域５０５はｓＹＣＣ６０１、アドビ６０１又はアドビＲＧＢを表す値を格納し、後述するＱＲ（Ｑｕａｎｔｉｚａｔｉｏｎ  Ｒａｎｇｅ）領域５０８はフルレンジを表す値を格納する。ソース機器１１０は、シンク機器１２０によってサポートされていないカラリメトリを有するコンテンツのデータをシンク機器１２０に送信しない。シンク機器１２０は、シンク機器１２０の画像強調（ｐｉｃｔｕｒｅ  ｅｎｈａｎｃｅｍｅｎｔ）の度合いを減少させる。このとき、スケーリングはディスプレイの解像度以下である。
映画：映画ソースデータを示す。シンク機器１２０は、シンク機器１２０の画像強調の度合いを減少させる。音声はＡＶアンプ又はテレビジョン放送受信機のスピーカにリンクされる。
ゲーム：ゲームソースデータを示す。シンク機器１２０は、シンク機器１２０の画像強調の度合いを減少させる。音声のレイテンシは最小化される。
【００５４】
（１１）送信される映像データの量子化（ビット）範囲を表すデータを格納するＱＲ（Ｑｕａｎｔｉｚａｔｉｏｎ  Ｒａｎｇｅ：量子化範囲）領域５０８。ＱＲ領域５０８は、量子化範囲が映像フォーマットに応じて決められたデフォルトの量子化範囲であるときは０を格納し、リミテッドレンジであるときは１を格納し、フルレンジであるときは２を格納する。
３は予備の値である。
ソース機器１１０は、シンク機器１２０によってサポートされていない量子化範囲の映像データをシンク機器１２０に送信しない。幾つかの映像フォーマットにおいて、使用可能なＱＲ領域５０８に格納可能な量子化範囲は以下のように制限されている。
ＲＧＢ映像フォーマット：「リミテッドレンジ」又は「フルレンジ」。
ＹＣｂＣｒ映像フォーマット：「リミテッドレンジ」。
ＶＧＡ（６４０×４８０）、ｓＹＣＣ６０１及びアドビ６０１映像フォーマット：「フルレンジ」。
【００５５】
（１２）送信される映像データのタイミング情報として詳細タイミング情報（ＤＥＴＡＩＬＥＤ＿ＴＩＭＩＮＧ＿ＩＮＦＯ）が用いられるときは１を格納する一方、用いられないときは０を格納するＤ（Ｄｅｔａｉｌｅｄ  Ｔｉｍｉｎｇ  Ｉｎｆｏｒｍａｔｉｏｎ）領域５０９。
（１３）Ｄ領域５０９に１が格納されているときには詳細タイミング情報のＩＤを格納する一方、０が格納されているときには０を格納するＩＤ（ＩＤ  ｏｆ  Ｄｅｔａｉｌｅｄ  Ｔｉｍｉｎｇ  Ｉｎｆｏｒｍａｔｉｏｎ領域５１０。
（１４）映像フォーマットのパーティションモードを表すデータを格納するＰＭ（Ｐａｒｔｉｔｉｏｎ  Ｍｏｄｅ）領域５１１。ＰＭ領域５１１は、パーティションモードが２ｘ２であるときは０ｂ０００を格納し、１ｘ１であるときは０ｂ００１を格納し１ｘ２であるときは０ｂ０１０を格納し、２ｘ１であるときは０ｂ０１１を格納し、２ｘ４であるときは０ｂ１００を格納し、４ｘ２であるときは０ｂ１０１を格納し、４ｘ４であるときは０ｂ１１０を格納し、２ｘ２クロマであるときは０ｂ１１１を格納する。
（１５）将来の利用ために予約されたリザーブ領域５１２。
【００５６】
図２１は、図１８のストリーム開始通知メッセージ８にフォーマット領域９０として含まれる圧縮映像フォーマット領域６００のフォーマットを示す図である。図２１において、圧縮映像フォーマット領域６００は、以下の各領域を含む。
（１）圧縮映像情報に対応する値（０ｘ０７）を格納するフォーマットタイプ領域９１。
（２）バージョン番号０ｘ０１を格納するバージョン領域９２。
（３）以下の領域６０１〜６０３の総データ長を表すデータを格納するデータ長領域９３。
（４）送信される映像データが圧縮されているときに１を格納する一方、送信される映像データが圧縮されていないときに０を格納するＡ（Ａｃｔｉｖｅ）領域６０１。
（５）パーティショニングモードが用いられるときに１を格納し、用いられない時に０を格納するＰ（Ｐａｒｔｉｔｉｏｎ  Ｍｏｄｅ）領域６０２。
（６）将来の利用ために予約されたリザーブ領域６０３。
【００５７】
図２２は、図５の出力フォーマット通知メッセージ１０のフォーマットを示す図である。ソース機器１１０は、ＡＶデータをシンク機器１２０に送信する前に、及び、ＡＶデータの映像フォーマット及び音声フォーマットのうちの少なくとも一方が変化されたときに、送信するＡＶデータの映像フォーマット及び音声フォーマットを含む出力フォーマット通知メッセージ１０を、シンク機器１２０に送信する。図２２において、出力フォーマット通知メッセージ１０は、以下の各領域を含む。
（１）出力フォーマット通知メッセージ１０のオペレーションコードを格納するオペコード領域１０１。
（２）ＡＶデータの伝送のために予約されたシンクポート番号を格納するシンクポート領域１０２。
（３）シンクポート及びソースポートが映像データのために用いられるときには１を格納し、シンクポート及びソースポートが映像データのために用いられないときには０を格納するＶＰ領域１０３。
（４）シンクポート及びソースポートが音声データのために用いられるときには１を格納し、シンクポート及びソースポートが音声データのために用いられないときには０を格納するＡＰ領域１０４。
（５）ＡＶデータの伝送のために予約されたソースポート番号を格納するソースポート領域１０５。
（６）出力フォーマット通知メッセージ１０からオペコード領域１０１と総データ長領域１０７を除いた領域のデータ長を表すデータを格納する総データ長領域１０７。
（７）将来の利用ために予約されたリザーブ領域１０６及び１０８。
（８）フォーマットタイプ領域９１と、バージョン領域９２と、データ長領域９３と、フォーマットデータ領域９４とをそれぞれ含む少なくとも１つのフォーマット領域９０。なお、図２２において、フォーマット領域９０は、図１８のストリーム開始通知メッセージ８のフォーマット領域９０と同様に構成される。
【００５８】
次に、図５を参照して、ソース機器１１０がシンク機器１２０に圧縮映像データを含むＡＶデータを送信するときの図１の無線通信システムの動作を説明する。まず、ソース機器１１０は、デバイス能力要求メッセージ１の１つのサブメッセージ１５のタイプ領域１６に「入力フォーマット情報」を表すデータを格納して（図６及び図７参照。）シンク機器１２０に送信することにより、シンク機器１２０に対してシンク機器１２０がサポートする入力フォーマットの情報を要求する。これに応答して、シンク機器１２０は、映像情報メッセージ２００と圧縮映像情報メッセージ４００とを含む入力フォーマット情報メッセージ５を含むデバイス能力応答メッセージ２（図９参照。）をソース機器１１０に送信する。ここで、映像情報メッセージ２００は、ＥＤＩＤデータ１２７ｄに含まれるシンク機器１２０がサポートする映像フォーマットのＶＩＣを含む。また、圧縮映像情報メッセージ４００は、ソース機器１１０において映像データを所定の第１の圧縮方法で圧縮するときに用いられる圧縮用パラメータを含む。ここで、圧縮用パラメータは、シンク機器１２０において処理可能な最小のサブスライスサイズと、シンク機器１２０がバッファリング可能なスライス数の最大値と、圧縮された映像データのために割り当てられたシンク機器１２０のバッファ１２９の最大サイズを表すデータと、シンク機器１２０が圧縮された映像データのためにバッファリング可能な最大の時間長とを含む。
【００５９】
さらに、図５において、ソース機器１１０はデバイス能力応答メッセージ２を受信すると、受信されたデバイス能力応答メッセージ２の映像情報メッセージ２００に含まれるＶＩＣの中から１つのＶＩＣを選択し、ＶＩＣテーブル１１５ｔを参照して、選択されたＶＩＣの映像フォーマットを識別する。また、ソース機器１１０は、デバイス能力応答メッセージ２が圧縮映像情報メッセージ４００を含むか否かに基づいて、シンク機器１２０において圧縮映像データを伸張できるか否かを判断する。そして、パケット処理回路１１３は、映像音声再生装置１１２からの映像データに基づいて、識別された映像フォーマットの映像データを生成する。さらに、パケット処理回路１１３は、生成された映像データを、受信された圧縮映像情報メッセージ４００に含まれる圧縮用パラメータを用いて所定の第１の圧縮方法で圧縮して圧縮映像データを生成する。そして、パケット処理回路１１３は、圧縮映像データ及び入力される音声データを、ワイヤレスＨＤによって定義されたパケットの形式のデジタル信号に変換してパケット無線送受信回路１１４に出力する。
【００６０】
さらに、図５において、帯域予約処理の後に、ソース機器１１０は、（ａ）送信する圧縮映像データの映像フォーマットを識別するＶＩＣを格納したＶＩＣ領域５０１を含む映像フォーマット領域５００（図２０参照。）と、（ｂ）送信する映像データが圧縮されていることを表す値（１である。）を格納するＡ領域６０１を含む圧縮映像フォーマット領域６００（図２１参照。）とを含むストリーム開始通知メッセージ８（図１８参照。）を、シンク機器１２０に送信する。そして、ソース機器１１０は、パケット無線送受信回路１１４に対して、パケット処理回路１１３からのデジタル信号を、ＡＶデータＤ１としてシンク機器１２０に向けて無線送信するように制御する。
【００６１】
一方、シンク機器１２０は、受信したストリーム開始通知メッセージ８内の映像フォーマット領域５００に基づいて、受信される映像データのＶＩＣを識別し、識別されたＶＩＣに基づいてＶＩＣテーブル１２７ｔを参照して、受信される映像データの映像フォーマットを識別する。さらに、シンク機器１２０は、ストリーム開始通知メッセージ８内の圧縮映像フォーマット領域６００に基づいて、受信される映像データが所定の第１の圧縮方法で圧縮されていることを識別する。そして、シンク機器１２０において、パケット処理回路１２３は、ソース機器１１０から受信されたデジタル信号から所定のパケット分離処理により圧縮映像データ及び音声データを取り出し、圧縮映像データをソース機器１１０において用いられた所定の第１の圧縮方法に対応する所定の伸長方法で伸張する。さらに、パケット処理回路１２３は、伸張された映像データを識別された映像フォーマットに従ってデコードしてディスプレイ１２６に出力する。
【００６２】
また、ソース機器１１０は、ＡＶデータＤ１の映像フォーマット及び音声フォーマットのうちの少なくとも一方が変更されときに、当該変更後映像フォーマット及び音声フォーマットを有するＡＶデータＤ２をシンク機器１２０に送信する前に、（ａ）送信する圧縮映像データの映像フォーマットを識別するＶＩＣを格納したＶＩＣ領域５０１を含む映像フォーマット領域５００（図２０参照。）と、（ｂ）映像データが圧縮されていることを示す値（１である。）を格納するＡ領域６０１を含む圧縮映像フォーマット領域６００（図２１参照。）とを含む出力フォーマット通知メッセージ１０を、シンク機器１２０に無線送信する。これに応答して、シンク機器１２０は、出力フォーマット通知メッセージ１０に基づいて、受信される映像データのＶＩＣを識別し、受信される映像データが所定の第１の圧縮方法で圧縮されていることを識別する。そして、シンク機器１２０において、パケット処理回路１２３は、ソース機器１１０から受信されたデジタル信号から所定のパケット分離処理により圧縮映像データ及び音声データを取り出し、圧縮映像データをソース機器１１０において用いられた所定の第１の圧縮方法に対応する所定の伸長方法で伸張する。さらに、パケット処理回路１２３は、伸張された映像データを識別されたＶＩＣの映像フォーマットに従ってデコードしてディスプレイ１２６に出力する。
【００６３】
従来技術に係るワイヤレスＨＤでは、ＶＩＣは４ｋ２ｋ映像データに割り当てられていなかったので、シンク機器１２０はデバイス能力応答メッセージ２に含まれる映像情報メッセージ２００を用いて、４ｋ２ｋ映像データを表示可能であることをソース機器１１０に通知できなかった。また、ソース機器１１０は、ストリーム開始通知メッセージ８又は出力フォーマット通知メッセージ１０を用いて、送信する映像データの映像フォーマットは４ｋ２ｋ映像フォーマットであるということをシンク機器１２０に通知できなかった。従って、ソース機器１１０からシンク機器１２０に４ｋ２ｋ映像データを無線送信できなかった。
【００６４】
しかしながら、本実施形態によれば、ＶＩＣの４８から５２を４ｋ２ｋ映像フォーマットに割り当てたので、シンク機器１２０はデバイス能力応答メッセージ２に含まれる映像情報メッセージ２００を用いて、４ｋ２ｋ映像データを表示可能であることをソース機器１１０に通知できる。さらに、ソース機器１１０は、ストリーム開始通知メッセージ８又は出力フォーマット通知メッセージ１０を用いて、送信する映像データの映像フォーマットは４ｋ２ｋ映像フォーマットであるということをシンク機器１２０に通知できる。このため、ソース機器１１０からシンク機器１２０に４ｋ２ｋ映像データを無線送信できる。
【００６５】
また、従来技術に係るワイヤレスＨＤは非圧縮の映像データを伝送するために策定された。しかしながら、無線通信の帯域幅などの制約により、４ｋ２ｋ映像データをワイヤレスＨＤに従ってそのまま圧縮せずに送信することは困難であり、映像データを圧縮する必要がある。本実施形態によれば、従来技術に比較して、入力フォーマット情報メッセージのフォーマットタイプ領域５５に格納される値に圧縮映像情報を表す値（０ｘ０７）を追加した（図１２参照。）ので、シンク機器１２０は、ソース機器１１０において映像データを所定の第１の圧縮方法で圧縮する時に用いられる圧縮用パラメータを含む圧縮映像情報メッセージ４００を含むデバイス能力応答メッセージ２を、ソース機器１１０に対して送信できる。これにより、ソース機器１１０は受信された圧縮用パラメータを用いて映像データを圧縮できる。さらに、従来技術に比較して、ストリーム開始通知メッセージ８及び出力フォーマット通知メッセージ１０のフォーマットタイプ領域９１に格納される値に圧縮映像情報を表す値（０ｘ０７）を追加した（図１９参照。）ので、ソース機器１１０は、圧縮映像フォーマット領域６００を含むストリーム開始通知メッセージ８又は出力フォーマット通知メッセージ１０を用いて、映像データが圧縮されていることをシンク機器１２０に通知できる。これに応答して、シンク機器１２０は受信された圧縮映像データを伸張できる。従って、ソース機器１１０からシンク機器１２０に圧縮された４ｋ２ｋ映像データを無線送信できる。
【００６６】
第２の実施形態．
図２３は、本発明の第２の実施形態に係る圧縮映像情報メッセージ４００Ａのフォーマットを示す図である。図２３において、圧縮映像情報メッセージ４００Ａは、以下の各領域を含む。
（１）圧縮映像情報に対応する値（０ｘ０７）を格納するフォーマットタイプ領域５５。
（２）圧縮映像情報メッセージ４００Ａからフォーマットタイプ領域５５とデータ長領域５６とを除いた領域のデータ長を表すデータを格納するデータ長領域５６。
（３）ＶＩＣテーブル１２７ｔに含まれるＶＩＣのうちの少なくとも１つの所定の必須の（マンダトリ）ＶＩＣの映像データが第１、第２又は第３の圧縮方法で圧縮されているときに、シンク機器１２０が当該圧縮された映像データを伸張できるか否かを表すフラグデータを格納するＣ領域４０６。なお、本実施形態及び以下の各実施形態において、必須のＶＩＣは４ｋ２ｋ映像フォーマットのＶＩＣ（４８，４９，５０，５１及び５２）である。
（４）将来の利用のために予約されたリザーブ領域４０７。
（５）シンク機器１２０がサポートする圧縮方法（コーデック）を表す８ビットのビットマップデータを格納する圧縮方法ビットマップ領域４０８。圧縮方法を表すビットマップデータのビット０は第１の圧縮方法に割り当てられ、ビット１は第２の圧縮方法に割り当てられ、ビット２は第３の圧縮方法に割り当てられている。ビット３からビット８は予備ビットである。圧縮方法を表すビットマップデータのビットの値が１にセットされているとき、当該ビットに対応する圧縮方法で圧縮された圧縮映像データをシンク機器１２０が伸張できることを示す一方、ビットの値が０にセットされているとき、当該ビットに対応する圧縮方法で圧縮された圧縮映像データをシンク機器１２０が伸張できないことを示す。
【００６７】
シンク機器１２０は、第１の実施形態係る圧縮映像情報メッセージ４００を用いて、伸張できる圧縮映像データのＶＩＣ及び圧縮方法をソース機器１１０に通知できない。しかしながら、本実施形態によれば、圧縮映像情報メッセージ４００ＡはＣ領域４０６と圧縮方法ビットマップ領域４０８とを含むので、シンク機器１２０は、Ｃ領域４０６に格納されるフラグデータの値を１にセットすることにより、上述した必須のＶＩＣの映像データを第１〜第３の圧縮方法で圧縮した各圧縮映像データをそれぞれ伸張できるか否かを、ソース機器１１０に通知できる。
【００６８】
第３の実施形態．
図２４は、本発明の第３の実施形態に係る圧縮映像情報メッセージ４００Ｂのフォーマットを示す図である。本実施形態に係る圧縮映像情報メッセージ４００Ｂは、第２の実施形態に係る圧縮映像情報メッセージ４００Ａに比較して、圧縮方法ビットマップ領域４０８に格納されたビットマップデータによって示されたシンク機器１２０がサポートする圧縮方法で圧縮された圧縮映像データのうち、シンク機器１２０が伸張可能な圧縮映像データのＶＩＣをそれぞれ格納するＶＩＣ領域４０９−１，４０９−２，…，４０９−Ｎ（Ｎは１以上の整数である。）をさらに含むことを特徴としている。なお、図２４において、Ｃ領域４０６は、ＶＩＣテーブル１２７ｔに含まれるＶＩＣのうちの少なくとも１つのＶＩＣの第１、第２又は第３の圧縮方法で圧縮された圧縮映像データをシンク機器１２０が伸張できるときにフラグデータ（１）を格納し、ＶＩＣテーブル１２７ｔに含まれる全てのＶＩＣの第１、第２又は第３の圧縮方法で圧縮された圧縮映像データをシンク機器１２０が伸張できないときにフラグデータ（０）を格納する。
【００６９】
第２の実施形態では、シンク機器１２０は、圧縮映像情報メッセージ４００Ａを用いて、シンク機器１２０において伸張可能な必須のＶＩＣの圧縮映像データの圧縮方法のみをソース機器１１０に通知できたが、本実施形態によれば、シンク機器１２０は、圧縮映像情報メッセージ４００Ｂを用いて、シンク機器１２０において伸張可能なＶＩＣテーブル１２７ｔに含まれる任意のＶＩＣの圧縮映像データの圧縮方法をソース機器１１０に通知することができる。
【００７０】
第４の実施形態．
図２５は、本発明の第４の実施形態に係る圧縮映像情報メッセージ４００Ｃのフォーマットを示す図である。本実施形態に係る圧縮映像情報メッセージ４００Ｃは、第３の実施形態に係る圧縮映像情報メッセージ４００Ｂに比較して、以下の点が異なる。
（１）リザーブ領域４０７及び圧縮方法ビットマップ領域４０８に代えて、将来の利用のために予約されたリザーブ領域４１０を含む。
（２）ＶＩＣ領域４０９−１〜４０９−Ｎに代えて、Ｎ個のＶＩＣ領域４１１−ｎ（ｎ＝１，２，…，Ｎ）と、各ＶＩＣ領域４１１−ｎに対応して設けられた圧縮方法ビットマップ領域４１２−ｎ（ｎ＝１，２，…，Ｎ）とを含む。
【００７１】
なお、図２５において、Ｃ領域４０６は、シンク機器１２０が圧縮映像データを伸張できるときにフラグデータ（１）を格納し、伸張できないときにフラグデータ（０）を格納する。また、各圧縮方法ビットマップ領域４１２−ｎは、対応するＶＩＣ領域４１１−ｎに格納されたＶＩＣの圧縮映像データのシンク機器１２０がサポートする圧縮方法を表すビットマップデータを格納する。ここで、ＶＩＣ領域４１１−ｎに格納されるビットマップデータは、図２３及び図２４の圧縮方法ビットマップ領域４０８に格納されるビットマップデータと同様に構成される。
【００７２】
本実施形態に係る圧縮映像情報メッセージ４００Ｃは、第３の実施形態に比較して、Ｎ組のＶＩＣ領域４１１−ｎ及び圧縮方法ビットマップ領域４１２−ｎをさらに含むので、シンク機器１２０がＶＩＣ毎に異なる圧縮方法をサポートしている場合でも、シンク機器１２０がサポートする全ての圧縮映像データのＶＩＣ及び圧縮方法の組み合わせをソース機器１１０に通知できる。
【００７３】
第５の実施形態．
図２６は、本発明の第５の実施形態に係る圧縮映像情報メッセージ４００Ｄの、Ｃ領域に１が格納されかつ圧縮フォーマット数領域４１４に０が格納されたときのフォーマットを示す図である。また、図２７は、本発明の第５の実施形態に係る圧縮映像情報メッセージ４００Ｄの、Ｃ領域に１が格納され圧縮フォーマット数領域４１４にＮが格納されたときのフォーマットを示す図である。図２６及び図２７において、圧縮映像情報メッセージ４００Ｄは、図２５の圧縮映像情報メッセージ４００Ｃのフォーマットタイプ領域５５と、データ長領域５６と、Ｃ領域４０６とに加えて、以下の各領域を含む。
【００７４】
（１）将来の利用のために予約されたリザーブ領域４１３。
（２）シンク機器１２０において伸張可能な圧縮映像データのＶＩＣと圧縮方法の組み合わせの総数Ｎを格納する圧縮フォーマット数領域４１４。
（３）Ｎ組のＶＩＣ領域４１５−ｎ（ｎ＝１，２，…，Ｎ）と、各ＶＩＣ領域４１５−ｎに対応して設けられた圧縮方法識別子領域４１６−ｎ及びリザーブ領域４１７−ｎ。ここで、ＶＩＣ領域４１５−ｎは、シンク機器１２０において伸張可能な圧縮映像データのＶＩＣを格納する。また、圧縮方法識別子領域４１６−ｎは、ＶＩＣ領域４１５−ｎに格納されたＶＩＣの圧縮映像データの圧縮方法のうちシンク機器１２０がサポートする圧縮方法を識別する圧縮方法識別子を格納する。
【００７５】
ここで、圧縮方法識別子は以下のように定義される。
圧縮せず：圧縮方法識別子＝０ｂ００００；
第１の圧縮方法：圧縮方法識別子＝０ｂ０００１；
第２の圧縮方法：圧縮方法識別子＝０ｂ００１０；
第３の圧縮方法：圧縮方法識別子＝０ｂ００１１；
圧縮方法識別子０ｂ０１００〜０ｂ１１１１は将来のための予備の圧縮方法識別子である。
【００７６】
シンク機器１２０が圧縮映像データを伸張できない場合には、Ｃ領域４０６には０がセットされる。また、シンク機器１２０が所定の必須の圧縮方法で圧縮された上述した必須のＶＩＣの圧縮映像データのみを伸張できる場合には、図２６に示すように、Ｃ領域４０６に１がセットされ、かつ圧縮フォーマット数領域４１４に０がセットされる。ここで、本実施形態及び以下の各実施形態において、必須の圧縮方法は第１の圧縮方法である。
【００７７】
さらに、シンク機器１２０が必須の圧縮方法で圧縮された圧縮映像データ及びその他のオプションとして規定された第２又は第３の圧縮方法で圧縮された圧縮映像データを伸張できる場合には、図２７に示すように、圧縮フォーマット数領域４１４は、１以上の整数Ｎを格納する。
【００７８】
以上説明したように、本実施形態によれば、シンク機器１２０は、圧縮映像情報メッセージ４００Ｄを用いて、圧縮映像データを伸張できること、及び、伸張可能な全ての圧縮映像データのＶＩＣ及び圧縮方法識別子の組み合わせを、ソース機器１１０に対して通知することができる。
【００７９】
第６の実施形態．
図２８は、本発明の第６の実施形態に係る圧縮映像情報メッセージ４００Ｅの、ＣＭＭ（Ｃｏｍｐｒｅｓｓｉｏｎ  Ｍｅｔｈｏｄ  Ｍｕｌｔｉｐｌｅ）領域４１８に０ｂ０１が格納されたときのフォーマットを示す図である。また、図２９は、本発明の第６の実施形態に係る圧縮映像情報メッセージ４００Ｅの、ＣＭＭ領域４１８に０ｂ１１が格納されたときのフォーマットを示す図である。
【００８０】
本実施形態に係る圧縮映像情報メッセージ４００Ｅは、第５の実施形態に係る圧縮映像情報メッセージ４００Ｄに比較して、以下の点が異なる。
（１）リザーブ領域４１３に代えて、圧縮映像情報メッセージ４００Ｅが以下のＶＩＣビットマップ領域４２６を含むか否かを表すデータを格納するＣＭＭ領域４１８と、リザーブ領域４１９とを含む。
（２）ＣＭＭ領域４１８に０ｂ０１が格納されているときに圧縮方法識別子ビットマップ領域４２４及びリザーブ領域４２５をさらに含み、ＣＭＭ領域４１８に０ｂ１１が格納されているときに圧縮方法識別子ビットマップ領域４２４、リザーブ領域４２５及びＶＩＣビットマップ領域４２６をさらに含むこと。
【００８１】
図２８に示すようにＣＭＭ領域４１８に０ｂ０１が格納された場合は、圧縮方法識別子ビットマップ領域４２４は、全てのＶＩＣ領域４１５−１〜４１５−Ｎに格納されるＶＩＣの圧縮映像データについて、共通にサポートされる圧縮方法を表すビットマップデータを格納する。ここで、圧縮方法識別子ビットマップ領域４２４に格納されるビットマップデータの各ビットには、上述した各圧縮方法識別子が割り当てられる。また、ビットマップデータのビットの値が１にセットされているとき、当該ビットに対応する圧縮方法がサポートされていることを示す一方、ビットの値が０にセットされているとき、当該ビットに対応する圧縮方法がサポートされていないことを示す。
【００８２】
また、図２９に示すように、ＣＭＭ領域４１８に０ｂ１１が格納された場合は、圧縮映像情報メッセージ４００ＥはＶＩＣビットマップ領域４２６をさらに含む。ここで、ＶＩＣビットマップ領域４２６は、圧縮方法識別子ビットマップ領域４２４に格納されたビットマップデータの１にセットされた各ビットに対応する各圧縮方法で圧縮された圧縮映像データについて、共通にサポートされるＶＩＣを表すビットマップデータを格納する。ここで、ＶＩＣビットマップ領域４２６に格納されるビットマップデータの各ビットには、ＶＩＣテーブル１２７ｔに含まれるＶＩＣの値（図２、図３及び図４参照）が降順に割り当てられる。このとき、シンク機器１２０は、図２９の圧縮映像情報メッセージ４００Ｅを用いて、ＶＩＣビットマップ領域４２６内で１にセットされた各ビットに対応するＶＩＣの映像データに対して、圧縮方法識別子ビットマップ領域４２４で１にセットされた各圧縮方法がサポートされることを、ソース機器１１０に通知する。
【００８３】
以上説明したように、本実施形態によれば、シンク機器１２０は、圧縮映像情報メッセージ４００Ｅを用いて、シンク機器１２０がソース機器１１０に対して、圧縮映像データを伸張できること、及び、伸張可能な全ての圧縮映像データのＶＩＣ及び圧縮方法識別子の組み合わせを通知することができる。
【００８４】
第７の実施形態．
図３０は、本発明の第７の実施形態に係る圧縮映像情報メッセージ４００Ｆのフォーマットを示す図である。本実施形態に係る圧縮映像情報メッセージ４００Ｆは、第５の実施形態に係る圧縮映像情報メッセージ４００Ｄ（図２７参照。）に比較して、以下の点が異なる。
（１）圧縮フォーマット数領域４１４に代えて、シンク機器１２０において伸張可能な圧縮映像データのＶＩＣの総数Ｎを格納するＶＩＣ数領域４２７を含む。
（２）Ｎ組のＶＩＣ領域４１５−ｎ、圧縮方法識別子領域４１６−ｎ及びリザーブ領域４１７−ｎに代えて、シンク機器１２０において伸張可能な圧縮映像データのＮ個のＶＩＣをそれぞれ格納するＶＩＣ領域４２８−１，…，４２８−Ｎと、ＶＩＣ領域４２８−１，…，４２８−Ｎに対応して設けられた圧縮方法識別子数領域４２９−１，…，４２９−Ｎと、各圧縮方法識別子数領域４２９−１，…，４２９−Ｎの後に設けられかつ各圧縮方法識別子数領域４２９−１，…，４２９−Ｎに格納された数Ｍ１，…，ＭＮと同数の圧縮方法識別子領域４３０−１−１，…，４３０−１−Ｍ１，…，４３０−Ｎ−１，…，４３０−Ｎ−ＭＮとを含む。
【００８５】
図３０において、ＶＩＣ数領域４２７は、シンク機器１２０において伸張可能な圧縮映像データのＶＩＣの総数Ｎを格納する。また、ＶＩＣ領域４２８−１，…，４２８−Ｎはそれぞれ、シンク機器１２０において伸張可能な圧縮映像データのＶＩＣを格納する。各圧縮方法識別子数領域４２９−ｎ（ｎ＝１，２，…，Ｎ）は、後に続く圧縮方法識別子の数を示す値Ｍｎを格納する。各圧縮方法識別子領域４３０−ｎ−ｍｎ（ｍ＝１，２，…，Ｍ）は、ＶＩＣ領域４２８−ｎに格納されたＶＩＣの圧縮映像データの圧縮方法のうちシンク機器１２０がサポートする圧縮方法の圧縮方法識別子をそれぞれ格納する。なお、本実施形態において圧縮方法識別子は第５の実施形態と同様に定義される。
【００８６】
以上説明したように、本実施形態によれば、シンク機器１２０は、圧縮映像情報メッセージ４００Ｆを用いて、シンク機器１２０がソース機器１１０に対して、圧縮映像データを伸張できること、及び、伸張可能な全ての圧縮映像データのＶＩＣ及び圧縮方法識別子の組み合わせを通知することができる。
【００８７】
第８の実施形態．
図３１は、本発明の第８の実施形態に係る圧縮映像情報メッセージ４００Ｇのフォーマットを示す図である。本実施形態に係る圧縮映像情報メッセージ４００Ｇは、第７の実施形態に係る圧縮映像情報メッセージ４００Ｆに比較して、圧縮方法識別子数領域４２９−ｎ（ｎ＝１，２，…，Ｎ）及び圧縮方法識別子領域４３０−ｎ−ｍｎ（ｍ＝１，２，…，Ｍ）に代えて、ＶＩＣ領域４２８−１，…，４２８−Ｎに対応して設けられた圧縮方法ビットマップ領域４３１−１，…，４３１−Ｎ及びリザーブ領域４３２−１，…，４３２−Ｎを含む点が異なる。
【００８８】
図３１において、各圧縮方法ビットマップ領域４３１−ｎ（ｎ＝１，２，…，Ｎ）は、ＶＩＣ領域４２８−ｎに格納されたＶＩＣの圧縮映像データの圧縮方法のうちシンク機器１２０がサポートする圧縮方法を表すビットマップデータを格納する。圧縮方法ビットマップ領域４３１−ｎに格納されるビットマップデータは、図２５の圧縮方法ビットマップ領域４１２−ｎと同様に構成される。
【００８９】
以上説明したように、本実施形態によれば、シンク機器１２０は、圧縮映像情報メッセージ４００Ｇを用いて、シンク機器１２０がソース機器１１０に対して、圧縮映像データを伸張できること、及び、伸張可能な全ての圧縮映像データのＶＩＣ及び圧縮方法識別子の組み合わせを通知することができる。
【００９０】
第９の実施形態．
図３２は、本発明の第９の実施形態に係る圧縮映像情報メッセージ４００Ｈのフォーマットを示す図である。本実施形態は第５の実施形態に係る圧縮映像情報メッセージ４００Ｄに比較して、以下の点が異なる。
（１）圧縮フォーマット数領域４１４に代えて、シンク機器１２０において伸張可能な圧縮映像データの圧縮方法の総数Ｍを格納する圧縮方法数領域４３３を含む。
（２）Ｎ組のＶＩＣ領域４１５−ｎ、圧縮方法識別子領域４１６−ｎ及びリザーブ領域４１７−ｎに代えて、シンク機器１２０において伸張可能な圧縮映像データの圧縮方法の圧縮方法識別子をそれぞれ格納する圧縮方法識別子領域４３４−１，…，４３４−Ｍと、圧縮方法識別子領域４３４−１，…，４３４−Ｍに対応して設けられたリザーブ領域４３５−１，…，４３５−Ｍと、圧縮方法識別子領域４３４−１，…，４３４−Ｍに対応して設けられたＶＩＣ数領域４３６−１，…，４３６−Ｍと、各ＶＩＣ数領域４３６−１，…，４３６−Ｍの後に設けられかつ各ＶＩＣ数領域４３６−１，…，４３６−Ｍに格納された数Ｍ１，…，ＭＮと同数のＶＩＣ領域４３７−１−１，…，４３７−１−Ｍ１，…，４３７−Ｎ−１，…，４３７−Ｎ−ＭＮとを含む。
【００９１】
図３２において、圧縮方法数領域４３３は、シンク機器１２０において伸張可能な圧縮映像データの圧縮方法の総数Ｍを格納する。また、各圧縮方法識別子領域４３４−ｍは、シンク機器１２０において伸張可能な圧縮映像データの圧縮方法の第５の実施形態と同様に定義された圧縮方法識別子を格納する。各ＶＩＣ数領域４３６−ｍは、対応する圧縮方法識別子領域４３４−ｍに格納された値に対応する圧縮方法によって圧縮された圧縮映像データのＶＩＣのうちシンク機器１２０がサポートするＶＩＣの総数Ｍｎを格納する。さらに、各ＶＩＣ領域４３７−ｍ−ｍｎは、圧縮方法識別子領域４３４−ｍに格納された値に対応する圧縮方法によって圧縮された圧縮映像データのＶＩＣのうちシンク機器１２０がサポートするＶＩＣを格納する。
【００９２】
以上説明したように、本実施形態によれば、シンク機器１２０は、圧縮映像情報メッセージ４００Ｈを用いて、シンク機器１２０がソース機器１１０に対して、圧縮映像データを伸張できること、及び、伸張可能な全ての圧縮映像データのＶＩＣ及び圧縮方法識別子の組み合わせを通知することができる。
【００９３】
第１０の実施形態．
図３３は、本発明の第１０の実施形態に係る圧縮映像情報メッセージ４００Ｉのフォーマットを示す図である。本実施形態は第９の実施形態に係る圧縮映像情報メッセージ４００Ｈに比較して、圧縮方法識別子領域４３４−ｍ（ｍ＝１，２，…，Ｍ）に対応して設けられたリザーブ領域４３９−ｍ及びＶＩＣビットマップ領域４３８−ｍを含む点が異なる。
【００９４】
図３３において、各ＶＩＣビットマップ領域４３８−ｍは、対応する圧縮方法識別子領域４３４−ｍに格納された値に対応する圧縮方法によって圧縮された圧縮映像データのＶＩＣのうちシンク機器１２０がサポートするＶＩＣを表すビットマップデータを格納する。ここで、ＶＩＣビットマップ領域４３８−ｍに格納されるビットマップデータは、第６の実施形態のＶＩＣビットマップ領域４２６（図２９参照。）に格納されるビットマップデータと同様に構成さる。
【００９５】
以上説明したように、本実施形態によれば、シンク機器１２０は、圧縮映像情報メッセージ４００Ｉを用いて、シンク機器１２０がソース機器１１０に対して、圧縮映像データを伸張できること、及び、伸張可能な全ての圧縮映像データのＶＩＣ及び圧縮方法識別子の組み合わせを通知することができる。
【００９６】
第１１の実施形態．
図３４は、本発明の第１１の実施形態に係る圧縮映像情報メッセージ４００Ｊのフォーマットを示す図である。本実施形態は第５の実施形態に係る圧縮映像情報メッセージ４００Ｄに比較して、以下の点が異なる。
（１）圧縮フォーマット数領域４１４に代えて、シンク機器１２０において伸張可能な圧縮映像データの圧縮方法とＶＩＣとの組み合わせの総数Ｌを格納する圧縮映像フォーマット識別子数領域４３９を含む。
（２）Ｎ組のＶＩＣ領域４１５−ｎ、圧縮方法識別子領域４１６−ｎ及びリザーブ領域４１７−ｎに代えて、圧縮方法とＶＩＣとの組み合わせを識別する圧縮映像フォーマット識別子（以下、圧縮ＶＩＣという。）をそれぞれ格納する圧縮映像フォーマット識別子領域４４０−１，…，４４０−Ｌを含むこと。
【００９７】
本実施形態において、圧縮方法とＶＩＣとの組み合わせ毎に１つの圧縮ＶＩＣを割り当てる。本実施形態において、圧縮ＶＩＣは以下のように定義される。
圧縮ＶＩＣ＝「１」：圧縮方法は第１の圧縮方法でありＶＩＣは４８（３８４０ｘ２１６０ｐ、２３．９７／２４Ｈｚ）である。
圧縮ＶＩＣ＝「２」：圧縮方法は第１の圧縮方法でありＶＩＣは４９（３８４０ｘ２１６０ｐ、２５Ｈｚ）である。
圧縮ＶＩＣ＝「３」：圧縮方法は第１の圧縮方法でありＶＩＣは５０（３８４０ｘ２１６０ｐ、２９．９７／３０Ｈｚ）である。
圧縮ＶＩＣ＝「４」：圧縮方法は第１の圧縮方法でありＶＩＣは５１（４０９６ｘ２１６０ｐ、２３．９７／２４Ｈｚ）である。
圧縮ＶＩＣ＝「５」：圧縮方法は第１の圧縮方法でありＶＩＣは５２（４０９６ｘ２１６０ｐ、２５Ｈｚ）である。
【００９８】
シンク機器１２０は、上記圧縮ＶＩＣのうち、サポートするＬ個の圧縮ＶＩＣの値を圧縮ＶＩＣ領域４４０−１，…，４４０−Ｌにそれぞれ格納する。
【００９９】
また、圧縮ＶＩＣを図２、図３及び図４のＶＩＣとして定義しなおしてもよい。例えば、ＶＩＣの４８から５２を、第１の圧縮方法で圧縮された映像データのＶＩＣにそれぞれ割り当ててもよい。例えば、圧縮映像データのＶＩＣとしては以下のように割り当ててもよい。
【０１００】
ＶＩＣ＝「４８」：３８４０ｘ２１６０ｐ、２３．９７／２４Ｈｚ、第１の圧縮方法；
ＶＩＣ＝「４９」：３８４０ｘ２１６０ｐ、２５Ｈｚ、第１の圧縮方法；
ＶＩＣ＝「５０」：３８４０ｘ２１６０ｐ、２９．９７／３０Ｈｚ、第１の圧縮方法；
ＶＩＣ＝「５１」：４０９６ｘ２１６０ｐ、２３．９７／２４Ｈｚ、第１の圧縮方法；
ＶＩＣ＝「５２」：４０９６ｘ２１６０ｐ、２５Ｈｚ、第１の圧縮方法。
【０１０１】
この場合、シンク機器１２０は第１の圧縮方法をサポートしている場合、デバイス能力応答メッセージ２内の映像情報メッセージ２００に含まれるＶＩＣ領域２０７−１，２０７−２，…，２０７−Ｎ（図１３参照。）に４８から５２までの値をそれぞれ格納し、ソース機器１１０に送信する。ソース機器１１０は、デバイス能力応答メッセージ２内の映像情報メッセージ２００のＶＩＣ領域２０７−１，２０７−２，…，２０７−Ｎに４８から５２が格納されていることを検出し、ソース機器１１０からシンク機器１２０に第１の圧縮方法で圧縮されたコンテンツデータの圧縮映像データを送信する。
【０１０２】
以上説明したように、本実施形態によれば、シンク機器１２０は、圧縮映像情報メッセージ４００Ｊを用いて、シンク機器１２０がソース機器１１０に対して、圧縮映像データを伸張できること、及び、伸張可能な全ての圧縮映像データのＶＩＣ及び圧縮方法識別子の組み合わせを通知することができる。
【０１０３】
第１２の実施形態．
図３５は、本発明の第１２の実施形態に係る詳細タイミング情報メッセージ３００Ａのフォーマットを示す図である。また、図３６は、本発明の第１２及び第１３の実施形態において用いられる４ｋ２ｋ映像フォーマットのＶＩＣと各タイミング値との関係を示す表である。なお、図３６の４つのＶＩＣは、図２〜図４のＶＩＣテーブル１１５ｔ及び１２７ｔの予備のＶＩＣに割り当てられている。また、図３６の各タイミング値は、ソース機器１１０とシンク機器１２０との間又はシンク機器１２０内の各ＩＣ（Ｉｎｔｅｇｒａｔｅｄ  Ｃｉｒｃｕｉｔ）間で４ｋ２ｋ映像データを伝送するときに用いられる。本実施形態に係る詳細タイミング情報メッセージ３００Ａは、第１の実施形態に係る詳細タイミング情報メッセージ３００（図１４参照。）に比較して、リザーブ領域３０１に代えて拡張領域３２５とリザーブ領域３２６とを含み、リザーブ領域３０６に代えて水平有効期間上位ビット領域３２７を含む点が異なる。
【０１０４】
図３５において、拡張領域３２５は、水平有効期間Ｈａｃｔｉｖｅの有効画素数を格納する水平有効期間領域３０５を水平有効期間上位ビット領域３２７まで拡張するか否か（水平有効期間上位ビット領域３２７に格納されたデータが有効か否か）を表すデータを格納する。拡張領域３２５に０が格納されたときは、水平有効期間領域３０５は水平有効期間上位ビット領域３２７まで拡張されず、水平有効期間領域３０５は水平有効期間Ｈａｃｔｉｖｅの有効画素数を１２ビットのデータとして格納し、水平有効期間上位ビット領域３２７に格納されるデータは無視される。一方、拡張領域３２５に１が格納されたときは、水平有効期間領域３０５は水平有効期間上位ビット領域３２７まで拡張され、水平有効期間領域３０５は水平有効期間Ｈａｃｔｉｖｅの有効画素数の下位１２ビットのデータを格納し、水平有効期間上位ビット領域３２７は水平有効期間Ｈａｃｔｉｖｅの有効画素数の上位４ビットのデータを格納する。
【０１０５】
第１の実施形態に係る詳細タイミング情報メッセージ３００によれば、水平有効期間領域３０５のサイズは１２ビットであるので、シンク機器１２０はソース機器１１０に対して、０ピクセルから４０９５ピクセルまでの値を有する水平有効期間Ｈａｃｔｉｖｅの有効画素数しか通知できなかった。このため、図３６のＶＩＣ（Ｄ）の４ｋ２ｋ映像フォーマットのように水平有効期間の有効画素数が４０９６であるときには、当該有効画素数を、詳細タイミング情報メッセージ３００を用いてシンク機器１２０からソース機器１１０に通知できなかった。しかしながら、本実施形態によれば、４０９６を２進数で表現した１３ビットの数値「１００００００００００００（下位１２ビットが０である。）」の下位１２ビットの数値「００００００００００００（１２個の０である。）」は水平有効期間領域３０５に格納され、上位ビットの数値「０００１（上位３ビットが０で、最下位ビットが１）」は水平有効期間上位ビット領域３２７に格納される。このため、本実施形態によれば、水平有効期間Ｈａｃｔｉｖｅの有効画素数のビット数が１３ビット以上であっても、シンク機器１２０はソース機器１１０に当該有効画素数を通知できる。
【０１０６】
第１３の実施形態．
図３７は、本発明の第１３の実施形態に係る詳細タイミング情報メッセージ３００Ｂのフォーマットを示す図である。また、図３８は、図３７の拡張領域ＩＤ領域３３１−１〜３３１−Ｊに格納される拡張領域ＩＤと領域名との関係を示す表である。本実施形態に係る詳細タイミング情報メッセージ３００Ｂは、第１の実施形態に係る詳細タイミング情報メッセージ３００（図１４参照。）に比較して、以下の点が異なる。
（１）リザーブ領域３０１に代えて、詳細タイミング情報メッセージ３００Ｂの領域３０４，３０５，３０７，３０９，３１１，３１３，３１４，３１５，３１６，３１７，３１９，３２１，３２２，３２３のうちの少なくとも１つの領域が拡張されるときに１を格納する一方、全ての領域３０４，３０５，３０７，３０９，３１１，３１３，３１４，３１５，３１６，３１７，３１９，３２１，３２２，３２３が拡張されないときに０を格納する拡張領域３２８と、リザーブ領域３２６とを含む。
（２）リザーブ領域３０３に代えて、詳細タイミング情報を格納する領域３０４，３０５，３０７，３０９，３１１，３１３，３１４，３１５，３１６，３１７，３１９，３２１，３２２，３２３のうち拡張される領域の数Ｊ（Ｊは１以上の整数である。）を格納する拡張領域数領域３２９とリザーブ領域３３０とを含む。
（３）拡張される領域のＩＤを格納する拡張領域ＩＤ領域３３１−ｊ（ｊ＝１，２，…，Ｊ）と、拡張領域ＩＤ領域３３１−ｊに対応して設けられ、かつ拡張される領域に格納されるデータの上位ビットのデータを格納する拡張領域上位ビット領域３３２−ｊとをさらに含む。
（４）詳細タイミング情報メッセージ３００Ｂのメッセージ長を３２ビットの整数倍に揃えるためのパディングビット領域３３３をさらに含む。
【０１０７】
図３８に示すように、領域３０４，３０５，３０７，３０９，３１１，３１３，３１４，３１５，３１６，３１７，３１９，３２１，３２２，３２３には、固有の拡張領域ＩＤ１〜１４がそれぞれ割り当てられている。
【０１０８】
シンク機器１２０が図３６のＶＩＣ（Ｄ）の詳細タイミング情報を、詳細タイミング情報メッセージ３００Ｂを用いてソース機器１１０に送信するときの、図１の無線通信システムの動作を説明する。この場合、拡張されるべき領域は、水平有効期間Ｈａｃｔｉｖｅの有効画素数（４０９６である。）を格納する水平有効期間領域３０５のみである。このとき、拡張領域３２８は１を格納し、拡張領域数領域３２９は１を格納し、拡張領域ＩＤ領域３３１−１は拡張領域ＩＤ２（図３８参照。）を格納する。さらに、水平有効期間領域３０５は、４０９６を２進数で表現した１３ビットの数値「１００００００００００００（下位１２ビットが０である。）」の下位１２ビットの数値「００００００００００００（１２個の０である。）」を格納し、拡張領域上位ビット領域３３２−１は、４０９６を２進数で表現した１３ビットの数値の上位ビットの数値「０００００００００００１（上位１１ビットが０であり、最下位ビットが１である。）」を格納する。従って、シンク機器１２０は、詳細タイミング情報メッセージ３００Ｂを用いて、水平有効期間Ｈａｃｔｉｖｅの有効画素数を、２４ビットのデータ「０００００００００００１００００００００００００（上位１１ビットが０であり、１２ビット目が１であり、下位１２ビットが０である。）」としてソース機器１１０に送信できる。
【０１０９】
第１２の実施形態に係る詳細タイミング情報メッセージ３００Ａでは、水平有効期間領域３０５のみが拡張された。しかしながら、水平同期オフセット領域３１３のサイズは１０ビットであるので、シンク機器１２０はソース機器１１０に対して、０ピクセルから１０２３ピクセルまでの値を有する水平同期パルス前駆期間（水平同期オフセット期間）Ｈｆｒｏｎｔの画素数しか通知できなかった。本実施形態は、第１２の実施形態に比較して、詳細タイミング情報を格納する全ての領域３０４，３０５，３０７，３０９，３１１，３１３，３１４，３１５，３１６，３１７，３１９，３２１，３２２，３２３を拡張できるという特有の作用効果を有する。
【０１１０】
第１４の実施形態．
図３９は、本発明の第１４の実施形態において、図１１の入力フォーマット情報メッセージ５のフォーマットタイプ領域５５に格納される値とフォーマットタイプとの関係を示す表である。また、図４０は、本発明の第１４の実施形態に係る拡張詳細タイミング情報メッセージ７００のフォーマットを示す図である。図３９に示すように、本実施形態は、第１の実施形態（図１２参照。）に比較して、入力フォーマット情報メッセージ５のフォーマットタイプ領域５５に格納されるフォーマットタイプのデータに、拡張詳細タイミング情報（ＥＸＴＥＮＤＥＤ＿ＤＥＴＡＩＬＥＤ＿ＴＩＭＩＮＧ＿ＩＮＦＯ）を表す値（０ｘ０８）を追加したことを特徴としている。ここで、本実施形態において、拡張詳細タイミング情報に対応する値（０ｘ０８）を格納するフォーマットタイプ領域５５を含むフォーマットデータメッセージ５４を、拡張詳細タイミング情報メッセージ７００という。
【０１１１】
図４０において、拡張詳細タイミング情報メッセージ７００は、以下の各領域を含む。
（１）拡張詳細タイミング情報に対応する値（０ｘ０８）を格納するフォーマットタイプ領域５５。
（２）拡張詳細タイミング情報メッセージ７００からフォーマットタイプ領域５５とデータ長領域５６とを除いた領域のデータ長を表すデータを格納するデータ長領域５６。
（３）将来のために予約されたリザーブ領域７０１。
（４）拡張詳細タイミング情報のＩＤ番号を格納するＩＤ領域７０２。
（５）映像データのスキャン方法がインタレーススキャン及びプログレッシブスキャンのうちのいずれであるかを示すビットデータを格納するＩＰ領域７０３。
（６）将来のために予約されたリザーブ領域７０４。
（７）映像データのリフレッシュレート（フィールドレート）を０．０１Ｈｚの単位で表した値を格納するリフレッシュレート領域７０５。
（８）水平有効期間Ｈａｃｔｉｖｅの有効画素数を格納する水平有効期間領域７０６。
（９）垂直有効期間Ｖａｃｔｉｖｅの有効画素数を格納する垂直有効期間領域７０７。
なお、領域７０５〜７０７はそれぞれ、１６ビットのサイズを有する。
【０１１２】
第１２の実施形態では、第１の実施形態に係る詳細タイミング情報メッセージ３００の水平有効期間領域３０５を拡張することにより、４ｋ２ｋ映像フォーマットの詳細タイミング情報を送信した。また、第１３の実施形態では、第１の実施形態に係る詳細タイミング情報メッセージ３００の領域３０４，３０５，３０７，３０９，３１１，３１３，３１４，３１５，３１６，３１７，３１９，３２１，３２２，３２３のうちの任意の領域を拡張することにより、４ｋ２ｋ映像フォーマットの詳細タイミング情報を送信した。本実施形態は、第１２及び第１３の実施形態に比較して、リフレッシュレートと、水平有効期間Ｈａｃｔｉｖｅの有効画素数と、垂直有効期間Ｖａｃｔｉｖｅの有効画素数とをそれぞれ１６ビットのデータとしてシンク機器１２０からソース機器１１０に通知するための拡張詳細タイミング情報フォーマット７００を新たに定義した点が異なる。図３６に示すように、４ｋ２ｋ映像データのリフレッシュレートと、水平有効期間Ｈａｃｔｉｖｅの有効画素数と、垂直有効期間Ｖａｃｔｉｖｅの有効画素数とを１６ビットの数値でそれぞれ表現できるので、本実施形態によれば、４ｋ２ｋ映像データのリフレッシュレートと、水平有効期間Ｈａｃｔｉｖｅの有効画素数と、垂直有効期間Ｖａｃｔｉｖｅの有効画素数とをシンク機器１２０からソース機器１１０に送信できる。
【０１１３】
第１５の実施形態．
図４１は、本発明の第１５の実施形態において、図１１の入力フォーマット情報メッセージ５のフォーマットタイプ領域５５に格納される値とフォーマットタイプとの関係を示す表である。また、図４２は、本発明の第１５の実施形態に係る拡張解像度詳細タイミング情報メッセージ８００のフォーマットを示す図である。図４１に示すように、本実施形態は、第１の実施形態（図１２参照。）に比較して、入力フォーマット情報メッセージ５のフォーマットタイプ領域５５に格納されるフォーマットタイプのデータから圧縮映像情報の値を削除し、拡張解像度詳細タイミング情報（ＥＸＴＥＮＤＥＤ＿ＲＥＳＯＬＵＴＩＯＮ＿ＤＥＴＡＩＬＥＤ＿ＴＩＭＩＮＧ＿ＩＮＦＯ）を表す値（０ｘ０７）を追加したことを特徴としている。ここで、本実施形態において、拡張解像度詳細タイミング情報に対応する値（０ｘ０７）を格納するフォーマットタイプ領域５５を含むフォーマットデータメッセージ５４を、拡張解像度詳細タイミング情報メッセージ８００という。
【０１１４】
図４２において、拡張解像度詳細タイミング情報メッセージ８００は、以下の各領域を含む。
（１）拡張解像度詳細タイミング情報に対応する値（０ｘ０７）を格納するフォーマットタイプ領域５５。
（２）拡張解像度詳細タイミング情報メッセージ８００からフォーマットタイプ領域５５とデータ長領域５６とを除いた領域のデータ長を表すデータを格納するデータ長領域５６。
（３）将来のために予約されたリザーブ領域８０１。
（４）拡張解像度詳細タイミング情報のＩＤ番号を格納するＩＤ領域８０２。
（５）将来のために予約されたリザーブ領域８０３。
（６）ピクセルクロック周波数を格納するピクセルクロック領域８０４。
（７）水平有効期間Ｈａｃｔｉｖｅの有効画素数を格納する水平有効期間領域８０５。
（８）水平ブランキング期間（ブランク期間）Ｈｂｌａｎｋの画素数を格納する水平ブランキング期間領域８０６。
（９）水平同期パルス前駆期間Ｈｆｒｏｎｔの長さを画素数で表した値を格納する水平同期ブランキングフロント領域８０７。
（１０）水平同期パルスＨｓｙｎｃのパルス幅を画素数で表した値を格納する水平同期パルス幅領域８０８。
（１１）水平同期パルス後駆期間Ｈｂａｃｋの長さを画素数で表した値を格納する水平同期ブランキングバック領域８０９。
（１２）将来のために予約されたリザーブ領域８１０。
（１３）垂直有効期間Ｖａｃｔｉｖｅの有効画素数を格納する垂直有効期間領域８１１。
（１４）垂直ブランキング期間Ｖｂｌａｎｋの画素数を格納する垂直ブランキング期間領域８１２。
（１５）垂直同期パルス前駆期間Ｖｆｒｏｎｔの長さを画素数で表した値を格納する垂直同期ブランキングフロント領域８１３。
（１６）垂直同期パルスＶｓｙｎｃのパルス幅を画素数で表した値を格納する垂直同期パルス幅領域８１４。
（１７）垂直同期パルス後駆期間Ｖｂａｃｋの長さを画素数で表した値を格納する垂直同期ブランキングバック領域８１５。
（１８）将来のために予約されたリザーブ領域８１６。
（１９）画像の水平方向のサイズをミリメートル単位で表した値を格納する水平画像サイズ領域８１７。
（２０）画像の垂直方向のサイズをミリメートル単位で表した値を格納する垂直画像サイズ領域８１８。
（２１）水平方向の境界を表すデータを格納する水平境界領域８１９。
（２２）垂直方向の境界を表すデータを格納する垂直境界領域８２０。
（２３）ステレオ映像に関わる情報を格納するフラグ領域８２１。
（２４）将来の利用のために予約されたリザーブ領域８２２。
なお、領域８０４〜８２２はそれぞれ、１６ビットのサイズを有する。
【０１１５】
第１２の実施形態では、第１の実施形態に係る詳細タイミング情報メッセージ３００の水平有効期間領域３０５を拡張することにより、４ｋ２ｋ映像フォーマットの詳細タイミング情報を送信した。また、第１３の実施形態では、第１の実施形態に係る詳細タイミング情報メッセージ３００の領域３０４，３０５，３０７，３０９，３１１，３１３，３１４，３１５，３１６，３１７，３１９，３２１，３２２，３２３のうちの任意の領域を拡張することにより、４ｋ２ｋ映像フォーマットの詳細タイミング情報を送信した。本実施形態は、第１２及び第１３の実施形態に比較して、映像データのすべてのタイミング情報を、１６ビットのデータとしてシンク機器１２０からソース機器１１０に通知するための拡張解像度詳細タイミング情報メッセージ８００を新たに定義した点が異なる。
【０１１６】
従って、本実施形態によれば、映像データのタイミング情報をそれぞれ格納する各領域８０４〜８２１のサイズを１６ビットに設定したので、各領域８０４〜８２１は、０から６５５３５までの間の値を格納できる。このため、図３６に示すように、４ｋ２ｋ映像データの全ての詳細タイミング情報をシンク機器１２０からソース機器１１０に送信できる。
【０１１７】
なお、本実施形態において、第１の実施形態（図１２参照。）に比較して、入力フォーマット情報メッセージ５のフォーマットタイプ領域５５に格納されるフォーマットタイプのデータから圧縮映像情報の値を削除し、拡張解像度詳細タイミング情報を表す値（０ｘ０７）を追加した。しかしながら、本発明はこれに限らず、第１の実施形態（図１２参照。）に比較して、入力フォーマット情報メッセージ５のフォーマットタイプ領域５５に格納されるフォーマットタイプのデータから圧縮映像情報の値を削除せずに、拡張解像度詳細タイミング情報を表す値（例えば、０ｘ０８である。）を追加してもよい。
【０１１８】
第１６の実施形態．
図４３は、本発明の第１６の実施形態に係る圧縮映像フォーマット領域６００Ａのフォーマットを示す図である。また、図４４は、図４３のＣ＿ＩＤ領域６０４に格納される値と圧縮方法との関係を示す表である。図４３において、圧縮映像フォーマット領域６００Ａは以下の各領域を含む。
（１）圧縮映像情報に対応する値（０ｘ０７）を格納するフォーマットタイプ領域９１。
（２）バージョン番号０ｘ０１を格納するバージョン領域９２。
（３）以下の領域６０４〜６０５の総データ長を表すデータを格納するデータ長領域９３。
（４）送信する映像データの圧縮方法を示す図４４において定義された値を格納するＣ＿ＩＤ領域６０４。
（５）将来のために予約されたリザーブ領域６０５。
【０１１９】
第１の実施形態に比較して、本実施形態にかかるソース機器１１０は、圧縮映像フォーマット領域６００に代えて圧縮映像フォーマット領域６００Ａを含むストリーム開始通知メッセージ８を、シンク機器１２０に送信する。このとき、ソース機器１１０は、送信する映像データの圧縮方法を示す値をＣ＿ＩＤ領域６０４に格納する。シンク機器１２０は、ストリーム開始通知メッセージ８を受信し、受信されたストリーム開始通知メッセージ８のＣ＿ＩＤ領域６０４に基づいて、ソース機器１１０から圧縮されていない映像データと、第１の圧縮方法で圧縮された圧縮映像データと、第２の圧縮方法で圧縮された圧縮映像データと、第３の圧縮方法で圧縮された圧縮映像データとのうちのずれが送信されるのかをあらかじめ識別する。
【０１２０】
従って、本実施形態によれば、ソース機器１１０は、シンク機器１２０に対して圧縮映像フォーマット領域６００Ａを含むストリーム開始通知メッセージ８を送ることにより、シンク機器１２０に対して送信する映像データの圧縮方法を通知できる。
【０１２１】
第１７の実施形態．
図４５は、ソース機器１１０がシンク機器１２０に対してフォーマット情報を要求しないときの、シンク機器１２０によってイニシエートされる本発明の第１７の実施形態に係る機器接続処理を示すシーケンス図である。また、図４６は、ソース機器１１０がシンク機器１２０に対してフォーマット情報を要求するときの、シンク機器１２０によってイニシエートされる本発明の第１７の実施形態に係る機器接続処理を示すシーケンス図である。本実施形態は、第１の実施形態に比較して、シンク機器１２０が機器接続処理をイニシエートしたことを特徴としている。
【０１２２】
シンク機器１２０が機器接続処理をイニシエートするときは、シンク機器１２０は、シンクポート番号を含む接続要求メッセージ６Ａをソース機器１１０に送信して、ソース機器１１０に対してシンクポート番号を通知しかつソースポート及びＡＶデータ伝送のための帯域の予約を要求する。ここで、接続要求メッセージ６Ａに含まれるＳビットは１に設定され、接続要求メッセージ６Ａに含まれるポート領域はシンクポート番号を格納する。
【０１２３】
図４５に示すように、機器接続処理の前にシンク機器１２０がソース機器１１０からデバイス能力要求メッセージ１を受信し、当該デバイス能力要求メッセージ１内のＦＣビットに１がセットされているときは、シンク機器１２０は、ソース機器１１０が高速接続機能をサポートしていることを、機器接続処理の前に予め識別している。この場合、シンク機器１２０は、シンク機器１２０がサポートするフォーマットを接続要求メッセージ６Ａに追加する。すなわち、接続要求メッセージ６Ａは、図９のデバイス能力応答メッセージ２と同様に、映像情報メッセージ２００と、詳細タイミング情報メッセージ３００と、圧縮映像情報メッセージ４００を含む入力フォーマット情報メッセージ５と、デバイス情報メッセージ３とを含む。一方、図４５において、機器接続処理の前にシンク機器１２０がソース機器１１０からデバイス能力要求メッセージ１を受信し、当該デバイス能力要求メッセージ１内のＦＣビットに０がセットされているときは、シンク機器１２０は、ソース機器１１０が高速接続機能をサポートしていないことを、機器接続処理の前に予め識別している。この場合、シンク機器１２０は、接続要求メッセージ６Ａの総データ長領域にゼロを格納する。
【０１２４】
接続要求メッセージ６Ａを受信した後に、ソース機器１１０は、シンク機器１２０からの接続要求を受け入れるときには、シンクポートを用いるＡＶデータ伝送のためのソースポートを予約する。ソース機器１１０は、ソースポートの予約処理を正常に終了すると、「成功」を表すデータを格納した結果コード領域を含む接続応答メッセージ７Ａをシンク機器１２０に送信し、帯域予約処理を行う。また、ソース機器１１０は、シンク機器１２０に対してサポートするフォーマットの情報を要求するときには、図４６に示すように、接続応答メッセージ７ＡのＲＦビットに１をセットする。シンク機器１２０は、接続応答メッセージ７ＡのＲＦビットに１がセットされているときには、シンク機器１２０がサポートするフォーマットの情報を含むデバイス能力応答メッセージ２を、ソース機器１１０に送信する。
【０１２５】
なお、ソース機器１１０は、シンク機器１２０からの接続要求を拒否するときは、接続応答メッセージ７Ａの結果コード領域に適切な理由を有する「失敗」を表すデータを格納する。
【０１２６】
さらに、ソース機器１１０は、帯域予約処理を正常に終了すると、「成功」を表すデータを格納した結果コード領域８２を含むストリーム開始通知メッセージ８をシンク機器１２０に送信する一方、帯域予約処理に失敗すると、「失敗」を表すデータを格納した結果コード領域８２を含むストリーム開始通知メッセージ８をシンク機器１２０に送信する。ＨＲＰストリームが割り当てられると、ソース機器１１０は、シンク機器１２０から当該シンク機器１２０がデータを有するＨＲＰストリームのＨＲＰパケットを受信する準備ができたことを表すＡＣＫ信号を受信するまで、ＰＨＹヘッダ及びＭＡＣヘッダのみを含むＨＲＰパケットをシンク機器１２０に無線送信する。ソース機器１１０は、上記ＡＣＫ信号を受信すると、ＨＲＰパケットにＡＶデータを挿入してシンク機器１２０に無線送信する。
【０１２７】
本実施形態は、第１の実施形態と同様の特有の作用効果を奏する。
【０１２８】
第１８の実施形態．
図４７及び図４８は、本発明の第１８の実施形態に係るＶＩＣテーブル１１５ｔ及び１２７ｔを示す表である。本実施形態は、第１の実施形態に比較して、ＶＩＣの割り当て方のみが異なる。本実施形態において、４４から４８の各ＶＩＣは、４ｋ２ｋ映像フォーマットに対して、以下のように割り当てられている。
【０１２９】
（ａ）ＶＩＣの４４は、３８４０ピクセルの有効水平画素数と、２１６０ピクセルの有効垂直画素数と、プログレッシブスキャンである走査方法と、２３．９７Ｈｚ又は２４Ｈｚのフィールドレートとを有する４ｋ２ｋ映像フォーマットに割り当てられている。
（ｂ）ＶＩＣの４５は、３８４０ピクセルの有効水平画素数と、２１６０ピクセルの有効垂直画素数と、プログレッシブスキャンである走査方法と、２５Ｈｚのフィールドレートとを有する４ｋ２ｋ映像フォーマットに割り当てられている。
（ｃ）ＶＩＣの４６は、３８４０ピクセルの有効水平画素数と、２１６０ピクセルの有効垂直画素数と、プログレッシブスキャンである走査方法と、２９．９７Ｈｚ又は３０Ｈｚのフィールドレートとを有する４ｋ２ｋ映像フォーマットに割り当てられている。
（ｄ）ＶＩＣの４７は、４０９６ピクセルの有効水平画素数と、２１６０ピクセルの有効垂直画素数と、プログレッシブスキャンである走査方法と、２３．９７Ｈｚ又は２４Ｈｚのフィールドレートとを有する４ｋ２ｋ映像フォーマットに割り当てられている。
（ｅ）ＶＩＣの４８は、４０９６ピクセルの有効水平画素数と、２１６０ピクセルの有効垂直画素数と、プログレッシブスキャンである走査方法と、２５Ｈｚのフィールドレートとを有する４ｋ２ｋ映像フォーマットに割り当てられている。
【０１３０】
本実施形態は、第１の実施形態と同様の特有の作用効果を奏する。
【０１３１】
なお、上記各実施形態において示したメッセージの各フォーマットは一例にすぎず、メッセージ内に同様の領域が含まれていれば各領域の配置順序及びサイズなどを変更してもよい。
【０１３２】
また、上記各実施形態において、帯域管理部１２１ｂはシンク機器１２０に設けられたが、本発明はこれに限らず、ソース機器１１０又は他の機器に設けられてもよい。
【０１３３】
また、上記各実施形態において、図２〜図４のＶＩＣテーブル又は図４７〜図４８のＶＩＣテーブルを用いたが、本発明はこれに限らず、４ｋ２ｋ映像フォーマットを識別するＶＩＣを含むＶＩＣテーブルであればよい。
【産業上の利用可能性】
【０１３４】
以上詳述したように、本発明に係る映像データの伝送方法、当該映像データを送信するソース機器、当該映像データを受信するシンク機器、並びに当該ソース機器及びシンク機器を備えた無線通信システムによれば、シンク機器は、シンク機器において表示可能な映像データの映像フォーマットを識別する少なくとも１つの映像フォーマット識別コードを含む映像情報メッセージと、映像データを圧縮するための圧縮用パラメータを含む圧縮映像情報メッセージとを含むデバイス能力応答メッセージをソース機器に無線送信する一方、ソース機器は、送信する第１の映像データの映像フォーマットを識別する映像フォーマット識別コードと、第１の映像データが圧縮されているか否かを示すデータとを含むストリーム開始通知メッセージを、シンク機器に無線送信した後に、第１の映像データを上記シンク機器に無線送信し、第１の映像データの映像フォーマットを識別する映像フォーマット識別コードは、３８４０ピクセル又は４０９６ピクセルの有効水平画素数と２１６０ピクセルの有効垂直画素数とを有する４ｋ２ｋ映像データの少なくとも１つの映像フォーマット識別コードの中から選択されるので、４ｋ２ｋ映像データを無線伝送できる。
【符号の説明】
【０１３５】
１…デバイス能力要求メッセージ、
２…デバイス能力応答メッセージ、
３…デバイス情報メッセージ、
５…入力フォーマット情報メッセージ、
６，６Ａ…接続要求メッセージ、
７，７Ａ…接続応答メッセージ、
８…ストリーム開始通知メッセージ、
１０…出力フォーマット通知メッセージ、
１１０…ソース機器、
１１１…コントローラ、
１１２…映像音声再生装置、
１１３…パケット処理回路、
１１４…パケット無線送受信回路、
１１５…メモリ、
１１５ｔ…ＶＩＣテーブル、
１１６…アンテナ、
１２０…シンク機器、
１２１…コントローラ、
１２１ｂ…帯域管理部、
１２２…パケット無線送受信回路、
１２３…パケット処理回路、
１２４…映像音声処理回路、
１２５…スピーカ、
１２６…ディスプレイ、
１２７…メモリ、
１２７ｄ…ＥＤＩＤデータ、
１２７ｔ…ＶＩＣテーブル、
１２９…バッファ、
２００…映像情報メッセージ、
３００，３００Ａ，３００Ｂ…詳細タイミング情報メッセージ、
４００，４００Ａ〜４００Ｊ…圧縮映像情報メッセージ、
５００…映像フォーマット領域、
６００，６００Ａ…圧縮映像フォーマット領域、
７００…拡張詳細タイミング情報メッセージ、
８００…拡張解像度詳細タイミング情報メッセージ。
【手続補正２】
【補正対象書類名】特許請求の範囲
【補正対象項目名】全文
【補正方法】変更
【補正の内容】
【特許請求の範囲】
【請求項１】
ソース機器からシンク機器に映像データを無線伝送する無線通信システムのためのシンク機器において、
（ａ）上記シンク機器において表示可能な映像データの映像フォーマットを識別する少なくとも１つの映像フォーマット識別コードを含む映像情報メッセージと、（ｂ）映像データを圧縮するための圧縮用パラメータを含む圧縮映像情報メッセージとを含むデバイス能力応答メッセージを上記ソース機器に無線送信する第１の制御手段を備え、
上記少なくとも１つの映像フォーマット識別コードは、３８４０ピクセル又は４０９６ピクセルの有効水平画素数と２１６０ピクセルの有効垂直画素数とを有する４ｋ２ｋ映像データの少なくとも１つの映像フォーマット識別コードを含むことを特徴とするシンク機器。
【請求項２】
上記ソース機器は、送信する第１の映像データの映像フォーマットを識別する映像フォーマット識別コードと、上記第１の映像データが圧縮されているか否かを示すデータとを含むストリーム開始通知メッセージを上記シンク機器に無線送信した後に、上記第１の映像データを上記シンク機器に無線送信し、
上記第１の制御手段は、
上記ソース機器から上記ストリーム開始通知メッセージを無線受信し、上記無線受信されたストリーム開始通知メッセージに基づいて、上記第１の映像データの映像フォーマット識別コード及び上記第１の映像データが圧縮されているか否かを識別し、
上記第１の映像データを無線受信し、
上記第１の映像データが圧縮されているときは、上記第１の映像データを伸張して、上記伸張後の第１の映像データを上記識別された映像フォーマット識別コードに基づいてデコードする一方、上記第１の映像データが圧縮されていないときは、上記第１の映像データを上記識別された映像フォーマット識別コードに基づいてデコードすることを特徴とする請求項１記載のシンク機器。
【請求項３】
上記ソース機器は、上記第１の映像データの映像フォーマットが変更されたときに、上記変更後の映像フォーマットを識別する映像フォーマット識別コードと、上記変更後の映像フォーマットを有する第２の映像データが圧縮されているか否かを示すデータとを含む出力フォーマット通知メッセージを上記シンク機器に無線送信した後に、上記第２の映像データを上記シンク機器に無線送信し、
上記第１の制御手段は、
上記ソース機器から上記出力フォーマット通知メッセージを無線受信し、上記無線受信された出力フォーマット通知メッセージに基づいて、上記第２の映像データの映像フォーマット識別コード及び上記第２の映像データが圧縮されているか否かを識別し、
上記第２の映像データを無線受信し、
上記第２の映像データが圧縮されているときは、上記第２の映像データを伸張して、上記伸張後の第２の映像データを上記識別された映像フォーマット識別コードに基づいてデコードする一方、上記第２の映像データが圧縮されていないときは、上記第２の映像データを上記識別された映像フォーマット識別コードに基づいてデコードすることを特徴とする請求項２記載のシンク機器。
【請求項４】
ソース機器からシンク機器に映像データを無線伝送する無線通信システムのためのソース機器において、
送信する第１の映像データの映像フォーマットを識別する映像フォーマット識別コードと、上記第１の映像データが圧縮されているか否かを示すデータとを含むストリーム開始通知メッセージを、上記シンク機器に無線送信した後に、上記第１の映像データを上記シンク機器に無線送信する第２の制御手段を備え、
上記第１の映像データの映像フォーマットを識別する映像フォーマット識別コードは、３８４０ピクセル又は４０９６ピクセルの有効水平画素数と２１６０ピクセルの有効垂直画素数とを有する４ｋ２ｋ映像データの少なくとも１つの映像フォーマット識別コードの中から選択されたことを特徴とするソース機器。
【請求項５】
上記第２の制御手段は、
（ａ）上記シンク機器において表示可能な映像データの映像フォーマットを識別する少なくとも１つの映像フォーマット識別コードを含む映像情報メッセージと、（ｂ）映像データを圧縮するための圧縮用パラメータを含む圧縮映像情報メッセージとを含むデバイス能力応答メッセージを、上記シンク機器から無線受信し、
上記デバイス能力応答メッセージに含まれる映像フォーマット識別コードの中から１つの映像フォーマット識別コードを選択し、上記選択された映像フォーマット識別コードに基づいて上記第１の映像データを生成し、上記生成された第１の映像データを上記圧縮用パラメータを用いて圧縮し、上記圧縮された第１の映像データを上記シンク機器に無線送信することを特徴とする請求項４記載のソース機器。
【請求項６】
上記第２の制御手段は、
上記第１の映像データの映像フォーマットが変更されたときに、上記変更後の映像フォーマットを識別する映像フォーマット識別コードと、上記変更後の映像フォーマットを有する第２の映像データが圧縮されているか否かを示すデータとを含む出力フォーマット通知メッセージを上記シンク機器に無線送信した後に、上記第２の映像データを上記シンク機器に無線送信することを特徴とする請求項５記載のソース機器。
【請求項７】
ソース機器からシンク機器に映像データを無線伝送する無線通信システムにおいて、
請求項１記載のシンク機器と、
請求項４記載のソース機器とを備えたことを特徴とする無線通信システム。
【請求項８】
ソース機器からシンク機器に映像データを無線伝送する映像データの伝送方法において、
上記シンク機器により、（ａ）上記シンク機器において表示可能な映像データの映像フォーマットを識別する少なくとも１つの映像フォーマット識別コードを含む映像情報メッセージと、（ｂ）映像データを圧縮するための圧縮用パラメータを含む圧縮映像情報メッセージとを含むデバイス能力応答メッセージを上記ソース機器に無線送信するステップと、
上記ソース機器により、上記デバイス能力応答メッセージを無線受信し、上記デバイス能力応答メッセージに含まれる映像フォーマット識別コードの中から１つの映像フォーマット識別コードを選択し、上記選択された映像フォーマット識別コードに基づいて第１の映像データを生成し、上記生成された第１の映像データを上記圧縮用パラメータを用いて圧縮するステップと、
上記ソース機器により、上記選択された映像フォーマット識別コードと、上記第１の映像データが圧縮されているか否かを示すデータとを含むストリーム開始通知メッセージを、上記シンク機器に無線送信した後に、上記圧縮された第１の映像データを上記シンク機器に無線送信するステップと、
上記シンク機器により、上記ストリーム開始通知メッセージを無線受信し、上記無線受信されたストリーム開始通知メッセージに基づいて、上記第１の映像データの映像フォーマット識別コード及び上記第１の映像データが圧縮されているか否かを識別するステップと、
上記シンク機器により、上記第１の映像データを無線受信し、上記第１の映像データが圧縮されているときは、上記第１の映像データを伸張して、上記伸張後の第１の映像データを上記識別された映像フォーマット識別コードに基づいてデコードする一方、上記第１の映像データが圧縮されていないときは、上記第１の映像データを上記識別された映像フォーマット識別コードに基づいてデコードするステップとを含み、
上記少なくとも１つの映像フォーマット識別コードは、３８４０ピクセル又は４０９６ピクセルの有効水平画素数と２１６０ピクセルの有効垂直画素数とを有する４ｋ２ｋ映像データの少なくとも１つの映像フォーマット識別コードを含むことを特徴とする映像データの伝送方法。
【請求項９】
上記ソース機器により、上記第１の映像データの映像フォーマットが変更されたときに、上記変更後の映像フォーマットを識別する映像フォーマット識別コードと、上記変更後の映像フォーマットを有する第２の映像データが圧縮されているか否かを示すデータとを含む出力フォーマット通知メッセージを上記シンク機器に無線送信した後に、上記第２の映像データを上記シンク機器に無線送信するステップと、
上記シンク機器により、上記出力フォーマット通知メッセージを無線受信し、上記無線受信された出力フォーマット通知メッセージに基づいて、上記第２の映像データの映像フォーマット識別コード及び上記第２の映像データが圧縮されているか否かを識別するステップと、
上記シンク機器により、上記第２の映像データを無線受信するステップと、
上記シンク機器により、上記第２の映像データが圧縮されているときは、上記第２の映像データを伸張して、上記伸張後の第２の映像データを上記識別された映像フォーマット識別コードに基づいてデコードする一方、上記第２の映像データが圧縮されていないときは、上記第２の映像データを上記識別された映像フォーマット識別コードに基づいてデコードするステップとをさらに含むことを特徴とする請求項８記載の映像データの伝送方法。
【手続補正３】
【補正対象書類名】図面
【補正対象項目名】全図
【補正方法】変更
【補正の内容】
【図１】
2010140199.tif 000051
【図２】
2010140199.tif 000052
【図３】
2010140199.tif 000053
【図４】
2010140199.tif 000054
【図５】
2010140199.tif 000055
【図６】
2010140199.tif 000056
【図７】
2010140199.tif 000057
【図８】
2010140199.tif 000058
【図９】
2010140199.tif 000059
【図１０】
2010140199.tif 000060
【図１１】
2010140199.tif 000061
【図１２】
2010140199.tif 000062
【図１３】
2010140199.tif 000063
【図１４】
2010140199.tif 000064
【図１５】
2010140199.tif 000065
【図１６】
2010140199.tif 000066
【図１７】
2010140199.tif 000067
【図１８】
2010140199.tif 000068
【図１９】
2010140199.tif 000069
【図２０】
2010140199.tif 000070
【図２１】
2010140199.tif 000071
【図２２】
2010140199.tif 000072
【図２３】
2010140199.tif 000073
【図２４】
2010140199.tif 000074
【図２５】
2010140199.tif 000075
【図２６】
2010140199.tif 000076
【図２７】
2010140199.tif 000077
【図２８】
2010140199.tif 000078
【図２９】
2010140199.tif 000079
【図３０】
2010140199.tif 000080
【図３１】
2010140199.tif 000081
【図３２】
2010140199.tif 000082
【図３３】
2010140199.tif 000083
【図３４】
2010140199.tif 000084
【図３５】
2010140199.tif 000085
【図３６】
2010140199.tif 000086
【図３７】
2010140199.tif 000087
【図３８】
2010140199.tif 000088
【図３９】
2010140199.tif 000089
【図４０】
2010140199.tif 000090
【図４１】
2010140199.tif 000091
【図４２】
2010140199.tif 000092
【図４３】
2010140199.tif 000093
【図４４】
2010140199.tif 000094
【図４５】
2010140199.tif 000095
【図４６】
2010140199.tif 000096
【図４７】
2010140199.tif 000097
【図４８】
2010140199.tif 000098
【国際調査報告】
2010140199.tif 000099
2010140199.tif 000100
2010140199.tif 000101
2010140199.tif 000102